(57)【特許請求の範囲】
【請求項１】
ワイヤレス通信においてローカルインターネットプロトコル（ＩＰ）オフロードを行うための方法であって、
モビリティマネージャにおいて、デバイスのパケットデータコンテキストを確立したいという要求を受信すること、ここにおいて、前記要求は、ローカルＩＰオフロードインジケータを含む、と、
前記パケットデータコンテキストがローカルＩＰオフロードに対応すると決定することと、
前記ローカルＩＰオフロードインジケータに少なくとも部分的に基づいて、アクセスポイントが前記ローカルＩＰオフロードをサポートするかどうかを決定することと、
前記パケットデータコンテキストが前記ローカルＩＰオフロードに対応すると前記決定することと前記ローカルＩＰオフロードインジケータとに少なくとも部分的に基づいて、前記パケットデータコンテキストを確立するためのゲートウェイを選択することと
を備える、方法。
【請求項２】
前記要求を前記受信することは、前記アクセスポイントからフォワーディングされた前記要求を受信することを備え、前記ローカルＩＰオフロードインジケータは、前記アクセスポイントからフォワーディングされた前記要求中で受信された、前記ゲートウェイのＩＰアドレスを備える、
請求項１に記載の方法。
【請求項３】
前記パケットデータコンテキストが前記ローカルＩＰオフロードに対応すると前記決定することは、前記デバイスのサブスクリプションデータ中で受信された１つまたは複数のパーミッションまたはインジケータに少なくとも部分的に基づく、
請求項１に記載の方法。
【請求項４】
前記１つまたは複数のパーミッションまたはインジケータは、１つまたは複数のアクセスポイント名（ＡＰＮ）について前記ローカルＩＰオフロードが可能にされるかどうかを指定し、前記要求は、前記１つまたは複数のＡＰＮのうちの少なくとも１つを含む、
請求項３に記載の方法。
【請求項５】
前記デバイスの限定加入者グループ（ＣＳＧ）サブスクリプションデータを受信することと、
前記ＣＳＧサブスクリプションデータ中の１つまたは複数のパーミッションまたはインジケータに少なくとも部分的に基づいて、前記デバイスが前記アクセスポイントにおいて前記ローカルＩＰオフロードを使用することを可能にされるかどうかを決定することと
をさらに備え、前記ゲートウェイを前記選択することは、前記デバイスが前記アクセスポイントにおいて前記ローカルＩＰオフロードを使用することを可能にされるかどうかを前記決定することにさらに少なくとも部分的に基づく、
請求項１に記載の方法。
【請求項６】
前記１つまたは複数のパーミッションまたはインジケータが、前記ＣＳＧサブスクリプションデータ中の１つまたは複数のパーミッションまたはインジケータに少なくとも部分的に基づいて、前記要求中で指定されたアクセスポイント名（ＡＰＮ）について前記ローカルＩＰオフロードが可能にされるかどうかを指定する、
請求項５に記載の方法。
【請求項７】
前記１つまたは複数のパーミッションまたはインジケータは、前記ローカルＩＰオフロードが前記ＡＰＮについて条件付きであることを指定し、前記デバイスが前記アクセスポイントにおいて前記ローカルＩＰオフロードを使用することを可能にされるかどうかを前記決定することは、前記デバイスが前記アクセスポイントにおいて前記ローカルＩＰオフロードを利用することを可能にされないと決定することを備え、前記ゲートウェイを前記選択することは、前記ゲートウェイのドメインネームサービスルックアップを実行することに少なくとも部分的に基づく、
請求項６に記載の方法。
【請求項８】
前記ローカルＩＰオフロードを使用して通信するための、前記アクセスポイントにおける無線ベアラの確立を要求することと、
前記ゲートウェイにおいて確立された前記パケットデータコンテキストを前記無線ベアラに関連付けることと、
前記パケットデータコンテキストに関する１つまたは複数のパラメータを前記デバイスに通信することと
をさらに備える、請求項１に記載の方法。
【請求項９】
ワイヤレス通信においてローカルインターネットプロトコル（ＩＰ）オフロードを行うための装置であって、
モビリティマネージャにおいて、デバイスのパケットデータコンテキストを確立したいという要求を取得すること、ここにおいて、前記要求は、ローカルＩＰオフロードインジケータを含む、と、
前記パケットデータコンテキストがローカルＩＰオフロードに対応すると決定することと、
前記ローカルＩＰオフロードインジケータに少なくとも部分的に基づいて、アクセスポイントが前記ローカルＩＰオフロードをサポートするかどうかを決定することと、
前記ローカルＩＰオフロードに対応する前記パケットデータコンテキストと前記ローカルＩＰオフロードインジケータとに少なくとも部分的に基づいて、前記パケットデータコンテキストを確立するためのゲートウェイを選択することと
を行うように構成された少なくとも１つのプロセッサと、
前記少なくとも１つのプロセッサに結合されたメモリと
を備える、装置。
【請求項１０】
前記ローカルＩＰオフロードインジケータは、前記アクセスポイントからフォワーディングされた前記要求中で受信された前記ゲートウェイのＩＰアドレスを備える、
請求項９に記載の装置。
【請求項１１】
前記少なくとも１つのプロセッサは、前記デバイスのサブスクリプションデータ中で受信された１つまたは複数のインジケータまたはパーミッションに少なくとも部分的に基づいて、前記パケットデータコンテキストが前記ローカルＩＰオフロードに対応すると決定する、
請求項９に記載の装置。
【請求項１２】
前記１つまたは複数のインジケータまたはパーミッションは、１つまたは複数のアクセスポイント名（ＡＰＮ）について前記ローカルＩＰオフロードが可能にされるかどうかを指定し、前記要求は、前記１つまたは複数のＡＰＮのうちの少なくとも１つを含む、
請求項１１に記載の装置。
【請求項１３】
前記少なくとも１つのプロセッサは、
前記デバイスの限定加入者グループ（ＣＳＧ）サブスクリプションデータを受信することと、
前記ＣＳＧサブスクリプションデータ中の１つまたは複数のインジケータまたはパーミッションに少なくとも部分的に基づいて、前記デバイスが前記アクセスポイントにおいて前記ローカルＩＰオフロードを使用することを可能にされるかどうかを決定することと
をさらに行うように構成され、前記少なくとも１つのプロセッサは、前記デバイスが前記アクセスポイントにおいて前記ローカルＩＰオフロードを使用することを可能にされるかどうかにさらに少なくとも部分的に基づいて前記ゲートウェイを選択する、
請求項９に記載の装置。
【請求項１４】
前記１つまたは複数のインジケータまたはパーミッションは、前記ＣＳＧサブスクリプションデータ中の１つまたは複数のインジケータまたはパーミッションに少なくとも部分的に基づいて、前記要求中で指定されたアクセスポイント名（ＡＰＮ）について前記ローカルＩＰオフロードが可能にされるかどうかを指定する、
請求項１３に記載の装置。
【請求項１５】
前記１つまたは複数のインジケータまたはパーミッションは、前記ローカルＩＰオフロードが前記ＡＰＮについて条件付きであることを指定し、前記少なくとも１つのプロセッサは、前記デバイスが前記アクセスポイントにおいて前記ローカルＩＰオフロードを利用することを可能にされないと決定し、前記ゲートウェイのドメインネームサービスルックアップを実行することに少なくとも部分的に基づいて、前記ゲートウェイを選択する、
請求項１４に記載の装置。
【請求項１６】
前記少なくとも１つのプロセッサは、
前記ローカルＩＰオフロードを使用して通信するための、前記アクセスポイントにおける無線ベアラの確立を要求することと、
前記ゲートウェイにおいて確立された前記パケットデータコンテキストを前記無線ベアラに関連付けることと、
前記パケットデータコンテキストに関する１つまたは複数のパラメータを前記デバイスに通信することと
を行うようにさらに構成された、請求項９に記載の装置。
【請求項１７】
ワイヤレス通信においてローカルインターネットプロトコル（ＩＰ）オフロードを行うための装置であって、
モビリティマネージャにおいて、デバイスのパケットデータコンテキストを確立したいという要求を受信するための手段、ここにおいて、前記要求は、ローカルＩＰオフロードインジケータを含む、と、
前記パケットデータコンテキストがローカルＩＰオフロードに対応すると決定するための手段と、
前記ローカルＩＰオフロードインジケータに少なくとも部分的に基づいて、アクセスポイントが前記ローカルＩＰオフロードをサポートするかどうかを見分けるための手段と、
前記ローカルＩＰオフロードに対応する前記パケットデータコンテキストと前記ローカルＩＰオフロードインジケータとに少なくとも部分的に基づいて、前記パケットデータコンテキストを確立するためのゲートウェイを選択するための手段と
を備える、装置。
【請求項１８】
前記ローカルＩＰオフロードインジケータが、前記アクセスポイントからフォワーディングされた前記要求中で受信された前記ゲートウェイのＩＰアドレスを備える、
請求項１７に記載の装置。
【請求項１９】
前記デバイスのサブスクリプション情報を要求するための手段をさらに備え、前記決定するための手段は、前記デバイスのサブスクリプションデータ中の１つまたは複数のインジケータまたはパーミッションに少なくとも部分的に基づいて、前記パケットデータコンテキストが前記ローカルＩＰオフロードに対応すると決定する、
請求項１７に記載の装置。
【請求項２０】
前記１つまたは複数のインジケータまたはパーミッションは、１つまたは複数のアクセスポイント名（ＡＰＮ）について前記ローカルＩＰオフロードが可能にされるかどうかを指定し、前記要求が、前記１つまたは複数のＡＰＮのうちの少なくとも１つを含む、
請求項１９に記載の装置。
【請求項２１】
前記デバイスの限定加入者グループ（ＣＳＧ）サブスクリプションデータを受信するための手段をさらに備え、前記決定するための手段は、前記ＣＳＧサブスクリプションデータ中の１つまたは複数のインジケータまたはパーミッションに少なくとも部分的に基づいて、前記デバイスが前記アクセスポイントにおいて前記ローカルＩＰオフロードを使用することを可能にされるかどうかをさらに決定し、前記選択するための手段は、前記デバイスが前記アクセスポイントにおいて前記ローカルＩＰオフロードを使用することを可能にされるかどうかにさらに少なくとも部分的に基づいて、前記ゲートウェイを選択する、
請求項１７に記載の装置。
【請求項２２】
前記１つまたは複数のインジケータまたはパーミッションは、前記ＣＳＧサブスクリプションデータ中の１つまたは複数のインジケータまたはパーミッションに少なくとも部分的に基づいて、前記要求中で指定されたアクセスポイント名（ＡＰＮ）について前記ローカルＩＰオフロードが可能にされるかどうかを指定する、
請求項２１に記載の装置。
【請求項２３】
前記１つまたは複数のインジケータまたはパーミッションは、前記ローカルＩＰオフロードが前記ＡＰＮについて条件付きであることを指定し、前記決定するための手段は、前記デバイスが前記アクセスポイントにおいて前記ローカルＩＰオフロードを利用することを可能にされないと決定し、前記選択するための手段は、前記ゲートウェイのドメインネームサービスルックアップを実行することに少なくとも部分的に基づいて、前記ゲートウェイを選択する、
請求項２２に記載の装置。
【請求項２４】
前記ローカルＩＰオフロードを使用して通信するための、前記アクセスポイントにおける無線ベアラの確立を要求し、前記ゲートウェイにおいて確立される前記パケットデータコンテキストを前記無線ベアラに関連付けるための手段をさらに備え、前記受信するための手段が、前記パケットデータコンテキストに関する１つまたは複数のパラメータを前記デバイスにさらに通信する、
請求項１７に記載の装置。
【請求項２５】
ワイヤレス通信においてローカルインターネットプロトコル（ＩＰ）オフロードを行うためのコンピュータプログラムであって、
少なくとも１つのコンピュータに、モビリティマネージャにおいて、デバイスのパケットデータコンテキストを確立したいという要求を取得させるためのコード、ここにおいて、前記要求は、ローカルＩＰオフロードインジケータを含む、と、
前記少なくとも１つのコンピュータに、前記パケットデータコンテキストがローカルＩＰオフロードに対応すると決定させるためのコードと、
前記少なくとも１つのコンピュータに、前記ローカルＩＰオフロードインジケータに少なくとも部分的に基づいて、アクセスポイントが前記ローカルＩＰオフロードをサポートするかどうかを見分けさせるためのコードと、
前記少なくとも１つのコンピュータに、前記ローカルＩＰオフロードに対応する前記パケットデータコンテキストと前記ローカルＩＰオフロードインジケータとに少なくとも部分的に基づいて、前記パケットデータコンテキストを確立するためのゲートウェイを選択させるためのコードと
を備える、コンピュータプログラム。
【請求項２６】
前記ローカルＩＰオフロードインジケータは、前記アクセスポイントからフォワーディングされた前記要求中で受信された、前記ゲートウェイのＩＰアドレスを備える、
請求項２５に記載のコンピュータプログラム。
【請求項２７】
前記少なくとも１つのコンピュータに決定させるための前記コードは、前記デバイスのサブスクリプションデータ中で受信された１つまたは複数のインジケータまたはパーミッションに少なくとも部分的に基づいて、前記パケットデータコンテキストが前記ローカルＩＰオフロードに対応すると決定する、
請求項２５に記載のコンピュータプログラム。
【請求項２８】
前記１つまたは複数のインジケータまたはパーミッションが、１つまたは複数のアクセスポイント名（ＡＰＮ）について前記ローカルＩＰオフロードが可能にされるかどうかを指定し、前記要求が、前記１つまたは複数のＡＰＮのうちの少なくとも１つを含む、
請求項２７に記載のコンピュータプログラム。
【請求項２９】
前記少なくとも１つのコンピュータに、前記デバイスの限定加入者グループ（ＣＳＧ）サブスクリプションデータを受信させるためのコードと、
前記少なくとも１つのコンピュータに、前記ＣＳＧサブスクリプションデータ中の１つまたは複数のインジケータまたはパーミッションに少なくとも部分的に基づいて、前記デバイスが前記アクセスポイントにおいて前記ローカルＩＰオフロードを使用することを可能にされるかどうかを決定させるためのコードと
をさらに備え、前記少なくとも１つのコンピュータに、選択させるための前記コードは、前記デバイスが前記アクセスポイントにおいて前記ローカルＩＰオフロードを使用することを可能にされるかどうかにさらに少なくとも部分的に基づいて前記ゲートウェイを選択する、
請求項２５に記載のコンピュータプログラム。
【請求項３０】
前記１つまたは複数のインジケータまたはパーミッションは、前記ＣＳＧサブスクリプションデータ中の１つまたは複数のインジケータまたはパーミッションに少なくとも部分的に基づいて、前記要求中で指定されたアクセスポイント名（ＡＰＮ）について前記ローカルＩＰオフロードが可能にされるかどうかを指定する、
請求項２９に記載のコンピュータプログラム。
【請求項３１】
前記１つまたは複数のインジケータまたはパーミッションは、前記ローカルＩＰオフロードが前記ＡＰＮについて条件付きであることを指定し、前記少なくとも１つのコンピュータに決定させるための前記コードは、前記デバイスが前記アクセスポイントにおいて前記ローカルＩＰオフロードを利用することを可能にされないと決定し、前記少なくとも１つのコンピュータに選択させるための前記コードは、前記ゲートウェイのドメインネームサービスルックアップを実行することに少なくとも部分的に基づいて、前記ゲートウェイを選択する、
請求項３０に記載のコンピュータプログラム。
【請求項３２】
前記少なくとも１つのコンピュータに、前記ローカルＩＰオフロードを使用して通信するための、前記アクセスポイントにおける無線ベアラの確立を要求させるためのコードと、
前記少なくとも１つのコンピュータに、前記ゲートウェイにおいて確立された前記パケットデータコンテキストを前記無線ベアラに関連付けさせるためのコードと、
前記少なくとも１つのコンピュータに、前記パケットデータコンテキストに関する１つまたは複数のパラメータを前記デバイスに通信させるためのコードと
をさらに備える、請求項２５に記載のコンピュータプログラム。
【請求項３３】
ワイヤレス通信においてローカルインターネットプロトコル（ＩＰ）オフロードを行うための装置であって、
モビリティマネージャにおいて、デバイスのパケットデータコンテキストを確立したいという要求を受信するためのコンテキスト確立構成要素、ここにおいて、前記要求は、ローカルＩＰオフロードインジケータを含む、と、
前記パケットデータコンテキストがローカルＩＰオフロードに対応すると決定し、前記ローカルＩＰオフロードインジケータに少なくとも部分的に基づいて、アクセスポイントが前記ローカルＩＰオフロードをサポートするかどうかを見分けるためのローカルＩＰオフロードサポート決定構成要素と、
前記ローカルＩＰオフロードに対応する前記パケットデータコンテキストと前記ローカルＩＰオフロードインジケータとに少なくとも部分的に基づいて、前記パケットデータコンテキストを確立するためのゲートウェイを選択するためのゲートウェイ選択構成要素と
を備える、装置。
【請求項３４】
前記ローカルＩＰオフロードインジケータが、前記アクセスポイントからフォワーディングされた前記要求中で受信された前記ゲートウェイのＩＰアドレスを備える、
請求項３３に記載の装置。
【請求項３５】
前記デバイスのサブスクリプションデータを要求するためのサブスクリプション要求構成要素をさらに備え、前記ローカルＩＰオフロードサポート決定構成要素は、前記デバイスの前記サブスクリプションデータ中の１つまたは複数のインジケータまたはパーミッションに少なくとも部分的に基づいて、前記パケットデータコンテキストが前記ローカルＩＰオフロードに対応すると決定する、
請求項３３に記載の装置。
【請求項３６】
前記１つまたは複数のインジケータまたはパーミッションが、１つまたは複数のアクセスポイント名（ＡＰＮ）について前記ローカルＩＰオフロードが可能にされるかどうかを指定し、前記要求が、前記１つまたは複数のＡＰＮのうちの少なくとも１つを含む、
請求項３５に記載の装置。
【請求項３７】
前記デバイスの限定加入者グループ（ＣＳＧ）サブスクリプションデータを受信するためのサブスクリプション要求構成要素をさらに備え、前記ローカルＩＰオフロードサポート決定構成要素は、前記ＣＳＧサブスクリプションデータ中の１つまたは複数のインジケータまたはパーミッションに少なくとも部分的に基づいて、前記デバイスが前記アクセスポイントにおいて前記ローカルＩＰオフロードを使用することを可能にされるかどうかをさらに決定し、前記ゲートウェイ選択構成要素は、前記デバイスが前記アクセスポイントにおいて前記ローカルＩＰオフロードを使用することを可能にされるかどうかにさらに少なくとも部分的に基づいて、前記ゲートウェイを選択する、
請求項３３に記載の装置。
【請求項３８】
前記１つまたは複数のインジケータまたはパーミッションが、前記ＣＳＧサブスクリプションデータ中の１つまたは複数のインジケータまたはパーミッションに少なくとも部分的に基づいて、前記要求中で指定されたアクセスポイント名（ＡＰＮ）について前記ローカルＩＰオフロードが可能にされるかどうかを指定する、
請求項３７に記載の装置。
【請求項３９】
前記１つまたは複数のインジケータまたはパーミッションは、前記ローカルＩＰオフロードが前記ＡＰＮについて条件付きであることを指定し、前記ローカルＩＰオフロードサポート決定構成要素は、前記デバイスが前記アクセスポイントにおいて前記ローカルＩＰオフロードを利用することを可能にされないと決定し、前記ゲートウェイ選択構成要素は、前記ゲートウェイのドメインネームサービスルックアップを実行することに少なくとも部分的に基づいて、前記ゲートウェイを選択する、
請求項３８に記載の装置。
【請求項４０】
前記ローカルＩＰオフロードを使用して通信するための、前記アクセスポイントにおける無線ベアラの確立を要求し、前記ゲートウェイにおいて確立される前記パケットデータコンテキストを前記無線ベアラに関連付けるためのベアラ確立構成要素をさらに備え、前記コンテキスト確立構成要素が、前記パケットデータコンテキストに関する１つまたは複数のパラメータを前記デバイスにさらに通信する、
請求項３３に記載の装置。
【発明の詳細な説明】
【関連出願】
【０００１】
米国特許法第１１９条に基づく優先権の主張
本特許出願は、本出願の譲受人に譲渡され、参照により本明細書に明白に組み込まれる、２０１０年４月１３日に出願された「Session Management Procedures for Managing Local IP Access」と題する仮出願第６１／３２３，７７７号、ならびに本出願の譲受人に譲渡され、参照により本明細書に明白に組み込まれる、２０１０年８月５日に出願された「Coexistence of Corporate VPN Access and Local IP Access」と題する仮出願第６１／３７１，１３５号の優先権を主張する。
【技術分野】
【０００２】
以下の説明は、一般にワイヤレスネットワーク通信に関し、より詳細には、ローカルインターネットプロトコルアクセスを管理することに関する。
【背景技術】
【０００３】
ワイヤレス通信システムは、たとえば、ボイス、データなど、様々なタイプの通信コンテンツを提供するために広く展開されている。典型的なワイヤレス通信システムは、使用可能なシステムリソース（たとえば、帯域幅、送信電力、．．．）を共有することによって複数のユーザとの通信をサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システムなどがあり得る。さらに、システムは、第３世代パートナーシッププロジェクト（３ＧＰＰ）、３ＧＰＰロングタームエボリューション（ＬＴＥ）、ウルトラモバイルブロードバンド（ＵＭＢ）、エボリューションデータオプティマイズド（ＥＶ−ＤＯ）などの規格に準拠することができる。
【０００４】
一般に、ワイヤレス多元接続通信システムは、複数のモバイルデバイスのための通信を同時にサポートし得る。各モバイルデバイスは、順方向リンクおよび逆方向リンク上の送信を介して１つまたは複数の基地局と通信し得る。順方向リンク（またはダウンリンク）は基地局からモバイルデバイスへの通信リンクを指し、逆方向リンク（またはアップリンク）はモバイルデバイスから基地局への通信リンクを指す。さらに、モバイルデバイスと基地局との間の通信は、単入力単出力（ＳＩＳＯ）システム、多入力単出力（ＭＩＳＯ）システム、多入力多出力（ＭＩＭＯ）システムなどを介して確立され得る。さらに、ピアツーピアワイヤレスネットワーク構成では、モバイルデバイスは他のモバイルデバイスと（および／または基地局は他の基地局と）通信することができる。
【０００５】
従来の基地局を補うために、追加の基地局を展開して、よりロバストなワイヤレスカバレージをモバイルユニットに与え得る。たとえば、増分キャパシティの増大、より豊かなユーザエクスペリエンス、屋内または他の特定の地理的カバレージなどのために、（たとえば、一般に、集合的にＨ（ｅ）ＮＢと呼ばれるホームノードＢまたはホームｅＮＢ、フェムトアクセスポイント、フェムトセル、ピコセル、マイクロセルなどと呼ばれることがある）ワイヤレス中継局および低電力基地局が展開され得る。いくつかの構成では、そのような低電力基地局は、ブロードバンド接続（たとえば、デジタル加入者回線（ＤＳＬ）ルータ、ケーブルまたは他のモデムなど）を介してインターネットおよびモバイル事業者のネットワークに接続される。いくつかのＨ（ｅ）ＮＢは、あるデバイスまたは限定加入者グループ（ＣＳＧ）のメンバーである関係ユーザへのアクセスを制限するＣＳＧアクセスを与える。ホーム加入者サーバ（ＨＳＳ）、ホームロケーションレジスタ（ＨＬＲ）、あるいはデバイスのホームネットワークの１つまたは複数の他のノードは、デバイスがメンバーであるＣＳＧの１つまたは複数のリストを含むことができる、デバイスのＣＳＧサブスクリプションデータを記憶することができる。
【０００６】
さらに、Ｈ（ｅ）ＮＢが利用するブロードバンド接続によって、Ｈ（ｅ）ＮＢは、ローカルネットワークを介してサービスへのアクセスまたはリソースへのアクセスをさらに取得することができる。一例では、他のデバイスがインターネットにアクセスすることを可能にすることができるゲートウェイまたはルータをＨ（ｅ）ＮＢが利用する（または提供する）場合、デバイスおよびＨ（ｅ）ＮＢは、ゲートウェイまたはルータによってサービスされるローカルインターネットプロトコル（ＩＰ）ネットワークに参加することができ、したがって、ローカルＩＰネットワークを介して、サービスを提供したり、ストレージデバイス、プリンタまたは他の出力デバイスなどのリソースにアクセスしたりすることができる。さらに、１つまたは複数のモバイルデバイスが、同様にＩＰネットワーク上のローカルリソースにアクセスすることができる（たとえば、および／またはローカルネットワーク上のデバイスが、１つまたは複数のモバイルデバイスのリソースにアクセスすることができる）ように、Ｈ（ｅ）ＮＢは、いくつかの例では、モバイルネットワークインターフェースを介してＨ（ｅ）ＮＢと通信する１つまたは複数のモバイルデバイスにローカルＩＰアクセス（ＬＩＰＡ）を提供することができる。別の例では、Ｈ（ｅ）ＮＢは、モバイルネットワークを通してトラフィックをフォワーディングすることなしにルータを使用して、インターネット上で１つまたは複数のデバイスに関係するトラフィックをフィルタ処理するための選択ＩＰトラフィックオフロード（ＳＩＰＴＯ：selected IP traffic offload）を実装することができる。
【発明の概要】
【０００７】
以下で、１つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、１つまたは複数の態様のいくつかの概念を簡略化された形で提示することである。
【０００８】
１つまたは複数の実施形態およびそれの対応する開示に従って、ワイヤレスネットワークにおいて、ローカルインターネットプロトコル（ＩＰ）アクセス（ＬＩＰＡ）、選択ＩＰトラフィックオフロード（ＳＩＰＴＯ）など、ローカルＩＰオフロード機能を管理することに関連して、様々な態様について説明する。たとえば、所与のデバイスについてローカルＩＰオフロードを初期化すべきかどうかを決定することの一部として、ローカルＩＰオフロードに関係する１つまたは複数のインジケータまたはパーミッションが検証され得る。インジケータまたはパーミッションは、たとえば、デバイスがローカルＩＰオフロードを利用することを可能にされるかどうか、パケットデータコンテキストのデバイス要求がローカルＩＰオフロードに関係するかどうか、対応するホームノードＢまたはホーム発展型ノードＢ（Ｈ（ｅ）ＮＢ）または他のアクセスポイントがローカルＩＰオフロードをサポートするかどうか、Ｈ（ｅ）ＮＢにおいてデバイスが（たとえば、あるいは、関係する限定加入者グループまたは他のアソシエーションを用いて）ローカルＩＰオフロードを利用することを可能にされるかどうか、デバイスが指定されたアクセスポイント名（ＡＰＮ）についてローカルＩＰオフロードを利用することを可能にされるかどうか、Ｈ（ｅ）ＮＢにおいてＡＰＮについてローカルＩＰオフロードがサポートされているかどうかなどに対応することができる。一例では、Ｈ（ｅ）ＮＢは、Ｈ（ｅ）ＮＢがローカルＩＰオフロードをサポートするかどうかを指定するインジケータを与えることができる。たとえば、このインジケータは、デバイスがローカルＩＰオフロードを有効化するコンテキストを確立するためのゲートウェイのアドレスを含むことができる。さらに、たとえば、ローカルＩＰオフロードのために確立されたコンテキストは、関連付けられたＨ（ｅ）ＮＢ間でローカルＩＰオフロードを続けることを可能にするために、デバイスに関係する１つまたは複数のパラメータに少なくとも部分的に基づいて非アクティブ化され得る。
【０００９】
一例によれば、アクセスポイントにおいてデバイスのパケットデータコンテキストを確立したいという要求を受信することと、パケットデータコンテキストがローカルＩＰオフロードに対応すると決定することとを含む、ワイヤレス通信においてローカルＩＰオフロードを行うための方法が提供される。本方法は、ローカルＩＰオフロードインジケータに少なくとも部分的に基づいて、アクセスポイントがローカルＩＰオフロードをサポートするかどうかを決定することと、パケットデータコンテキストがローカルＩＰオフロードに対応すると決定することとローカルＩＰオフロードインジケータとに少なくとも部分的に基づいてパケットデータコンテキストを確立するためのゲートウェイを選択することとをさらに含む。
【００１０】
別の態様では、アクセスポイントにおいてデバイスのパケットデータコンテキストを確立したいという要求を取得することと、パケットデータコンテキストがローカルＩＰオフロードに対応すると決定することとを行うように構成された少なくとも１つのプロセッサを含む、ワイヤレス通信においてローカルＩＰオフロードを行うための装置が提供される。少なくとも１つのプロセッサは、ローカルＩＰオフロードインジケータに少なくとも部分的に基づいて、アクセスポイントがローカルＩＰオフロードをサポートするかどうかを決定することと、ローカルＩＰオフロードに対応するパケットデータコンテキストとローカルＩＰオフロードインジケータとに少なくとも部分的に基づいてパケットデータコンテキストを確立するためのゲートウェイを選択することとを行うようにさらに構成される。さらに、本装置は、少なくとも１つのプロセッサに結合されたメモリを含む。
【００１１】
さらに別の態様では、アクセスポイントにおいてデバイスのパケットデータコンテキストを確立したいという要求を受信するための手段と、パケットデータコンテキストがローカルＩＰオフロードに対応すると決定し、ローカルＩＰオフロードインジケータに少なくとも部分的に基づいて、アクセスポイントがローカルＩＰオフロードをサポートするかどうかを見分けるための手段とを含む、ワイヤレス通信においてローカルＩＰオフロードを行うための装置が提供される。本装置は、ローカルＩＰオフロードに対応するパケットデータコンテキストとローカルＩＰオフロードインジケータとに少なくとも部分的に基づいて、パケットデータコンテキストを確立するためのゲートウェイを選択するための手段をさらに含む。
【００１２】
さらに、別の態様では、少なくとも１つのコンピュータに、アクセスポイントにおいてデバイスのパケットデータコンテキストを確立したいという要求を取得させるためのコードと、少なくとも１つのコンピュータに、パケットデータコンテキストがローカルＩＰオフロードに対応すると決定させるためのコードとを有するコンピュータ可読媒体を含む、ワイヤレス通信においてローカルＩＰオフロードを行うためのコンピュータプログラム製品が提供される。コンピュータ可読媒体は、少なくとも１つのコンピュータに、ローカルＩＰオフロードインジケータに少なくとも部分的に基づいて、アクセスポイントがローカルＩＰオフロードをサポートするかどうかを見分けさせるためのコードと、少なくとも１つのコンピュータに、ローカルＩＰオフロードに対応するパケットデータコンテキストとローカルＩＰオフロードインジケータとに少なくとも部分的に基づいてパケットデータコンテキストを確立するためのゲートウェイを選択させるためのコードとをさらに含む。
【００１３】
さらに、一態様では、アクセスポイントにおいてデバイスのパケットデータコンテキストを確立したいという要求を受信するためのコンテキスト確立構成要素と、パケットデータコンテキストがローカルＩＰオフロードに対応すると決定し、ローカルＩＰオフロードインジケータに少なくとも部分的に基づいて、アクセスポイントがローカルＩＰオフロードをサポートするかどうかを見分けるためのローカルＩＰオフロードサポート決定構成要素とを含む、ワイヤレス通信においてローカルＩＰオフロードを行うための装置が提供される。本装置は、ローカルＩＰオフロードに対応するパケットデータコンテキストとローカルＩＰオフロードインジケータとに少なくとも部分的に基づいて、パケットデータコンテキストを確立するためのゲートウェイを選択するためのゲートウェイ選択構成要素をさらに含む。
【００１４】
別の例によれば、第１のアクセスポイントにおいてデバイスからの登録要求を受信することを含む、ローカルＩＰオフロードのためのパケットデータコンテキストを非アクティブ化するための方法が提供される。本方法は、デバイスが、ローカルＩＰオフロードを通信するための、第２のアクセスポイントとのパケットデータコンテキストを有すると決定することと、第２のアクセスポイントの１つまたは複数のパラメータに少なくとも部分的に基づいて、パケットデータコンテキストを非アクティブ化することをさらに含む。
【００１５】
別の態様では、第１のアクセスポイントにおいてデバイスからの登録要求を受信することと、デバイスが、ローカルＩＰオフロードを使用して通信するための、第２のアクセスポイントとのパケットデータコンテキストを使用すると決定することとを行うように構成された少なくとも１つのプロセッサを含む、ローカルインターネットプロトコル（ＩＰ）オフロードのためのパケットデータコンテキストを非アクティブ化するための装置が提供される。少なくとも１つのプロセッサは、第２のアクセスポイントの１つまたは複数のパラメータに少なくとも部分的に基づいて、パケットデータコンテキストを非アクティブ化するようにさらに構成される。さらに、本装置は、少なくとも１つのプロセッサに結合されたメモリを含む。
【００１６】
さらに別の態様では、第１のアクセスポイントにおいてデバイスからの登録要求を受信するための手段と、デバイスが、ローカルＩＰオフロードを使用して通信するための第２のアクセスポイントとのパケットデータコンテキストを有すると決定するための手段とを含む、ローカルＩＰオフロードのためのパケットデータコンテキストを非アクティブ化するための装置が提供される。本装置は、第２のアクセスポイントの１つまたは複数のパラメータに少なくとも部分的に基づいてパケットデータコンテキストを非アクティブ化するための手段をさらに含む。
【００１７】
さらに、別の態様では、少なくとも１つのコンピュータに、第１のアクセスポイントにおいてデバイスからの登録要求を受信させるためのコードと、少なくとも１つのコンピュータに、デバイスがローカルＩＰオフロードを使用して通信するための、第２のアクセスポイントとのパケットデータコンテキストを使用すると決定させるためのコードとを有するコンピュータ可読媒体を含む、ローカルＩＰオフロードのためのパケットデータコンテキストを非アクティブ化するためのコンピュータプログラム製品が提供される。コンピュータ可読媒体は、少なくとも１つのコンピュータに、第２のアクセスポイントの１つまたは複数のパラメータに少なくとも部分的に基づいてパケットデータコンテキストを非アクティブ化させるためのコードをさらに含む。
【００１８】
さらに、一態様では、第１のアクセスポイントにおいてデバイスからの登録要求を受信するためのコンテキスト確立構成要と、デバイスが、ローカルＩＰオフロードを使用して通信するための第２のアクセスポイントとのパケットデータコンテキストを有すると決定するためのローカルＩＰオフロードステータス決定構成要素とを含む、ローカルＩＰオフロードのためのパケットデータコンテキストを非アクティブ化するための装置が提供される。本装置は、第２のアクセスポイントの１つまたは複数のパラメータに少なくとも部分的に基づいてパケットデータコンテキストを非アクティブ化するためのコンテキスト非アクティブ化構成要素をさらに含む。
【００１９】
さらに別の例によれば、アクセスポイントについてローカルＩＰオフロードが有効化されているか無効化されているかを指定する１つまたは複数のローカルＩＰオフロードパラメータを受信することと、１つまたは複数のローカルＩＰオフロードパラメータに少なくとも部分的に基づいて、ローカルＩＰオフロードサポートのインジケータを与えることを含む、ローカルＩＰオフロードがサポートされるかどうかを示すための方法が提供される。
【００２０】
別の態様では、アクセスポイントについてローカルＩＰオフロードが有効化されているか無効化されているかを指定する１つまたは複数のローカルＩＰオフロードパラメータを受信するように構成された少なくとも１つのプロセッサを含む、ローカルＩＰオフロードがサポートされるかどうかを示すための装置が提供される。少なくとも１つのプロセッサは、１つまたは複数のローカルＩＰオフロードパラメータに少なくとも部分的に基づいて、ローカルＩＰオフロードサポートのインジケータを与えるようにさらに構成される。さらに、本装置は、少なくとも１つのプロセッサに結合されたメモリを含む。
【００２１】
別の態様では、アクセスポイントについてローカルＩＰオフロードが有効化されているか無効化されているかを指定する１つまたは複数のローカルＩＰオフロードパラメータを受信するための手段を含む、ローカルＩＰオフロードがサポートされるかどうかを示すための装置が提供される。本装置は、１つまたは複数のローカルＩＰオフロードパラメータに少なくとも部分的に基づいて、ローカルＩＰオフロードサポートのインジケータを与えるための手段をさらに含む。
【００２２】
さらに、別の態様では、少なくとも１つのコンピュータに、アクセスポイントについてローカルＩＰオフロードが有効化されているか無効化されているかを指定する１つまたは複数のローカルＩＰオフロードパラメータを受信させるためのコードを有するコンピュータ可読媒体を含む、ローカルＩＰオフロードがサポートされるかどうかを示すためのコンピュータプログラム製品が提供される。コンピュータ可読媒体は、少なくとも１つのコンピュータに、１つまたは複数のローカルＩＰオフロードパラメータに少なくとも部分的に基づいて、ローカルＩＰオフロードサポートのインジケータを与えさせるためのコードをさらに含む。
【００２３】
さらに、一態様では、アクセスポイントについてローカルＩＰオフロードが有効化されているか無効化されているかを指定する１つまたは複数のローカルＩＰオフロードパラメータを受信するためのパラメータ受信構成要素を含む、ローカルＩＰオフロードがサポートされるかどうかを示すための装置が提供される。本装置は、１つまたは複数のローカルＩＰオフロードパラメータに少なくとも部分的に基づいて、ローカルＩＰオフロードサポートのインジケータを与えるためのローカルＩＰオフロード指示構成要素をさらに含む。
【００２４】
上記および関係する目的を達成するために、１つまたは複数の態様は、以下で十分に説明し、特に特許請求の範囲で指摘する特徴を備える。以下の説明および添付の図面に、１つまたは複数の態様のいくつかの例示的な特徴を詳細に記載する。ただし、これらの特徴は、様々な態様の原理が採用され得る様々な方法のほんのいくつかを示すものであり、この説明は、すべてのそのような態様およびそれらの均等物を含むものとする。
【００２５】
添付の図面とともに以下に説明する開示する態様は、開示する態様を限定するためではなく、開示する態様を例示するために与えられ、同様の表示は同様の要素を示す。
【図面の簡単な説明】
【００２６】
【図１】ローカルインターネットプロトコル（ＩＰ）オフロードを利用することを可能にする例示的なシステムのブロック図。
【図２】１つまたは複数のインジケータに従ってローカルＩＰオフロードのためのパケットデータコンテキストを確立するための例示的なシステムのブロック図。
【図３】パケットデータコンテキストを非アクティブ化するための例示的なシステムのブロック図。
【図４】ローカルＩＰオフロードサポートを指示することを可能にする例示的なシステムのブロック図。
【図５】ローカルＩＰオフロードのためのパケットデータプロトコル（ＰＤＰ）コンテキストを確立する態様の例示的なメッセージフロー図。
【図６】ローカルＩＰオフロードのためのパケットデータネットワーク（ＰＤＮ）接続を確立する態様の例示的なメッセージフロー図。
【図７】デバイスのパケットデータコンテキストを確立するための例示的な方法の一態様のフローチャート。
【図８】パケットデータコンテキストを確立するかまたは確立を拒否するための例示的な方法の一態様のフローチャート。
【図９】パケットデータコンテキストを非アクティブ化するための例示的な方法の一態様のフローチャート。
【図１０】ローカルＩＰオフロードサポートを指示するための例示的な方法の一態様のフローチャート。
【図１１】ローカルＩＰオフロードのためのパケットデータコンテキストを要求するための例示的なモバイルデバイスのブロック図。
【図１２】ローカルＩＰオフロードサポートを指示するための例示的なシステムのブロック図。
【図１３】本明細書で説明する様々な態様による例示的なコンピューティングデバイスのブロック図。
【図１４】デバイスのパケットデータコンテキストを確立する例示的なシステムのブロック図。
【図１５】パケットデータコンテキストを非アクティブ化する例示的なシステムのブロック図。
【図１６】ローカルＩＰオフロードサポートを指示する例示的なシステムのブロック図。
【図１７】本明細書に記載の様々な態様による例示的なワイヤレス通信システムのブロック図。
【図１８】本明細書で説明する様々なシステムおよび方法とともに採用できる例示的なワイヤレスネットワーク環境の図。
【図１９】本明細書の態様が実装され得る、いくつかのデバイスをサポートするように構成された例示的なワイヤレス通信システムを示す図。
【図２０】ネットワーク環境内でフェムトセルの展開を可能にするための例示的な通信システムの図。
【図２１】いくつかの定義された追跡エリアを有するカバレージマップの例を示す図。
【発明を実施するための形態】
【００２７】
次に、図面を参照しながら様々な態様について説明する。以下の記述では、説明の目的で、１つまたは複数の態様の完全な理解を与えるために多数の具体的な詳細を記載する。ただし、そのような（１つまたは複数の）態様は、これらの具体的な詳細なしに実施され得ることは明らかであろう。
【００２８】
本明細書でさらに説明するように、ローカルインターネットプロトコル（ＩＰ）アクセス（ＬＩＰＡ）、選択ＩＰトラフィックオフロード（ＳＩＰＴＯ）など、ローカルＩＰオフロード機能が、１つまたは複数のインジケータまたはパーミッションに少なくとも部分的に基づいて、デバイスについて管理され得る。たとえば、１つまたは複数のインジケータまたはパーミッションは、デバイスが、ローカルＩＰオフロードを利用することを可能にされるかどうか、パケットデータコンテキストの要求がローカルＩＰオフロードに関係するかどうか、対応する（Ｈ（ｅ）ＮＢと総称される）ホームノードＢまたはホーム発展型ノードＢあるいは他のアクセスポイントがローカルＩＰオフロードをサポートするかどうか、デバイスがＨ（ｅ）ＮＢにおいて（たとえば、および／または関係する限定加入者グループを用いて）ローカルＩＰオフロードを利用することを可能にされるかどうか、デバイスが、指定されたアクセスポイント名（ＡＰＮ）についてローカルＩＰオフロードを利用することを可能にされるかどうか、Ｈ（ｅ）ＮＢにおいてＡＰＮのローカルＩＰオフロードがサポートされるかどうかなどを指定することができる。たとえば、１つまたは複数のパーミッションは、ローカルＩＰオフロードを利用することに関係するパケットデータコンテキストの確立を要求することの一部として通信され得る。さらに、一例では、インジケータのうちの１つまたは複数は、ローカルＩＰオフロードを行うように指定されたゲートウェイのアドレスに関係することができる。この点について、様々なインジケータまたはパーミッションは、デバイスにおいてローカルＩＰオフロードを行うために利用され得る。
【００２９】
さらに、一例では、Ｈ（ｅ）ＮＢは、Ｈ（ｅ）ＮＢが（たとえば、特定のＡＰＮまたはそれ以外について）ローカルＩＰオフロードをサポートするかどうかを指定するインジケータを与えることができる。一例では、これは、関係するデバイスについてフォワーディングされるコンテキストの要求の一部として与えられ得る。さらに、たとえば、インジケータは、Ｈ（ｅ）ＮＢにおいてローカルＩＰオフロードを行うためのゲートウェイのアドレスを含むことができ、それに応じてそのゲートウェイはローカルＩＰオフロードを行うために利用され得る（たとえば、ローカルＩＰオフロードが可能にされることを他のインジケータが指定する）。さらに、本明細書で説明するように、ローカルＩＰオフロードに関係するコンテキストは、１つまたは複数のパラメータに少なくとも部分的に基づいて非アクティブ化され得る。たとえば、コンテキストの非アクティブ化は、デバイスが、現在のＨ（ｅ）ＮＢに関連付けられた別のＨ（ｅ）ＮＢまたはそれのセル（たとえば、同じ限定加入者グループ（ＣＳＧ）または他のアソシエーションのメンバーなど）、またはそのように関連付けられていないＨ（ｅ）ＮＢとのローカルＩＰオフロード可能な接続を有するかどうかに少なくとも部分的に基づいて決定され得る。これにより、関連付けられたＨ（ｅ）ＮＢ間でデバイスが移動するとき、ローカルＩＰオフロードに関係するコンテキストの不要なアクティブ化／非アクティブ化を軽減することができる。
【００３０】
本出願で使用する「構成要素」、「モジュール」、「システム」などの用語は、限定はしないが、ハードウェア、ファームウェア、ハードウェアとソフトウェアの組合せ、ソフトウェア、または実行中のソフトウェアなど、コンピュータ関連のエンティティを含むものとする。たとえば、構成要素は、プロセッサ上で実行されるプロセス、プロセッサ、オブジェクト、実行ファイル、実行スレッド、プログラム、および／またはコンピュータであり得るが、これらに限定されない。例として、コンピューティングデバイス上で実行されるアプリケーションと、そのコンピューティングデバイスの両方が構成要素であり得る。１つまたは複数の構成要素がプロセスおよび／または実行スレッド内に常駐することができ、１つの構成要素を１つのコンピュータ上に配置し、および／または２つ以上のコンピュータ間に分散し得る。さらに、これらの構成要素は、様々なデータ構造を記憶している様々なコンピュータ可読媒体から実行することができる。これらの構成要素は、ローカルシステム、分散型システム内、および／または他のシステムを用いるインターネットなどのネットワーク上の別の構成要素と信号を介して対話する１つの構成要素からのデータなど、１つまたは複数のデータパケットを有する信号によるなど、ローカルプロセスおよび／またはリモートプロセスを介して通信し得る。
【００３１】
さらに、本明細書では、ワイヤード端末またはワイヤレス端末であり得る端末に関する様々な態様について説明する。端末は、システム、デバイス、加入者ユニット、加入者局、移動局、モバイル、モバイルデバイス、リモート局、リモート端末、アクセス端末、ユーザ端末、端末、通信デバイス、ユーザエージェント、ユーザデバイス、またはユーザ機器（ＵＥ）と呼ばれることもある。ワイヤレス端末は、セルラー電話、衛星電話、コードレス電話、セッション開始プロトコル（ＳＩＰ：Session Initiation Protocol）電話、ワイヤレスローカルループ（ＷＬＬ：wireless local loop）局、携帯情報端末（ＰＤＡ：personal digital assistant）、ワイヤレス接続機能を有するハンドヘルドデバイス、コンピューティングデバイス、またはワイヤレスモデムに接続された他の処理デバイスであり得る。さらに、本明細書では基地局に関する様々な態様について説明する。基地局は、（１つまたは複数の）ワイヤレス端末と通信するために利用され得、アクセスポイント、ノードＢ、発展型ノードＢ（ｅＮＢ）、または何らかの他の用語で呼ばれることもある。
【００３２】
さらに、「または」という用語は、排他的な「または」ではなく、包括的な「または」を意味するものとする。すなわち、別段の規定がない限り、または文脈から明白でない限り、「ＸはＡまたはＢを使用する」という句は、自然な包括的置換のいずれかを意味するものとする。すなわち、「ＸはＡまたはＢを使用する」という句は、ＸがＡを使用する場合、ＸがＢを使用する場合、またはＸがＡとＢの両方を使用する場合のいずれによっても満たされる。さらに、本出願および添付の特許請求の範囲で使用する冠詞「ａ」および「ａｎ」は、別段の規定がない限り、または単数形を示すことが文脈から明白でない限り、概して「１つまたは複数」を意味するものと解釈すべきである。
【００３３】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、Ｗｉｄｅｂａｎｄ−ＣＤＭＡ（Ｗ−ＣＤＭＡ）およびＣＤＭＡの他の変形態を含む。さらに、ｃｄｍａ２０００は、ＩＳ−２０００、ＩＳ−９５およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装し得る。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ  Ｌｏｎｇ  Ｔｅｒｍ  Ｅｖｏｌｕｔｉｏｎ（ＬＴＥ）は、ダウンリンク上ではＯＦＤＭＡを採用し、アップリンク上ではＳＣ−ＦＤＭＡを採用するＥ−ＵＴＲＡを使用するＵＭＴＳのリリースである。ＵＴＲＡ、Ｅ−ＵＴＲＡ、ＵＭＴＳ、ＬＴＥおよびＧＳＭ（登録商標）は、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する組織からの文書に記載されている。さらに、ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する組織からの文書に記載されている。さらに、そのようなワイヤレス通信システムは、不対無資格スペクトル、８０２．ｘｘワイヤレスＬＡＮ、ＢＬＵＥＴＯＯＴＨ（登録商標）および任意の他の短距離または長距離ワイヤレス通信技法をしばしば使用するピアツーピア（たとえば、モバイルツーモバイル）アドホックネットワークシステムをさらに含み得る。
【００３４】
いくつかのデバイス、構成要素、モジュールなどを含み得るシステムに関して、様々な態様または特徴を提示する。様々なシステムは、追加のデバイス、構成要素、モジュールなどを含んでもよく、および／または各図に関連して論じるデバイス、構成要素、モジュールなどのすべてを含まなくてもよいことを理解および諒解されたい。これらの手法の組合せも使用され得る。
【００３５】
図１を参照すると、例示的な通信システム１００のいくつかのノードが示されている。説明のために、本開示の様々な態様について、互いに通信する１つまたは複数のデバイス、アクセスポイント、およびネットワークノードに関して説明する。ただし、本明細書の態様は、他のタイプの装置、または他の用語を使用して参照される他の同様の装置に適用可能であり得ることを諒解されたい。たとえば、アクセスポイントは、基地局、ｅノードＢ（ｅＮＢ）、Ｈ（ｅ）ＮＢと総称される（たとえば、ＵＭＴＳにおける）ホームノードＢまたは（たとえば、ＬＴＥにおける）ホームｅＮＢ、フェムトセルまたはピコセルアクセスポイント、モバイル基地局、リレーノード、ホットスポット、ルータ、ゲートウェイなどと呼ばれ得るか、またはそれらとして実装され得、デバイスは、ユーザ機器（ＵＥ）、モバイルデバイス、アクセス端末、モデム（または他のテザーデバイス）などと呼ばれ得るか、またはそれらとして実装され得るか、あるいはそれの一部分などであり得る。
【００３６】
デバイス１０２は、アクセスポイント１０４から１つまたは複数のサービス（たとえば、ネットワーク接続性）を受けることができる。デバイス１０２は、アクセスポイント１０４および／またはシステム１００の１つまたは複数のアクセスポイントによって与えられるカバレージエリア内に設置された、ならびに／あるいはカバレージエリア全体にわたって移動するワイヤードまたはワイヤレスデバイスであり得る。たとえば、様々な時点で、デバイス１０２は、ワイヤードまたはワイヤレスインターフェースを介してアクセスポイント１０４またはシステム１００中の何らかの他のアクセスポイント（図示せず）に接続することができる。これらのアクセスポイントの各々は、ワイドエリアネットワーク接続性を可能にするために、（たとえば、（１つまたは複数の）ネットワークノード１０６によって表される）１つまたは複数のネットワークノードと通信することができる。たとえば、ネットワークノード１０６は、モバイルネットワーク中の１つまたは複数の無線ネットワークノードおよび／またはコアネットワークノードを含むことができる。したがって、様々な例では、ネットワークノード１０６は、（たとえば、運用、アドミニストレーション、管理（ＯＡＭ）、および／またはプロビジョニングエンティティによる）ネットワーク管理、呼制御、セッション管理、モビリティ管理、サブスクリプション管理、ゲートウェイ機能、インターワーキング機能のうちの少なくとも１つなどの機能、または何らかの他の好適なネットワーク機能を表すことができる。ネットワークノード１０６は、モビリティ管理エンティティ（ＭＭＥ）、サービング汎用パケット無線サービス（ＧＰＲＳ）サポートノード（ＳＧＳＮ）、モバイル交換センター（ＭＳＣ）、ビジターロケーションレジスタ（ＶＬＲ）などであり得るモビリティマネージャ１０８、ホーム加入者サーバ（ＨＳＳ）、ホームロケーションレジスタ（ＨＬＲ）などであり得るサブスクリプションサーバ１１０などを含むことができ、それらは、デバイス１０２によってアクセス可能な１つまたは複数のパブリックランドモバイルネットワーク（ＰＬＭＮ）の一部であり得る。
【００３７】
場合によっては、デバイス１０２は、ワイヤレスセルセットに関連付けられた制限付きグループアクセスポイント（たとえば、アクセスポイント１０４）にアクセスすることができる。概して、ワイヤレスセルセットは、定義された関係を有する、（たとえば、アクセスポイント１０４など、少なくとも１つのアクセスポイントによって与えられる）１つまたは複数のセルのセットを備える。ワイヤレスセルセットの一例は限定加入者グループ（ＣＳＧ）である。便宜のために、以下の説明では、ワイヤレスセルセットというより一般的な用語ではなく、単にＣＳＧという用語に言及することがある。ただし、説明する概念が、ワイヤレスセルまたは他の同様のエンティティの他のタイプの定義されたセットまたはグループ（たとえば、制限付きグループ）に適用可能であり得ることを諒解されたい。また、制限付きグループは、本明細書で説明する態様が同様に適用することができる、非メンバーへの低いアクセスレベルを提供することができる（これをハイブリッドモードアクセスと呼ぶか、またはグループ内のセルをハイブリッドセルと呼ぶことがある）。さらに、アクセスポイント１０４などのアクセスポイントは、デバイスがアクセスポイントと通信することができる１つまたは複数のセルを提供することができることを諒解されたい。
【００３８】
図示のように、アクセスポイント１０４は、インターネット１１４にアクセスするためにルータ１１２または他のデバイスに結合され得、アクセスポイント１０４は、デバイス１０２がインターネット１１４を介してネットワークノード１０６と通信することを可能にすることができる。別の例では、アクセスポイント１０４は、直接ブロードバンド接続を使用して（たとえば、モデムを介して）インターネット１１４に接続することができる。さらに、たとえば、アクセスポイント１０４はゲートウェイ１１６に結合され得る。図示された例ではアクセスポイント１０４と共同設置されるものとして示されているが、ゲートウェイ１１６は、アクセスポイント１０４内への実装、アクセスポイント１０４とは別個のエンティティとしての実装などが可能であることを諒解されたい。さらに、たとえば、ルータ１１２は、同様に、アクセスポイント１０４および／またはゲートウェイ１１６との共同設置、アクセスポイント１０４内への実装などが可能である。いずれの場合も、アクセスポイント１０４は、モバイルネットワーク中のノードを対象とする、デバイス１０２からの通信を受信することができ、ルータ１１２を通して通信をネットワークノード１０６にフォワーディングすることができる。たとえば、通信は、１つまたは複数の通信トンネルに関連付けられ得、アクセスポイント１０４は、１つまたは複数の通信トンネルに基づいて（たとえば、１つまたは複数のパケットヘッダ中のトンネル識別子、宛先アドレスなど、１つまたは複数のパラメータに基づいて）、パケットがネットワークノード１０６のうちの１つまたは複数を対象とすると決定することができる。
【００３９】
たとえば、デバイス１０２とゲートウェイ１１６との間の通信を可能にするために、アクセスポイント１０４とデバイス１０２との間に無線ベアラが確立され得る。たとえば、（たとえば、無線ベアラを確立する前に、確立した後に、および／または確立することの一部として）ゲートウェイ１１６と、ネットワークノード１０６など、モバイルネットワークの別の構成要素との間に第１のモバイルネットワークベアラが確立され得、ならびにアクセスポイント１０４とモバイルネットワークの他の構成要素との間に第２のモバイルネットワークベアラが確立され得る。したがって、一例では、ゲートウェイ１１６を対象とする、デバイス１０２に関係する通信は、アクセスポイント１０４からモバイルネットワークの他の構成要素を横断してゲートウェイ１１６に到着することができる。
【００４０】
さらに、たとえば、アクセスポイント１０４は、ネットワークノード１０６上の負荷を減少させること、ローカルネットワークリソースへのアクセスを提供することなどのうちの少なくとも１つを可能にするために、１つまたは複数のローカルＩＰオフロード機能を提供することができる。一例では、アクセスポイント１０４は、デバイス１０２からの通信に対するＳＩＰＴＯを提供することができる。この例では、デバイス１０２が、ネットワークノード１０６またはモバイルネットワークの構成要素を使用することなしにインターネット１１４を介して１つまたは複数のノードと通信することを可能にするために、アクセスポイント１０４とゲートウェイ１１６との間にＳＩＰＴＯベアラまたは他の通信トンネルが確立され得る。一例では、デバイス１０２とアクセスポイント１０４との間の無線ベアラを介して受信されたデータは、アクセスポイント１０４とゲートウェイ１１６との間のＳＩＰＴＯベアラを介して送られ得る。別の例では、通信が、ネットワークノード１０６のうちの１つまたは複数を通して通信する必要がないインターネットノードに関連付けられているとアクセスポイント１０４が決定した場合、アクセスポイント１０４は、前に確立されたベアラを介して受信された通信をオフロードするために、アクセスポイント１０４とゲートウェイ１１６との間のＳＩＰＴＯベアラを利用することができる。たとえば、これは、通信が、ネットワークノード１０６に関係する１つまたは複数のトンネルに関連付けられていないと決定することを含むことができる。この点について、デバイス１０２からのトラフィックは、モバイルネットワーク上の負荷を減少させるために、ネットワークノード１０６を使用することなしにインターネット１１４にアクセスするように、ＳＩＰＴＯを使用してオフロードされ得る。
【００４１】
別の例では、ゲートウェイ１１６は、さらに、それらの間でリソースの共有を行うこと、ルータ１１２を介してインターネット１１４にアクセスすることなどのために、ローカルネットワークデバイス１１８および１２０などと通信する。たとえば、ローカルネットワークデバイス１１８および１２０は、ローカルエリアネットワーク（ＬＡＮ）デバイスまたはワイヤレスＬＡＮ（ＷＬＡＮ）デバイス（たとえば、コンピュータ、サーバ、プリンタ、デジタルビデオレコーダ（ＤＶＲ）、モバイルデバイス、それの一部分、あるいはプロセッサ（またはプロセッサへのアクセス）とネットワークインターフェースとをもつ実質的に任意のデバイスなど）など、ネットワーク中で通信するように動作可能な実質的に任意のデバイスであり得る。さらに、アクセスポイント１０４はゲートウェイ１１６に結合されるので、たとえば、アクセスポイント１０４は、ローカルネットワークデバイス１１８および１２０をもつローカルネットワークに参加し、したがって、ローカルネットワーク中のローカルネットワークデバイス１１８および／または１２０によって提供されたリソースまたはサービスにアクセスすることができ、ならびに／あるいはアクセスポイント１０４に関係するリソースへのアクセスを可能にするかまたはそれにサービスを提供することができる。別の例では、ローカルネットワークデバイス１１８および１２０はルータ１１２に接続され得、ルータ１１２は同様にそれらへのアクセスを提供することができる。
【００４２】
この点について、アクセスポイント１０４は、同様にゲートウェイ１１６とのＬＩＰＡベアラを確立することによって、デバイス１０２にＬＩＰＡを提供することができる。この例では、デバイス１０２などのデバイスは、ローカルネットワークのサービスまたはリソースにアクセスすること、アクセスポイント１０４を介してデバイスのサービスまたはリソースへのアクセスをローカルネットワークデバイス１１８および１２０に提供することなどのうちの少なくとも１つなどのアクションを、ネットワークノード１０６またはモバイルネットワークの同様のノードを横断することなしにアクセスポイント１０４を介してゲートウェイ１１６を通して実行することができる。
【００４３】
本明細書でさらに説明するように、モビリティマネージャ１０８は、デバイス１０２がゲートウェイ１１６のリソースに直接アクセスすることを可能にするために、アクセスポイント１０４においてＬＩＰＡ、ＳＩＰＴＯ、または他のローカルＩＰオフロードコンテキストを確立することを可能にすることができる。モビリティマネージャ１０８においてコンテキストを確立することは、様々なレベルでローカルＩＰオフロードが可能にされるかどうかに関する１つまたは複数のインジケータまたはパーミッションに少なくとも部分的に基づくことができる。たとえば、１つまたは複数のインジケータまたはパーミッションは、デバイス１０２がローカルＩＰオフロードを利用することを可能にされるかどうか（たとえば、１つまたは複数の他のパラメータに基づく）、パケットデータコンテキストの要求がローカルＩＰオフロードに関係するかどうか、アクセスポイント１０４がローカルＩＰオフロードをサポートするかどうか、デバイス１０２がアクセスポイント１０４において（たとえば、および／または関係するＣＳＧを用いて）ローカルＩＰオフロードを利用することを可能にされるかどうか、デバイス１０２が指定されたアクセスポイント名（ＡＰＮ）についてローカルＩＰオフロードを利用することを可能にされるかどうか、ＡＰＮについてアクセスポイント１０４においてローカルＩＰオフロードがサポートされるかどうかなどのうちの１つまたは複数に関係することができる。インジケータまたはパーミッションは、アクセスポイント１０４においてローカルＩＰオフロード機能を制御するために様々なノードから受信され得る。一例では、モビリティマネージャ１０８は、デバイス１０２のサブスクリプションデータを受信するためにサブスクリプションサーバ１１０と通信することができ、サブスクリプションデータは、１つまたは複数のそのようなパーミッションを含むことができる。別の例では、アクセスポイント１０４は、１つまたは複数のそのようなインジケータ（たとえば、ローカルＩＰオフロードをサポートする、ゲートウェイ１１６などのゲートウェイのＩＰアドレス、または別のインジケータ）をモビリティマネージャ１０８に与えることができる。
【００４４】
図２を参照すると、アクセスポイントにおいてローカルＩＰオフロードをサポートすることを可能にする例示的なワイヤレス通信システム２００が示されている。システム２００は、ワイヤレスネットワークへのアクセスを受信するために１つまたは複数のアクセスポイントと通信することができるデバイス２０２と、１つまたは複数のデバイスにオープンアクセスまたは制限付きアクセスあるいはそれらの組合せを提供するアクセスポイント２０４と、１つまたは複数のネットワークと通信することを可能にするゲートウェイ２０６と、１つまたは複数のデバイスが１つまたは複数のコアネットワーク構成要素と通信することを許可するモビリティマネージャ２０８とを含むことができる。一例では、デバイス２０２は、説明したように、ＵＥ、モデム（または他のテザーデバイス）、それの一部分などであり得、アクセスポイントは、フェムトセル、ピコセル、Ｈ（ｅ）ＮＢ、または同様のアクセスポイント、それの一部分などであり得る。さらに、たとえば、ゲートウェイ２０６は、限定はしないが、サービングゲートウェイ（Ｓ−ＧＷ）パケットデータネットワーク（ＰＤＮ）ゲートウェイ（Ｐ−ＧＷ）、ゲートウェイＧＰＲＳサポートノード（ＧＧＳＮ）など、実質的に任意のゲートウェイまたはルータであり得、モビリティマネージャ２０８は、ＭＭＥ、ＳＧＳＮ、ＭＳＣ、ＶＬＲ、または同様のノードであり得る。さらに、説明したように、ゲートウェイ２０６は、共同設置および／または別の例ではアクセスポイント２０４内への実装が可能である。サブスクリプションサーバ２１０は、ＨＳＳ、ＨＬＲ、または同様の構成要素であり得る。さらに、アクセスを可能にするために、示したものの間に追加の構成要素またはノードが存在し得ることを諒解されたい（たとえば、アクセスポイント２０４とゲートウェイ２０６との間、アクセスポイント２０４とモビリティマネージャ２０８との間、モビリティマネージャ２０８とサブスクリプションサーバ２１０との間などに、１つまたは複数のゲートウェイあるいはルータが存在し得る）。
【００４５】
デバイス２０２は、ローカルＩＰオフロード機能（たとえば、ＬＩＰＡ、ＳＩＰＴＯなど）のためのコンテキストを確立することを要求するためのコンテキスト要求構成要素２１２と、ローカルＩＰオフロードを実行するためにコンテキストを利用するためのローカルＩＰオフロード構成要素２１４とを備えることができる。アクセスポイント２０４は、１つまたは複数のデバイス２０２と１つまたは複数のゲートウェイまたは他の構成要素との間で通信することを可能にするための通信構成要素２１６と、アクセスポイント２０４がローカルＩＰオフロードをサポートするかどうかを指定するための、随意のローカルＩＰオフロード指示構成要素２１８とを備えることができる。アクセスポイント２０４はまた、様々なデバイスおよび／または構成要素間に、それらの間でローカルＩＰオフロードデータを通信するためのベアラを確立するためのベアラ確立構成要素２２０を備える。
【００４６】
ゲートウェイ２０６は、アクセスポイントと、モビリティマネージャ、別のゲートウェイ、ローカルネットワーク中の１つまたは複数のノード、ブロードバンド接続上の１つまたは複数のノードなど、１つまたは複数のネットワーク構成要素とからデータを受信するため、および／またはそれらにデータを送信するための通信構成要素２２２を備える。ゲートウェイ２０６は、デバイスが、ローカルＩＰオフロードデータを通信することを可能にするためのコンテキストを生成するためのコンテキスト確立構成要素２２４をさらに備える。モビリティマネージャ２０８は、デバイスがローカルＩＰオフロードデータを通信するためのコンテキストの生成を要求するためのコンテキスト確立構成要素２２６と、ローカルＩＰオフロードがサポートされることを１つまたは複数のインジケータまたはパーミッションが指定するかどうかを決定するためのローカルＩＰオフロードサポート決定構成要素２３０とを備える。モビリティマネージャ２０８はまた、デバイスからローカルＩＰオフロードデータ要求を受信し、および／またはそれに応答するためのゲートウェイを指定するためのゲートウェイ選択構成要素２３２と、様々な構成要素および／またはデバイス間にベアラを確立するように指示するためのベアラ確立構成要素２３４とを備える。サブスクリプションサーバ２１０は、ワイヤレスネットワーク中の１つまたは複数のノードにデバイスのサブスクリプションデータを示すためのサブスクリプションデータ構成要素２３６を備える。
【００４７】
一例によれば、コンテキスト要求構成要素２１２は、パケットデータコンテキスト要求２４２をアクセスポイント２０４に送信することができる。本明細書で言及するパケットデータコンテキストは、ＰＤＮ接続、パケットデータプロトコル（ＰＤＰ）コンテキストなどを備えることができる。たとえば、要求２４２は、アクセスポイント２０４において、ＬＩＰＡ、ＳＩＰＴＯなどのローカルＩＰオフロードのためのパケットデータコンテキストを確立することに関係することができる。通信構成要素２１６は、要求２４２を受信し、モビリティマネージャ２０８にフォワーディングすることができる。たとえば、要求２４２を包含している１つまたは複数のパケットは、モビリティマネージャ２０８の宛先アドレスを含むことができる。一例では、モビリティマネージャ２０８は、アクセスポイント２０４と同様のネットワーク（たとえば、ＰＬＭＮ）の一部であり得、ネットワークがデバイス２０２のホームネットワークであるか訪問先ネットワークであるかにかかわらず、デバイス２０２がネットワークを使用することを許可するために利用され得る。たとえば、説明したように、アクセスポイント２０４は、モバイルネットワーク（図示せず）において１つまたは複数のゲートウェイを介してモビリティマネージャ２０８と通信することができる。いずれの場合も、コンテキスト確立構成要素２２６は、アクセスポイント２０４からのパケットデータコンテキストの要求２４２を取得することができる。
【００４８】
一例では、サブスクリプション要求構成要素２２８は、デバイス２０２に関係するサブスクリプションデータの要求を構築することができ、要求をサブスクリプションサーバ２１０に送信することができる。これは、モビリティマネージャ２０８に関連付けられたネットワークにおいてデバイス２０２が最初に通信することの一部として行われること、パケットデータコンテキストの要求を受信することの一部として行われることなどが可能であることを諒解されたい。サブスクリプションデータ構成要素２３６は、たとえば、サブスクリプションデータの要求を受信することができ、サブスクリプションデータ構成要素２３６は、デバイス２０２の記憶されたサブスクリプションデータをモビリティマネージャ２０８に送信することができる。たとえば、サブスクリプションデータは、デバイス２０２またはその加入者に関係する１つまたは複数の識別情報、デバイス２０２がメンバーであるＣＳＧのリストなど、ＨＳＳまたは同様のサブスクリプションサーバによって記憶されたデータを含むことができる。さらに、サブスクリプションデータ構成要素２３６は、デバイス２０２がローカルＩＰオフロードを利用することができるかどうかを指定する、デバイス２０２の１つまたは複数のローカルＩＰオフロードパーミッション２４０を記憶することができる。
【００４９】
たとえば、ローカルＩＰオフロードパーミッション２４０は、（たとえば、ＡＰＮに少なくとも部分的に基づいて）デバイス２０２が、いくつかのタイプのパケットデータコンテキストについて、概してローカルＩＰオフロードを利用することができるかどうかなどを指定することができる。たとえば、ローカルＩＰオフロードパーミッション２４０は、ＡＰＮのリストを指定するデータ構造を含むことができ、各ＡＰＮは、関連付けられたローカルＩＰオフロードパーミッションを有することができる。別の例では、本明細書でさらに説明するように、ローカルＩＰオフロードパーミッション２４０は、デバイスがローカルＩＰオフロードを利用することを可能にされるＡＰＮのリストを含むことができる。したがって、たとえば、ローカルＩＰオフロードパーミッション２４０は、ＡＰＮのリストを含むことができる。さらに別の例では、サブスクリプション要求構成要素２２８が、デバイス２０２のすべてのローカルＩＰオフロードパーミッション、特定のＡＰＮについてのローカルＩＰオフロードパーミッションなどを明示的に要求することができることを諒解されたい。
【００５０】
いずれの場合も、たとえば、サブスクリプション要求構成要素２２８は、ローカルＩＰオフロードパーミッション２４０を含むことができるサブスクリプションデータを受信することができる。ローカルＩＰオフロードサポート決定構成要素２３０は、追加または代替として、サブスクリプションデータが、パケットデータコンテキスト要求２４２中で指定されたＡＰＮについて、ローカルＩＰオフロードに関係するパーミッションを含むかどうかに少なくとも部分的に基づいて、要求２４２がローカルＩＰオフロードに関係するかどうかを決定することができる。たとえば、これは、サブスクリプションサーバ２１０によって２つ以上の関係するローカルＩＰオフロードパーミッション２４０が通信された場合、関係するローカルＩＰオフロードパーミッション２４０を識別することを含むことができる。対応するローカルＩＰオフロードパーミッションをもつ１つまたは複数のＡＰＮが受信された場合、これはパケットデータコンテキスト要求２４２中で指定されたＡＰＮのパーミッションを探すことを含むことができる。たとえば、ローカルＩＰオフロードをサポートしているＡＰＮのリストが受信された場合、これはＡＰＮのリスト中でＡＰＮを探すことを含むことができる。
【００５１】
ローカルＩＰオフロードサポート決定構成要素２３０が、ローカルＩＰオフロードパーミッション２４０に基づいて、デバイス２０２がローカルＩＰオフロードを可能にされていないか、または要求２４２がローカルＩＰオフロードに関係しないと決定した場合（たとえば、関係するＡＰＮがＡＰＮのリスト中にないか、またはローカルＩＰオフロードがサポートされないことを指定するローカルＩＰオフロードパーミッションを有する場合）、コンテキスト確立構成要素２２６は、要求されたコンテキストを確立しないと決定することができ、デバイス２０２に与えるためのそのコンテキストが確立されないという拒否または他の指示をアクセスポイント２０４に送信することができる。ローカルＩＰオフロードサポート決定構成要素２３０が、ローカルＩＰオフロードパーミッション２４０に基づいて、デバイス２０２がローカルＩＰオフロードを利用することを可能にされると決定した場合、ゲートウェイ選択構成要素２３２は、たとえば説明したように、ローカルＩＰオフロード機能を提供するためのゲートウェイを決定することができる。
【００５２】
追加または代替例では、ローカルＩＰオフロード指示構成要素２１８は、アクセスポイント２０４がローカルＩＰオフロードをサポートするかどうかを指定するローカルＩＰオフロードインジケータ２３８を、デバイス２０２からフォワーディングされた要求中（たとえば、各パケットデータコンテキスト要求中、ローカルＩＰオフロードに関係する各パケットデータコンテキスト要求中など）に随意に挿入することができる。コンテキスト確立構成要素２２６は、パケットデータコンテキスト要求２４２中でローカルＩＰオフロードインジケータ２３８を受信することができ、ローカルＩＰオフロードサポート決定構成要素２３０は、追加または代替として、ローカルＩＰオフロードインジケータ２３８に基づいて、アクセスポイント２０４においてローカルＩＰオフロードがサポートされることを検証することができる。一例では、ローカルＩＰオフロードインジケータ２３８は、ローカルＩＰオフロードに関係するゲートウェイ（たとえば、デバイス２０２からローカルＩＰオフロードデータを受信するゲートウェイ）のアドレスであり得、および／またはそれを含むことができ、したがって、ゲートウェイ選択構成要素２３２は、アドレスにさらに少なくとも部分的に基づいてゲートウェイを決定することができる。
【００５３】
たとえば、ゲートウェイは、ゲートウェイ２０６または異なるゲートウェイであり得る。ローカルＩＰオフロードインジケータ２３８中でゲートウェイアドレスが受信されない場合、たとえば、ゲートウェイ選択構成要素２３２は１つまたは複数の識別子のドメインネームサービス（ＤＮＳ）ルックアップに少なくとも部分的に基づいてゲートウェイを決定することができる。たとえば、これは、デバイス２０２またはアクセスポイント２０４に関係する、ルーティングエリア識別子（ＲＡＩ）、ＡＰＮなど、１つまたは複数の識別子の（たとえば、（１つまたは複数の）識別子から生成された完全修飾ドメイン名に基づく）ＤＮＳルックアップを含むことができる。別の例では、説明したように、１つまたは複数の識別子の少なくとも一部分は、デバイス２０２のサブスクリプションデータ中で受信され得る。たとえば、コンテキスト確立構成要素２２６は、パケットデータコンテキスト要求２４２の一部として、ならびに／あるいはアクセスポイント２０４および／またはデバイス２０２と初めに通信するときに識別子を受信することができる。別の例では、識別子および／またはゲートウェイアドレスは、デバイスサブスクリプションデータ中で受信され得る。図示された例では、いずれの場合も、ゲートウェイ選択構成要素２３２は、ゲートウェイ２０６を選択すると決定することができ、コンテキスト確立構成要素２２６は、デバイス２０２のゲートウェイ２０６からデバイス２０２のパケットデータコンテキストの確立を要求することができる。コンテキスト確立構成要素２２４は、要求を受信することができ、デバイス２０２がローカルＩＰオフロード（たとえば、ＬＩＰＡ、ＳＩＰＴＯなど）をサポートするためのパケットデータコンテキスト２４４を確立することができる。
【００５４】
一例では、コンテキスト確立構成要素２２４は、パケットデータコンテキスト２４４の確立が成功したか失敗したかについてモビリティマネージャ２０８に通知することができる。確立が失敗した場合、コンテキスト確立構成要素２２６は、デバイス２０２に与えるために失敗についてアクセスポイント２０４に通知することができる。確立が成功した場合、たとえば、ベアラ確立構成要素２３４は、パケットデータコンテキストに関係するローカルＩＰオフロードデータをデバイス２０２からゲートウェイ２０６に通信するために、アクセスポイント２０４からゲートウェイ２０６へのベアラの確立を要求することができる。説明したように、たとえば、これは、ゲートウェイ２０６とモバイルネットワーク構成要素（たとえば、Ｓ−ＧＷ）との間に確立されたベアラと、アクセスポイント２０４とモバイルネットワーク構成要素との間に確立されたベアラとに追加され得る。ローカルＩＰオフロードデータを通信するときに、アクセスポイント２０４とゲートウェイ３０６との間のベアラの確立は、モバイルネットワークの回避を可能にすることができる。ベアラ確立構成要素２２０は、要求を受信することができ、デバイス２０２からのローカルＩＰオフロードデータのためのベアラを確立しようと試みることができる。さらに、たとえば、ベアラ確立構成要素２３４は、説明したように、デバイス２０２との対応する無線ベアラを確立したいという要求を含むことができ、ベアラ確立構成要素２２０は、デバイス２０２との無線ベアラを確立することができる。ベアラ確立構成要素２３４は、アクセスポイント２０４においてベアラをパケットデータコンテキストに関連付けることを可能にするために、パケットデータコンテキスト２４４に関する情報をベアラ確立要求中にさらに含めることができる。ベアラ確立が失敗した場合、たとえば、アクセスポイント２０４はモビリティマネージャ２０８に通知することができ、コンテキスト確立構成要素２２６は、デバイス２０２に与えるためのコンテキスト確立が失敗したことの指示をアクセスポイント２０４に送信することができる。さらに、一例では、コンテキスト確立構成要素２２６はゲートウェイ２０６に通知することができる（たとえば、ゲートウェイ２０６はパケットデータコンテキスト２４４を削除することができる）。
【００５５】
ただし、ベアラ確立が成功した場合、コンテキスト確立構成要素２２６はデバイス２０２のゲートウェイ２０６によって作成されたパケットデータコンテキスト２４４をベアラに関連付けることができる。コンテキスト確立構成要素２２６は、（たとえば、アクセスポイント２０４を介して）パケットデータコンテキスト２４４をデバイス２０２に与えることができる。コンテキスト要求構成要素２１２は、パケットデータコンテキスト２４４を取得することができる。この点について、ローカルＩＰオフロード構成要素２１４は、ローカルＩＰオフロード通信のためのアクセスポイント２０４とのパケットデータコンテキスト２４４および／または無線ベアラを使用してアクセスポイント２０４と通信することができる。通信構成要素２１６は、（たとえば、ローカルＩＰオフロード通信のための確立された無線ベアラを介して、通信を受信することに少なくとも部分的に基づいて）パケットデータコンテキスト２４４に関係する通信を識別することができ、ローカルＩＰオフロード通信をゲートウェイ２０６にルーティングするために、ゲートウェイ２０６との対応するベアラを利用することができる。
【００５６】
一例では、説明したように、ローカルＩＰオフロード機能はＬＩＰＡであり得る。したがって、コンテキスト要求構成要素２１２は、ＬＩＰＡのためのパケットデータコンテキスト要求２４２を送信することができる。一例では、これは、ＬＩＰＡを利用するＡＰＮについてパケットデータコンテキストを要求することを含むことができる。この例では、コンテキスト確立構成要素２２６はパケットデータコンテキスト要求２４２を受信することができ、ローカルＩＰオフロードサポート決定構成要素２３０は、サブスクリプション要求構成要素２２８によって取得された、デバイス２０２のサブスクリプションデータに少なくとも部分的に基づいて、デバイス２０２がＡＰＮをＬＩＰＡに関連付けるかどうかを決定することができる。説明したように、たとえば、これは、１つまたは複数のローカルＩＰオフロードパーミッション２４０が、ＡＰＮについてＬＩＰＡが可能にされることを指定するかどうかを決定することを含むことができる。ＬＩＰＡが可能にされることを指定した場合、この例では、コンテキスト確立構成要素２２６は、説明したように、ＬＩＰＡ要求が、ゲートウェイＩＰアドレスなどのローカルＩＰオフロードインジケータ２３８を含むかどうかを決定することができる。ローカルＩＰオフロードインジケータ２３８が含まれていない（たとえば、および／またはインジケータが、ＬＩＰＡを可能にしないように設定された）場合、一例では、コンテキスト確立構成要素２２６は、説明したように、パケットデータコンテキストの確立を控えることができ、コンテキスト確立の失敗についてデバイス２０２に通知することができる。
【００５７】
ＬＩＰＡ要求がローカルＩＰオフロードインジケータ２３８を含む場合、および／またはアクセスポイント２０４においてＬＩＰＡが可能にされることをインジケータが指定する場合、ローカルＩＰオフロードサポート決定構成要素２３０は、デバイス２０２のためのＬＩＰＡを確立すると決定することができ、ゲートウェイ選択構成要素２３２は、上記のことを行うための、ローカルＩＰオフロードインジケータ２３８によって示されるゲートウェイを選択することができる。説明したように、ベアラ確立構成要素２２０は、ＬＩＰＡを利用するための作成されたパケットデータコンテキストに関連付けられた、アクセスポイント２０４とゲートウェイ２０６との間のＬＩＰＡベアラ（および／またはアクセスポイント２０４とデバイス２０２との間の対応する無線ベアラ）を確立することができる。通信構成要素２１６は、デバイス２０２の確立されたＬＩＰＡベアラを介してＬＩＰＡ要求をゲートウェイ２０６にフォワーディングすることができる。通信構成要素２２２は、説明したように、ベアラを介してＬＩＰＡ要求を受信することができ、したがって、ＩＰまたは同様のネットワークにおいてゲートウェイ２０６と通信する１つまたは複数のローカルネットワークデバイス（図示せず）に対するＬＩＰＡを提供することができる。同様に、通信構成要素２２２は、ローカルネットワークデバイスからデバイス２０２に（たとえば、通信構成要素２１６を使用してアクセスポイントを通して）データを通信するために、ＬＩＰＡベアラを利用することができる。
【００５８】
さらに、一例では、デバイスサブスクリプションデータに加えて、サブスクリプションデータ構成要素２３６は、デバイス２０２がメンバーである１つまたは複数のＣＳＧを含む、デバイス２０２のＣＳＧサブスクリプションデータをさらに与えることができ、サブスクリプション要求構成要素２２８はそれをさらに受信することができる。ＣＳＧサブスクリプションデータは、ＬＩＰＡがサポートされる所与のＣＳＧ内の各ＡＰＮについての１つまたは複数のローカルＩＰオフロードパーミッション２４０を含むことができる。説明したように、これは、その各々が、対応するＬＩＰＡパーミッションを有する、所与のＣＳＧに関連付けられたＡＰＮのリスト、ＣＳＧにおいてＬＩＰＡをサポートするＡＰＮのリストなどであり得る。この点について、ローカルＩＰオフロードサポート決定構成要素２３０は、ＡＰＮおよびアクセスポイント２０４に関係するＣＳＧについてのローカルＩＰオフロードパーミッション２４０にさらに少なくとも部分的に基づいて、デバイス２０２へのローカルＩＰオフロードを行うべきかどうかを決定することができる。したがって、たとえば、ローカルＩＰオフロードサポート決定構成要素２３０は、ＣＳＧサブスクリプションデータが、アクセスポイント２０４のＣＳＧに関係するパラメータを含むかどうかを見分けることができる。含む場合、ローカルＩＰオフロードサポート決定構成要素２３０は、ＡＰＮに対応するパラメータから情報を取り出すことができる。
【００５９】
この例では、説明したように、情報がＣＳＧ中のＡＰＮについてのローカルＩＰオフロードパーミッション２４０を含む場合、ローカルＩＰオフロードサポート決定構成要素２３０は、ＣＳＧ中のＡＰＮがＬＩＰＡをサポートすることを検証することができる。ＡＰＮについてのローカルＩＰオフロードパーミッション２４０がＣＳＧのパラメータ中に存在しない（たとえば、またはＬＩＰＡが可能にされないことをパーミッションが指定する）場合、説明したように、コンテキスト確立構成要素２２６は、コンテキストを確立することを控え、デバイス２０２に失敗を示すことができる。
【００６０】
さらに、たとえば、特定のＡＰＮについてのローカルＩＰオフロードパーミッション２４０は、ＡＰＮがＬＩＰＡ専用（パケットデータコンテキストを確立するためにＬＩＰＡが必要である）、ＬＩＰＡ禁止（パケットデータコンテキストがモバイルネットワークを通して確立される）、ＬＩＰＡ条件付き（サポートされる場合、ＬＩＰＡがパケットデータコンテキスト用に初期化され得、他の場合、モバイルネットワークを通してパケットデータコンテキストが確立される）などであると指定することができる。たとえば、デバイスサブスクリプションデータ中で受信されたローカルＩＰオフロードパーミッション２４０が、ＡＰＮについてＬＩＰＡ専用を指定する場合、ローカルＩＰオフロードサポート決定構成要素２３０は、（たとえば、アクセスポイント２０４によって）ＬＩＰＡがサポートされるかどうかなどを決定するために、他のＬＩＰＡインジケータを受信し、分析することができる。ＬＩＰＡがサポートされない場合、説明したように、コンテキスト確立構成要素２２６は、パケットデータコンテキストを確立することを控えることができ、コンテキスト確立の失敗についてデバイス２０２に通知することができる。たとえば、他のＬＩＰＡインジケータは、ローカルＩＰオフロードインジケータ２３８、アクセスポイント２０４または他のノードから受信された、アクセスポイント２０４においてＬＩＰＡがサポートされるＡＰＮのリスト、アクセスポイント２０４に関係するＣＳＧがＣＳＧサブスクリプションデータ中のＡＰＮに対応するＣＳＧであるかどうかを指定するパーミッションなどを含むことができる。
【００６１】
ただし、ローカルＩＰオフロードパーミッション２４０が条件付きＬＩＰＡを指定し、他のローカルＩＰオフロードインジケータに基づいて、ＬＩＰＡがサポートされないとローカルＩＰオフロードサポート決定構成要素２３０が決定した場合、ゲートウェイ選択構成要素２３２は、モバイルネットワークを通してパケットデータコンテキストを確立するためのゲートウェイを決定することができる。たとえば、ゲートウェイに関係する識別子またはアドレスの少なくとも一部分は、サブスクリプション要求構成要素２２８によって、サブスクリプションデータ構成要素２３６から受信されたサブスクリプションデータ中で受信され得る（たとえば、サブスクリプションデータ中でおよび／またはアクセスポイント２０４から受信された１つまたは複数のＲＡＩ、ＡＰＮなど、識別子のＤＮＳルックアップを必要とすることも必要としないこともある）。したがって、パケットデータコンテキストは、ＬＩＰＡを使用しない場合でも確立される。
【００６２】
特定の例では、ローカルＩＰオフロードパーミッション２４０は、アクセスポイント２０４に関係するローカルネットワーク中のプリンタに関係するＡＰＮ「プリンタ（ｐｒｉｎｔｅｒ）」についてＬＩＰＡ専用を指定することができる。この例では、デバイス２０２がアクセスポイント２０４と通信している場合、ローカルＩＰオフロードサポート決定構成要素２３０は、アクセスポイント２０４が「（プリンタ）ｐｒｉｎｔｅｒ」ＡＰＮについてＬＩＰＡをサポートするかどうかを決定することができる。説明したように、これは、（たとえば、デバイス２０２のＣＳＧサブスクリプション情報の一部などとして）アクセスポイント２０４について受信されたサポートされるＡＰＮのリスト中に「プリンタ（ｐｒｉｎｔｅｒ）」ＡＰＮが存在するかどうかを決定することに基づくことができる。別の例では、これは、（たとえば、ＣＳＧサブスクリプション情報中で受信された）アクセスポイント２０４のＣＳＧのＡＰＮに「（プリンタ）ｐｒｉｎｔｅｒ」ＡＰＮが記載されているかどうかを決定することなどを含むことができる。記載されていない場合、説明したように、コンテキスト確立構成要素２２６は、パケットデータコンテキストを確立することを拒否することができる。記載されている場合、説明したように、「プリンタ（ｐｒｉｎｔｅｒ）」ＡＰＮへのＬＩＰＡのためのパケットデータコンテキストが確立され得る。
【００６３】
ただし、別の特定の例では、アクセスポイント２０４が、ＡＰＮ「コーポレイト（ｃｏｒｐｏｒａｔｅ）」に関係するエンタープライズのネットワーク中にある場合、ローカルＩＰオフロードパーミッション２４０は、ＡＰＮ「コーポレイト（ｃｏｒｐｏｒａｔｅ）」についてＬＩＰＡ条件付きを指定することができる。ローカルＩＰオフロードサポート決定構成要素２３０は、たとえば、デバイス２０２のＣＳＧサブスクリプション情報中で受信されたＡＰＮのリスト、ＣＳＧがＡＰＮに対応することの検証などに基づいて、アクセスポイント２０４が「コーポレイト（ｃｏｒｐｏｒａｔｅ）」ＡＰＮについてＬＩＰＡをサポートするかどうかを同様に決定することができる。サポートしない場合、ゲートウェイ選択構成要素２３２は、「コーポンレイト（ｃｏｒｐｏｒａｔｅ）」ＡＰＮと通信することを可能にするための、モバイルネットワークのゲートウェイ（図示せず）を決定することができ、非ＬＩＰＡパケットデータコンテキストが確立され得る。サポートする場合、説明したように、ゲートウェイ選択構成要素２３２は、ＬＩＰＡパケットデータコンテキストを確立するための、ローカルＩＰオフロードインジケータ２３８によって示されたゲートウェイを選択することができる。したがって、デバイス２０２がエンタープライズ内にあり、エンタープライズネットワーク中のアクセスポイント２０４と通信することができる場合、モバイルネットワークを使用することなしに通信を可能にするためにＬＩＰＡが確立され得る。ただし、デバイス２０２がエンタープライズの外部にあり、エンタープライズネットワーク上にないアクセスポイント２０４と通信している場合、エンタープライズネットワークとの通信をトンネリングするために仮想プライベートネットワーク（ＶＰＮ）を利用するためのモバイル接続が確立され得る。
【００６４】
別の例では、ローカルＩＰオフロード機能はＳＩＰＴＯであり得る。この例では、アクセスポイントは、アクセスポイント２０４においてＳＩＰＴＯがサポートされるかどうかをローカルＩＰオフロードインジケータ２３８中で示さないことがある。したがって、ローカルＩＰオフロードサポート決定構成要素２３０は、デバイス２０２がＳＩＰＴＯを使用することを可能にされるかどうかに少なくとも部分的に基づいて、デバイス２０２に対するＳＩＰＴＯを提供すべきかどうかを決定することができる。たとえば、これは、（たとえば、上記で説明したように、１つまたは複数の対応するローカルＩＰオフロードパーミッション２４０を含むことができる、サブスクリプション要求構成要素２２８によって受信されたサブスクリプションデータに従って）パケットデータコンテキストの要求中のＡＰＮがＳＩＰＴＯ  ＡＰＮであるかどうかを決定することを含むことができる。ＳＩＰＴＯ  ＡＰＮである場合、ゲートウェイ選択構成要素２３２は、（たとえば、完全修飾ドメインネームを形成するために）デバイス２０２またはアクセスポイント２０４の１つまたは複数の識別子を使用してＤＮＳルックアップを実行することに少なくとも部分的に基づいて、デバイス２０２に対するＳＩＰＴＯを提供するためのゲートウェイを決定することができる。一例では、識別子は、デバイスサブスクリプションデータ中でＲＡＩ、ＡＰＮなどとして受信されること、アクセスポイント２０４から（たとえば、パケットデータコンテキストの要求中で受信されること、および／またはゲートウェイ選択構成要素２３２によって送られたゲートウェイの要求への後続の応答中またはそれ以外で）受信されることなどが可能である。ゲートウェイ２０６が識別されると、コンテキスト確立構成要素２２６はコンテキスト確立を要求することができ、ベアラ確立構成要素２３４は、コンテキストに関連付けるための、アクセスポイント２０４とゲートウェイ２０６との間のベアラ（および／または、説明したように、アクセスポイント２０４とデバイス２０２との間の対応する無線ベアラ）の確立を要求することなどができる。次いで、ローカルＩＰオフロード構成要素２１４は、説明したように、ＳＩＰＴＯを使用して通信するためのコンテキストを使用することができる。
【００６５】
図３を参照すると、デバイスのパケットデータコンテキストを非アクティブ化することを可能にする例示的なワイヤレス通信システム３００が示されている。システム３００は、ワイヤレスネットワークへのアクセスを受信するためにアクセスポイント３０４と通信するデバイス３０２を備えることができる。アクセスポイント３０４は、たとえば、デバイス３０２がモバイルネットワークにアクセスするために、ゲートウェイ３０６と通信することができる。一例では、説明したように、ゲートウェイ３０６は、モビリティマネージャ３０８あるいは１つまたは複数の他のネットワークノードと通信することができる。システム３００はまた、デバイス３０２がワイヤレスネットワークアクセスを受信するために通信することができる別のアクセスポイント３１０を含む。さらに、説明したように、デバイス３０２は、ＵＥ、モデム（または他のテザーデバイス）、それの一部分などであり得、アクセスポイント３０４および３１０は、それぞれフェムトセル、ピコセル、Ｈ（ｅ）ＮＢ、または同様のアクセスポイント、それの一部分などであり得る。さらに、たとえば、ゲートウェイ３０６は、限定はしないが、パケットデータネットワーク（ＰＤＮ）ゲートウェイ、ＧＧＳＮなど、実質的に任意のゲートウェイまたはルータであり得、モビリティマネージャ３０８は、ＭＭＥ、ＳＧＳＮ、ＭＳＣ、ＶＬＲ、または同様のノードであり得る。さらに、アクセスを可能にするために、追加の構成要素またはノードが、示したものの間に存在し得ることを諒解されたい（たとえば、１つまたは複数の追加のゲートウェイは、アクセスポイント３０４とゲートウェイ３０６との間、ゲートウェイ３０６とモビリティマネージャ３０８との間などに存在し得る）。
【００６６】
デバイス３０２は、説明したように、ローカルＩＰオフロード（たとえば、ＬＩＰＡ、ＳＩＰＴＯなど）のためのパケットデータコンテキストを要求するためのコンテキスト要求構成要素２１２と、ローカルＩＰオフロードを実行するためのパケットデータコンテキストを利用するためのローカルＩＰオフロード構成要素２１４とを備えることができる。上記で説明したように、モビリティマネージャ３０８は、デバイスのパケットデータコンテキストを作成するためのコンテキスト確立構成要素２２６を含むことができる。説明したように、モビリティマネージャ３０８はまた、デバイスがアクセスポイントとのローカルＩＰオフロードを使用しているかどうかを見分けるためのローカルＩＰオフロードステータス決定構成要素３１２と、１つまたは複数のパラメータに従ってパケットデータコンテキストを非アクティブ化するためのコンテキスト非アクティブ化構成要素３１４と、パケットデータコンテキストのためのベアラを確立するためのベアラ確立構成要素２３４とを備える。
【００６７】
一例によれば、コンテキスト要求構成要素２１２は、説明したように、アクセスポイント３０４においてローカルＩＰオフロードを利用するためのパケットデータコンテキストの確立を要求することができる。コンテキスト確立構成要素２２６は、説明したように、パケットデータコンテキストを確立することができ、デバイス２０２に通知することができる。この点について、デバイス３０２、アクセスポイント３０４、ゲートウェイ３０６、およびモビリティマネージャ３０８が、それぞれデバイス２０２、アクセスポイント２０４、ゲートウェイ２０６、およびモビリティマネージャ２０８と同様のものであり得、したがって、図２で説明したのと同様の構成要素を含むことができることを諒解されたい。さらに、ただし、デバイス３０２は、ワイヤレスネットワーク中のアクセスポイントから再選択することができる（たとえば、デバイスがワイヤレスネットワーク全体にわたって移動し、異なるアクセスポイントから改善された信号品質を受信するときなど）。一例では、デバイス３０２は、同じくモビリティマネージャ３０８および／またはワイヤレスネットワークの他の構成要素と通信することができるアクセスポイント３１０を再選択することができる。一例では、アクセスポイント３０４および３１０は、同じＨ（ｅ）ＮＢの異なるセルであり得る。別の例では、アクセスポイント３０４はＨ（ｅ）ＮＢであり得、アクセスポイント３１０はｅＮＢであり得る。アクセスポイント３１０は、たとえば、ゲートウェイ３０６あるいは１つまたは複数の他のゲートウェイを使用してモビリティマネージャ３０８と通信することができる。
【００６８】
アクセスポイント３１０を再選択すると、コンテキスト非アクティブ化構成要素３１４は、アクセスポイント３０４との確立されたパケットデータコンテキストを非アクティブ化すべきかどうかを決定することができる。一例では、コンテキスト要求構成要素２１２は、ローカルＩＰオフロードのためのパケットデータコンテキストの確立を要求することができる（たとえば、および／またはデバイス３０２は、他の場合、アクセスポイント３１０への登録を要求することができる）。たとえば、パケットデータコンテキストは、説明したように、アクセスポイント３０４を通して初期化されたコンテキストを使用してローカルＩＰオフロードを続けるように要求され得る。場合によっては、別のアクセスポイント３１０を通して通信するとき、モビリティマネージャ３０８はデバイス３０２の同じパケットデータコンテキストを使用することが望ましいことがある。たとえば、ローカルＩＰオフロードステータス決定構成要素３１２は、デバイス３０２が、パケットデータコンテキストを確立しているかどうかを決定することができる。たとえば、これは、パケットデータコンテキストに関係する１つまたは複数のパラメータを分析することを含むことができる。パラメータが存在する場合、たとえば、ローカルＩＰオフロードステータス決定構成要素３１２は、デバイス３０２が、別のアクセスポイント（たとえば、アクセスポイント３０４）とのパケットデータコンテキストを確立していると決定することができ、したがって、ローカルＩＰオフロードステータス決定構成要素３１２は、パケットデータコンテキストを維持すべきか、またはデバイス３０２の新しいパケットデータコンテキストのほうを優先して非アクティブ化すべきかを決定することができる。
【００６９】
たとえば、ローカルＩＰオフロードステータス決定構成要素３１２は、説明したように、デバイス３０２からのパケットデータコンテキストの要求中のローカルＩＰオフロードインジケータとしてアクセスポイント３０４から受信されたゲートウェイのアドレス、ならびにデバイス３０２からのパケットデータコンテキストの別の要求中のローカルＩＰオフロードインジケータとしてアクセスポイント３１０から受信されたゲートウェイの別のアドレスを取得することができる。アドレスが同じである場合、たとえば、ローカルＩＰオフロードステータス決定構成要素３１２は現在のパケットデータコンテキストを維持することができ、ベアラ確立構成要素２３４は、アクセスポイント３１０とゲートウェイ３０６との間のベアラおよび／またはデバイス３０２とアクセスポイント３１０との間の無線ベアラの確立を要求することができる。この点について、コンテキスト確立構成要素２２６は、パケットデータコンテキストを１つまたは複数のベアラに関連付けることができ、デバイス３０２へのパケットデータコンテキストならびに／あるいは現在のパケットデータコンテキストを利用し続けることができるという指示を与えることができる。
【００７０】
アクセスポイント３１０が、ローカルＩＰオフロードインジケータ中の同じゲートウェイアドレスを示さない場合、たとえば、コンテキスト非アクティブ化構成要素３１４は、アクセスポイント３０４からの要求に基づいて確立されたパケットデータコンテキストを非アクティブ化することができる。たとえば、コンテキスト非アクティブ化構成要素３１４は、パケットデータコンテキストを削除するようにゲートウェイ３０６に通知することができ、ベアラ確立構成要素２３４は、パケットデータコンテキストに関連付けられた、デバイス３０２とアクセスポイント３０４との間のベアラが非アクティブ化され得ることなどをアクセスポイント３０４に通知することができる。さらに、次いで、コンテキスト確立構成要素２２６は、上記で説明したように、アクセスポイント３１０からのローカルＩＰオフロードインジケータ中で指定された別のゲートウェイ（図示せず）を通して、デバイス３０２におけるローカルＩＰオフロードのための新しいパケットデータコンテキストを作成することができる。別の例では、ローカルＩＰオフロードステータス決定構成要素３１２は、アクセスポイント３１０が、（たとえば、ゲートウェイ３０６によって指定され得る）ゲートウェイ３０６を使用してローカルＩＰオフロードを行うための範囲または地理的領域内にあるかどうかを決定することができる。領域内にない場合、コンテキスト非アクティブ化構成要素３１４は、説明したように、アクセスポイント３０４からの要求などに基づいて確立されたパケットデータコンテキストを非アクティブ化することができる。
【００７１】
さらに別の例では、ローカルＩＰオフロードステータス決定構成要素３１２は、コンテキスト確立構成要素２２６が、ローカルＩＰオフロードを使用するための、アクセスポイント３０４とのパケットデータコンテキストを作成するとき、アクセスポイント３０４に関係する識別子を維持することができる。デバイス３０２からアクセスポイント３１０に関係するパケットデータコンテキストの要求を受信すると、ローカルＩＰオフロードステータス決定構成要素３１２は、識別子をアクセスポイント３１０の同様の識別子と比較することができる。識別子が一致しない場合、たとえば、説明したように、コンテキスト非アクティブ化構成要素３１４はコンテキストなどを非アクティブ化することができる。たとえば、識別子は、アクセスポイント３０４およびアクセスポイント３１０のグローバルセル識別子、アクセスポイント３０４およびアクセスポイント３１０のＣＳＧ識別子などに関係することができる。したがって、たとえば、識別子がアクセスポイント３０４および３１０のＣＳＧ識別子である場合、コンテキスト非アクティブ化構成要素３１４は、デバイス３０２が１つのＣＳＧから別のＣＳＧに移動したとき、パケットデータコンテキストを非アクティブ化する。
【００７２】
図４を参照すると、１つまたは複数のローカルＩＰオフロードパラメータをアクセスポイント４０２に通信するための例示的なワイヤレス通信システム４００が示されている。システム４００は、１つまたは複数のデバイスにワイヤレスネットワークアクセスを提供することができ、アクセスポイント２０４、３０４、および／または３１０と同様のものであり得るアクセスポイント４０２を備える。システム４００はまた、１つまたは複数のパラメータをアクセスポイントおよび／またはワイヤレスネットワーク中の他のノードにプロビジョニングするＯＡＭサーバ４０４を備える。たとえば、ネットワーク事業者は、ＯＡＭサーバ４０４においてノードに与えるパラメータを設定することができる。
【００７３】
アクセスポイント４０２は、アクセスポイント４０２の１つまたは複数のローカルＩＰオフロードパラメータを取得するためのパラメータ受信構成要素４０６と、ローカルＩＰオフロードインジケータを１つまたは複数のノードに与えるためのローカルＩＰオフロード指示構成要素２１８とを備えることができる。ＯＡＭサーバ４０４は、１つまたは複数のローカルＩＰオフロードパラメータをアクセスポイント４０２に与えるためのパラメータプロビジョニング構成要素４０８を備えることができる。
【００７４】
一例によれば、パラメータプロビジョニング構成要素４０８は、アクセスポイント４０２の１つまたは複数のローカルＩＰオフロードパラメータ４１０を記憶することができる。たとえば、ローカルＩＰオフロードパラメータ４１０は、アクセスポイント４０２がローカルＩＰオフロードをサポートすべきかどうかを指定するパラメータを含むことができる。たとえば、ローカルＩＰオフロードパラメータはネットワーク事業者によって設定され得る。さらに、たとえば、パラメータプロビジョニング構成要素４０８によって記憶されたローカルＩＰオフロードパラメータ４１０は、ＡＰＮのリストおよび／または関係するローカルＩＰオフロードパラメータを含むことができる。いずれの場合も、パラメータプロビジョニング構成要素４０８は、ローカルＩＰオフロードパラメータ４１０のうちの１つまたは複数をアクセスポイント４０２に通信することができる。パラメータ受信構成要素４０６は、前に説明したように、ローカルＩＰオフロードインジケータ２３８と同様のものであり得、および／またはそれを含むことができる、ローカルＩＰオフロードパラメータ４１０を取得することができる。
【００７５】
ローカルＩＰオフロード指示構成要素２１８は、説明したように、ローカルＩＰオフロードパラメータ４１０に少なくとも部分的に基づいて、ローカルＩＰオフロードサポートのインジケータを、モビリティマネージャ、デバイスなど、ワイヤレスネットワーク中の１つまたは複数のノードに通信することができる。たとえば、アクセスポイント４０２についてローカルＩＰオフロードが有効化されていることを１つまたは複数のローカルＩＰオフロードパラメータ４１０が指定する場合、ローカルＩＰオフロード指示構成要素２１８は、アクセスポイント４０２がローカルＩＰオフロードをサポートすることを示すために、１つまたは複数のデバイスからのコンテキスト確立要求中にゲートウェイのＩＰアドレスを含めることができる。
【００７６】
図５を参照すると、ＰＤＰコンテキストを確立するためのシステム５００の例示的なメッセージフロー図が示されている。システム５００は、ワイヤレスネットワークへのアクセスを受信するために、無線ネットワークコントローラ（ＲＮＣ）５０４（たとえば、および／またはそれに関係する１つまたは複数のアクセスポイント）と通信するＵＥ５０２を備える。システム５００はまた、ＳＧＳＮ５０６とＧＧＳＮ５０８とを備える。ＵＥ５０２、ＲＮＣ５０４、ＳＧＳＮ５０６、およびＧＧＳＮ５０８は、ＵＭＴＳにおいてＵＥ５０２のためのＰＤＰコンテキストを確立するために、互いと、および／または他のノードと対話することができる。説明を簡単にするために、すべてのステップが示されているわけではなく、この例は、ローカルＩＰオフロード機能を提供するように変更され得るステップを示していることを諒解されたい。一例では、ＵＥ５０２は、ＰＤＰコンテキストの確立を要求するＰＤＰコンテキストアクティブ化要求５１０を（たとえば、ＲＮＣ５０４を介して）ＳＧＳＮ５０６に送信することができる。一例では、説明したように、ＲＮＣ５０４は、（たとえば、ＧＧＳＮ５０８などのアドレスを備えることができる）ＰＤＰコンテキストアクティブ化要求５１０をフォワーディングするとき、ローカルＩＰオフロードインジケータを含めることができる。たとえば、ＧＧＳＮ５０８はＲＮＣ５０４の同様のローカルＩＰネットワーク中のローカルゲートウェイであり得るか、またはＲＮＣ５０４中などに共同設置され得る。ＧＳＮ５０６は、（１つまたは複数の）ローカルＩＰオフロードパーミッションまたは（１つまたは複数の）ローカルＩＰオフロードインジケータを検証することができる（５１２）。たとえば、これは、ＵＥ５０２からフォワーディングされたＰＤＰコンテキストアクティブ化要求５１０中でＲＮＣ５０４から受信されたローカルＩＰオフロードインジケータを検証することを含むことができる。別の例では、説明したように、ＳＧＳＮ５０６は、（たとえば、ＲＮＣ５０４に関係するＡＰＮ、ＣＳＧなどに固有の）ＵＥ５０２についての受信されたサブスクリプションデータ中の１つまたは複数のローカルＩＰオフロードパーミッションを検証することができる。さらに、説明したように、検証することは、ＲＮＣ５０４のＣＳＧがＵＥ５０２のＣＳＧサブスクリプションデータ中の特定のＡＰＮについてローカルＩＰオフロードをサポートすることを検証することを含むことができる。さらに別の例では、追加または代替として、検証することは、ＲＮＣ５０４が特定のＡＰＮについてローカルＩＰオフロードをサポートするかどうかを決定すること含むことができる。
【００７７】
１つまたは複数のパーミッションおよび／またはインジケータが検証された場合、たとえば、ＳＧＳＮ５０６は、ＲＮＣ５０４とのローカルＩＰオフロードを利用するために、ＵＥ５０２のＰＤＰコンテキストを作成するためのＰＤＰコンテキスト作成要求５１４をＧＧＳＮ５０８に送信することができる。ＳＧＳＮ５０６は、ＰＤＰコンテキストの確立を検証するＧＧＳＮ５０８からＰＤＰコンテキスト作成応答５１６を受信することができる。この点について、ＳＧＳＮ５０６は、ＲＮＣ５０４から、ローカルＩＰオフロードのためのＵＥ５０２との無線アクセスベアラ５２０をセットアップすることができる無線アクセスベアラセットアップ５１８を要求することができる。ＳＧＳＮ５０６は、無線アクセスベアラをＰＤＰコンテキストに関連付けるためにＰＤＰコンテキスト更新要求５２２をＧＧＳＮ５０８に送信することができ、ＧＧＳＮ５０８はＰＤＰコンテキスト更新応答５２４を送信することができる。したがって、ＳＧＳＮ５０８は、説明したように、ＲＮＣ５０４を介してローカルＩＰオフロードを利用するために作成されたＰＤＰコンテキストについてＵＥ５０２に通知するために、ＰＤＰコンテキストアクティブ化受付け５２６を送信することができる。
【００７８】
図６を参照すると、ＰＤＮ接続を確立するためのシステム６００の例示的なメッセージフロー図が示されている。システム６００は、ワイヤレスネットワークへのアクセスを受信するためにｅＮＢ６０４と通信するＵＥ６０２を備える。システム６００はまた、ＭＭＥ６０６とＳ−ＧＷ／Ｐ−ＧＷ６０８とを備える。ＵＥ６０２、ｅＮＢ６０４、ＭＭＥ６０６、およびＳ−ＧＷ／ＰＧＷ６０８は、ＬＴＥにおいてＰＤＮ接続アクティブ化を実行するために、互いと、および／または他のノードと対話することができる。説明を簡単にするために、すべてのステップが示されているわけではなく、この例は、ローカルＩＰオフロード機能を提供するように変更され得るステップを示していることを諒解されたい。一例では、ＵＥ６０２は、前に説明したように、ＰＤＮ接続の確立を要求するために、（たとえば、ｅＮＢ６０４を介して）ＰＤＮ接続性要求６１０をＭＭＥ６０６に送信することができる。一例では、説明したように、ｅＮＢ６０４は、（たとえば、Ｓ−ＧＷ／Ｐ−ＧＷ６０８などのアドレスを備えることができる）ＰＤＮ接続性要求６１０をフォワーディングするとき、ローカルＩＰオフロードインジケータを含めることができる。たとえば、Ｓ−ＧＷ／Ｐ−ＧＷ６０８はｅＮＢ６０４の同様のローカルＩＰネットワーク中のローカルゲートウェイであること、ｅＮＢ６０４中に共同設置されることなどが可能である。ＭＭＥ６０６は、（１つまたは複数の）ローカルＩＰオフロードパーミッションまたは（１つまたは複数の）ローカルＩＰオフロードインジケータ６１２を検証することができる。たとえば、検証することは、ＵＥ６０２からフォワーディングされたＰＤＮ接続性要求６１０中でｅＮＢ６０４から受信されたローカルＩＰオフロードインジケータを検証することを含むことができる。別の例では、説明したように、ＭＭＥ６０６は、（たとえば、ＡＰＮ、ｅＮＢ６０４に関係するＣＳＧなどに固有の）受信されたＵＥ６０２のサブスクリプションデータ中の１つまたは複数のローカルＩＰオフロードパーミッションを検証することができる。さらに、説明したように、検証することは、ｅＮＢ６０４のＣＳＧがＵＥ６０２のＣＳＧサブスクリプションデータ中の特定のＡＰＮについてローカルＩＰオフロードをサポートすることを検証することを含むことができる。さらに別の例では、追加または代替として、これは、ｅＮＢ６０４が特定のＡＰＮについてローカルＩＰオフロードをサポートするかどうかを決定することを含むことができる。
【００７９】
１つまたは複数のインジケータが検証された場合、たとえば、ＭＭＥ６０６は、ＵＥ６０２がｅＮＢ６０４とのローカルＩＰオフロードを利用するためのＰＤＮ接続を作成するために、セッション作成要求６１４をＳ−ＧＷ／Ｐ−ＧＷ６０８に送信することができる。ＭＭＥ６０６は、ＰＤＮ接続の確立を検証するセッション作成応答６１６をＳ−ＧＷ／Ｐ−ＧＷ６０８から受信することができる。この点について、ＭＭＥ６０６は、ベアラセットアップ要求／ＰＤＮ接続性受付け６１８をｅＮＢ６０４に送信することができ、ｅＮＢ６０４は、ＵＥ６０２との無線ベアラをセットアップするために、ＲＲＣ接続再構成６２０をＵＥ６０２に送信することができる。ＵＥ６０２は、ＲＲＣ接続再構成完了６２２をｅＮＢ６０４に送信することによって、ベアラ確立を確認することができる。次に、ｅＮＢ６０４はベアラセットアップ完了６２４をＭＭＥ６０６に送信することができる。ＵＥ６０２はｅＮＢ６０４への直接転送６２６を実行することができ、ｅＮＢ６０４はＰＤＮ接続性完了６２８をＭＭＥ６０６に示すことができる。この例では、ＵＥ０２は、ＲＲＣ接続再構成メッセージ交換（たとえば、６２０および６２２）において確立された無線ベアラをローカルＩＰオフロードのために利用することができる。
【００８０】
図７〜図１０を参照すると、ワイヤレスネットワークにおいてローカルＩＰオフロードを利用することに関する例示的な方法が示されている。説明を簡単にするために、方法を一連の行為として図示し説明するが、いくつかの行為は、１つまたは複数の実施形態によれば、本明細書で図示し説明する順序とは異なる順序で、および／または他の行為と同時に行われ得るので、方法は行為の順序によって限定されないことを理解および諒解されたい。たとえば、方法は、状態図など、一連の相互に関係する状態またはイベントとして代替的に表現され得ることを諒解されたい。さらに、１つまたは複数の実施形態による方法を実施するために、図示のすべての行為が必要とされるわけではない。
【００８１】
図７を参照すると、ローカルＩＰオフロードを行うためのパケットデータコンテキストを確立することを可能にする例示的な方法７００が表示されている。７０２において、アクセスポイントにおいてデバイスのパケットデータコンテキストを確立したいという要求を受信する。たとえば、要求は、説明したように、ＰＤＮ接続、ＰＤＰコンテキストなどを確立することに関係することができる。７０４において、パケットデータコンテキストがローカルＩＰオフロードに対応すると決定する。たとえば、要求は、パケットデータコンテキストが要求されるＡＰＮを含むことができる。デバイスのサブスクリプションデータが要求および受信され得、たとえば、ＡＰＮはサブスクリプションデータ中にあり得る。たとえば、サブスクリプションデータは、ＡＰＮがローカルＩＰオフロードに関係するかどうかを指定するパーミッションを含むことができ、したがって、説明したように、決定は、ＡＰＮに関係するサブスクリプションデータに少なくとも部分的に基づいて行われ得る。一例では、パーミッションは、ＡＰＮがＳＩＰＴＯを使用することができるかどうか、ＡＰＮがＬＩＰＡ条件付き、ＬＩＰＡ専用、ＬＩＰＡ拒否であるかどうかなどを指定することができる。別の例では、ＡＰＮは、デバイスのサブスクリプションデータ中のローカルＩＰオフロードに関係するＡＰＮのリスト中に存在することができる。説明したように、サブスクリプションデータは、ＨＳＳまたは同様のサブスクリプションノードから受信され得る。
【００８２】
７０６において、ローカルＩＰオフロードインジケータに少なくとも部分的に基づいて、アクセスポイントがローカルＩＰオフロードをサポートするかどうかを決定する。説明したように、ローカルＩＰオフロードインジケータは、（たとえば、デバイスまたはそれ以外にフォワーディングされたパケットデータコンテキストの要求の一部として）アクセスポイントから受信され得る。一例では、ローカルＩＰオフロードインジケータはゲートウェイのＩＰアドレスであり得る。したがって、（たとえば、パケットデータコンテキストの要求中で）ゲートウェイのアドレスを受信することに少なくとも部分的に基づいて、アクセスポイントがローカルＩＰオフロードをサポートすると決定され得る。この点について、７０８において、パケットデータコンテキストがローカルＩＰオフロードに対応すると決定することとローカルＩＰオフロードインジケータとに少なくとも部分的に基づいて、パケットデータコンテキストを確立するためのゲートウェイを選択する。たとえば、アクセスポイントがローカルＩＰオフロードをサポートし、要求中のゲートウェイを示す場合、示されたゲートウェイは、説明したように、パケットデータコンテキストを確立するために利用され得る。たとえば、アクセスポイントがローカルＩＰオフロードをサポートせず、および／または、パケットデータコンテキストは、ローカルＩＰオフロードに対応しない場合、ゲートウェイは、ＤＮＳまたはパケットデータコンテキストを確立するための、モバイルネットワーク内のゲートウェイを選択するための他の手順を使用して選択され得る。
【００８３】
図８を参照すると、デバイスのパケットデータコンテキストを確立すべきかどうかを決定することを可能にする例示的な方法８００が表示されている。８０２において、パケットデータコンテキストを確立したいという要求を受信する。説明したように、これは、デバイスによって受信され得、ローカルＩＰオフロードに関係することができる。８０４において、デバイスサブスクリプションデータを取得する。これは、要求を受信するとき、デバイスと最初に通信するときなどに実行され得ることを諒解されたい。８０６において、要求中のＡＰＮがＬＩＰＡ専用であるかどうかを決定する。たとえば、ＡＰＮは、サブスクリプションデータ中にあり得、ＡＰＮがＬＩＰＡに関係するかどうか（たとえばＡＰＮが、ＬＩＰＡ専用、ＬＩＰＡ条件付き、ＬＩＰＡ拒否などであるかどうか）を指定するパーミッションを有することができる。説明したように、別の例では、ＡＰＮは、ＬＩＰＡ専用、ＬＩＰＡ条件付き、またはＬＩＰＡ拒否であるＡＰＮの対応するリスト中に存在することができる。ＡＰＮがＬＩＰＡ専用である場合、８０８において、Ｈ（ｅ）ＮＢがＬ−ＧＷをサポートするかどうかを決定する。たとえば、これは、Ｈ（ｅ）ＮＢがデバイスからのパケットデータコンテキストの要求中にＬ−ＧＷのアドレスを含むかどうかを決定することを含むことができる。Ｌ−ＧＷのアドレスを含む場合、８１０において、ＣＳＧサブスクリプションデータがＬＩＰＡをサポートするかどうかを決定する。説明したように、これは、関係するデバイスのＣＳＧサブスクリプション情報から取得され得る。ＬＩＰＡをサポートする場合、８１２において、ＣＳＧにおいてＡＰＮがサポートされるかどうかを決定する。ＡＰＮがサポートされる場合、８１４において、ＬＩＰＡコンテキストを確立する。８０８において、Ｈ（ｅ）ＮＢがＬ−ＧＷをサポートしないか、８１０において、ＣＳＧサブスクリプションデータがＬＩＰＡをサポートしないか、または、８１２において、ＣＳＧにおいてＡＰＮがサポートされない場合、８１６において、コンテキスト確立要求を拒否する。
【００８４】
同様に、８０６において、ＡＰＮがＬＩＰＡ専用でない場合、８１８において、ＡＰＮがＬＩＰＡ条件付きであるかどうかを決定する。ＬＩＰＡ条件付きである場合、８２０において、Ｈ（ｅ）ＮＢがＬ−ＧＷをサポートするかどうかを決定する。たとえば、これは、Ｈ（ｅ）ＮＢがデバイスからのパケットデータコンテキストの要求中にＬ−ＧＷのアドレスを含むかどうかを決定することを含むことができる。Ｌ−ＧＷのアドレスを含む場合、８２２において、ＣＳＧサブスクリプションデータがＬＩＰＡをサポートするかどうかを決定する。説明したように、これは、関係するデバイスのＣＳＧサブスクリプション情報から取得され得る。ＬＩＰＡをサポートする場合、８２４において、ＣＳＧにおいてＡＰＮがサポートされるかどうかを決定する。ＡＰＮがサポートされる場合、８１４において、ＬＩＰＡコンテキストを確立する。８２０において、Ｈ（ｅ）ＮＢがＬ−ＧＷをサポートしないか、８２２において、ＣＳＧサブスクリプションデータがＬＩＰＡをサポートしないか、または、８２４において、ＣＳＧにおいてＡＰＮがサポートされない場合、８２６において、非ＬＩＰＡコンテキストを確立する。たとえば、これは、説明したように、モバイルネットワークにおいてゲートウェイを活用することを含むことができる。
【００８５】
図９を参照すると、パケットデータコンテキストを非アクティブ化するための例示的な方法９００が示されている。９０２において、第１のアクセスポイントにおいてデバイスからの登録要求を受信する。９０４において、デバイスが、ローカルＩＰオフロードを使用して通信するための、第２のアクセスポイントとのパケットデータコンテキストを有すると決定する。説明したように、たとえば、デバイスは、第２のアクセスポイントとのパケットデータコンテキストを確立しており、第１のアクセスポイントを再選択することができる。この点について、可能な場合、パケットデータコンテキストを利用し続けることが望ましいことがある。しかしながら、９０６において、第２のアクセスポイントの１つまたは複数のパラメータに少なくとも部分的に基づいてパケットデータコンテキストを非アクティブ化する。一例では、第１のアクセスポイントが、ローカルＩＰオフロードを利用するためのゲートウェイによって第２のアクセスポイントについて指定された範囲の外部にある場合、コンテキストは非アクティブ化され、再確立され得る。他の例では、第１のアクセスポイントと第２のアクセスポイントとが、パケットデータコンテキストの要求をフォワーディングする際に、異なるグローバルセル識別子、異なるＣＳＧ識別子などを有する異なるゲートウェイを報告する場合、パケットデータコンテキストは、第１のアクセスポイントを通して確立された新しいパケットデータコンテキストのほうを優先して、非アクティブ化され得る。
【００８６】
図１０を参照すると、ローカルＩＰオフロードサポートのインジケータを与えるための例示的な方法１０００が示されている。１００２において、アクセスポイントについてローカルＩＰオフロードが有効化されているか無効化されているかを指定する１つまたは複数のローカルＩＰオフロードパラメータを受信する。１００４において、１つまたは複数のローカルＩＰオフロードパラメータに少なくとも部分的に基づいて、ローカルＩＰオフロードサポートのインジケータを与える。説明したように、たとえば、インジケータは、デバイスにフォワーディングされたパケットデータコンテキストの要求中でゲートウェイのアドレスとして与えられ得る。
【００８７】
本明細書で説明する１つまたは複数の態様によれば、説明したように、ローカルＩＰオフロードのためのパケットデータコンテキストを確立すべきかどうかなどを決定することに関する推論が行われ得ることを諒解されよう。本明細書で使用する「推論する」または「推論」という用語は、概して、イベントおよび／またはデータを介して捕捉された観察のセットから、システム、環境、および／またはユーザの状態について推理する、またはその状態を推論するプロセスを指す。推論は、特定のコンテキストまたはアクションを識別するために使用され得、あるいは、たとえば、状態の確率分布を生成することができる。推論は、確率的、すなわち、データおよび事象の考察に基づく当該の状態の確率分布の計算であり得る。推論は、事象および／またはデータのセットからより高いレベルの事象を構成するために採用される技法を指すこともある。そのような推論から、イベントが時間的に緊切して相関するか否かにかかわらず、ならびにイベントおよびデータが１つまたは複数のイベントおよびデータの発生源に由来するかどうかにかかわらず、観測されたイベントおよび／または記憶されたイベントデータのセットから新しいイベントまたはアクションが構成される。
【００８８】
図１１は、ローカルＩＰオフロードのためのパケットデータコンテキストを要求することを可能にするモバイルデバイス１１００の図である。モバイルデバイス１１００は、たとえば受信アンテナ（図示せず）から信号を受信する受信機１１０２を備え、受信信号に対して典型的な動作（たとえば、フィルタ処理、増幅、ダウンコンバートなど）を行い、サンプルを得るために調整された信号をデジタル化する。受信機１１０２は、受信されたシンボルを復調し、チャネル推定のためにプロセッサ１１０６に供給することができる復調器１１０４を備えることができる。プロセッサ１１０６は、受信機１１０２によって受信された情報の分析および／または送信機１１０８による送信のための情報の生成に専用のプロセッサ、モバイルデバイス１１００の１つまたは複数の構成要素を制御するプロセッサ、ならびに／あるいは受信機１１０２によって受信された情報の分析、送信機１１０８による送信のための情報の生成、およびモバイルデバイス１１００の１つまたは複数の構成要素の制御を行うプロセッサであり得る。
【００８９】
モバイルデバイス１１００は、さらに、メモリ１１１０を備えることができ、メモリ１１１０は、プロセッサ１１０６に動作可能に結合され、送信すべきデータ、受信されたデータ、利用可能なチャネルに関係する情報、分析された信号および／または干渉強度に関連するデータ、割当てチャネル、電力、レートなどに関係する情報、ならびにチャネルを推定し、そのチャネルを介して通信するための他の適切な情報を記憶することができる。メモリ１１１０は、さらに（たとえばパフォーマンスベース、容量ベースなどの）チャネルの推定および／または利用に関連するプロトコルおよび／またはアルゴリズムを記憶することができる。
【００９０】
本明細書で説明するデータストア（たとえばメモリ１１１０）は、揮発性メモリもしくは不揮発性メモリであり得、または揮発性メモリと不揮発性メモリの両方を含むことができることを諒解されよう。限定ではなく例として、不揮発性メモリは、読取り専用メモリ（ＲＯＭ）、プログラマブルＲＯＭ（ＰＲＯＭ）、電気的プログラマブルＲＯＭ（ＥＰＲＯＭ）、電気的消去可能ＰＲＯＭ（ＥＥＰＲＯＭ）、またはフラッシュメモリを含むことができる。揮発性メモリは、外部キャッシュメモリとして動作するランダムアクセスメモリ（ＲＡＭ）を含むことができる。限定ではなく例として、ＲＡＭは、同期ＲＡＭ（ＳＲＡＭ）、ダイナミックＲＡＭ（ＤＲＡＭ）、同期ＤＲＡＭ（ＳＤＲＡＭ）、ダブルデータレートＳＤＲＡＭ（ＤＤＲ  ＳＤＲＡＭ）、拡張ＳＤＲＡＭ（ＥＳＤＲＡＭ）、シンクリンクＤＲＡＭ（ＳＬＤＲＡＭ）、およびダイレクトランバスＲＡＭ（ＤＲＲＡＭ（登録商標））など、多くの形態が利用可能である。主題のシステムおよび方法のメモリ１１１０は、これらおよび他の適切なタイプのメモリを、それらに限定されることなく、備えるものとする。
【００９１】
プロセッサ１１０６は、随意に、コンテキスト要求構成要素２１２と同様のものであり得るコンテキスト要求構成要素１１１２と、ローカルＩＰオフロード構成要素２１４と同様のものであり得るローカルＩＰオフロード構成要素１１１４とにさらに動作可能に結合され得る。モバイルデバイス１１００は、またさらに、たとえば、基地局、別のモバイルデバイスなどへの送信機１１０８による送信のための信号を変調する変調器１１１６を備える。プロセッサ１１０６とは別個のものとして図示されているが、コンテキスト要求構成要素１１１２、ローカルＩＰオフロード構成要素１１１４、復調器１１０４、および／または変調器１１１６は、プロセッサ１１０６または複数のプロセッサ（図示せず）の一部であり得、および／またはプロセッサ１１０６が実行するためのメモリ１１１０中の命令として記憶され得ることを諒解されたい。
【００９２】
図１２は、ワイヤレス通信を使用して１つまたは複数のデバイスと通信することを可能にするシステム１２００の図である。システム１２００は、実質的に任意の基地局（たとえば、フェムトセル、ピコセルなどの小さい基地局、モバイル基地局、．．．）、リレーなどであり得る基地局１２０２を備え、基地局／リレー１２０２は、（たとえば、説明したように、複数のネットワーク技術であり得る）複数の受信アンテナ１２０６を介して１つまたは複数のモバイルデバイス１２０４から（１つまたは複数の）信号を受信する受信機１２１０と、（たとえば、説明したように、複数のネットワーク技術であり得る）複数の送信アンテナ１２０８を介して１つまたは複数のモバイルデバイス１２０４に送信する送信機１２２８とを有する。さらに、一例では、送信機１２２８は、ワイヤードフロントリンク（wired front link）上でモバイルデバイス１２０４に送信することができる。受信機１２１０は、１つまたは複数の受信アンテナ１２０６から情報を受信することができ、受信された情報を復調する復調器１２１２と動作可能に結合される。さらに、一例では、受信機１２１０は、ワイヤードバックホールリンク（wired backhaul link）から受信することができる。復調されたシンボルは、図１１に関して上述したプロセッサと同様のものであり得るプロセッサ１２１４によって分析され、プロセッサ１２１４は、信号（たとえばパイロット）強度および／または干渉強度、（１つまたは複数の）モバイルデバイス１２０４（または異種基地局（図示せず））に送信されるべきデータまたはそこから受信されるべきデータを推定することに関係する情報、および／または本明細書に記載の様々な動作および機能を行うことに関係する他の適切な情報を記憶するメモリ１２１６に結合される。
【００９３】
プロセッサ１２１４は、通信構成要素２１６と同様のものであり得る通信構成要素１２１８、および／またはローカルＩＰオフロード指示構成要素２１８と同様のものであり得るローカルＩＰオフロード指示構成要素１２２０にさらに随意に結合される。さらに、プロセッサ１２１４はベアラ確立構成要素２２０と同様のものであり得るベアラ確立構成要素１２２２、および／またはパラメータ受信構成要素４０６と同様のものであり得るパラメータ受信構成要素１２２４に随意に結合され得る。
【００９４】
その上、たとえば、プロセッサ１２１４は、変調器１２２６を使用して送信されるべき信号を変調し、送信機１２２８を使用して被変調信号を送信することができる。送信機１２２８は、Ｔｘアンテナ１２０８上で信号をモバイルデバイス１２０４に送信することができる。さらに、プロセッサ１２１４とは別個のものとして図示されているが、通信構成要素１２１８、ローカルＩＰオフロード指示構成要素１２２０、ベアラ確立構成要素１２２２、パラメータ受信構成要素１２２４、復調器１２１２、および／または変調器１２２６は、プロセッサ１２１４または複数のプロセッサ（図示せず）の一部であり得、ならびに／あるいはプロセッサ１２１４が実行するためにメモリ１２１６中に命令として記憶され得ることを諒解されたい。
【００９５】
図１３を参照すると、一態様では、ネットワークノード１０６、ゲートウェイ１１６、２０６、または３０８、モビリティマネージャ１０８、２０８または３０６、サブスクリプションサーバ１１０または２１０、ＯＡＭサーバ４０４、ＲＮＣ５０４、ＳＧＳＮ５０６、ＧＧＳＮ５０８、ｅＮＢ６０４、ＭＭＥ６０６、Ｓ−ＧＷ／Ｐ−ＧＷ６０８など（たとえば、図１〜図６）のいずれも、コンピュータデバイス１３００によって表され得る。コンピュータデバイス１３００は、本明細書で説明する構成要素および機能のうちの１つまたは複数に関連する処理機能を実行するためのプロセッサ１３０２を含む。プロセッサ１３０２は、プロセッサまたはマルチコアプロセッサの単一または複数のセットを含むことができる。さらに、プロセッサ１３０２は、統合処理システムおよび／または分散処理システムとして実装され得る。
【００９６】
コンピュータデバイス１３００は、プロセッサ１３０２によって実行されているアプリケーションのローカルバージョンを記憶するなどのためのメモリ１３０４をさらに含む。メモリ１３０４は、ランダムアクセスメモリ（ＲＡＭ）、読取り専用メモリ（ＲＯＭ）、テープ、磁気ディスク、光ディスク、揮発性メモリ、不揮発性メモリ、およびそれらの任意の組合せなど、コンピュータが使用できる実質的にどんなタイプのメモリでも含むことができる。コンピュータデバイス１３００は、メモリ１３０４に記憶され得る、（たとえば、メモリ１３０４に記憶された命令に基づいて）プロセッサ１３０２によって実行され得る、１つまたは複数のプロセッサ１３０２内に実装され得るなどの１つまたは複数の構成要素１３０６〜１３２８をも含む。
【００９７】
さらに、コンピュータデバイス１３００は、本明細書で説明するように、ハードウェア、ソフトウェア、およびサービスを利用して、１つまたは複数の相手との通信を確立し、維持することを行う通信構成要素１３０６を含む。通信構成要素１３０６は、コンピュータデバイス１３００上の構成要素間、ならびにコンピュータデバイス１３００と、通信ネットワーク上に位置するデバイス、および／またはコンピュータデバイス１３００に直列またはローカルに接続されたデバイスなどの外部デバイスとの間の通信を伝え得る。たとえば、通信構成要素１３０６は、１つまたは複数のバスを含み得、それぞれ送信機および受信機に関連する、外部デバイスとインターフェースするように動作可能な送信チェーン構成要素および受信チェーン構成要素をさらに含み得る。一例では、通信構成要素１３０６は通信構成要素２１６または２２２と同様のものであり得る。
【００９８】
さらに、コンピュータデバイス１３００は、データストア１３０８をさらに含み得、データストア１３０８は、本明細書で説明する態様に関連して採用される情報、データベース、およびプログラムの大容量記憶を与えるハードウェアおよび／またはソフトウェアの任意の適切な組合せであり得る。たとえば、データストア１３０８は、プロセッサ１３０２によって現在実行されていないアプリケーションのためのデータリポジトリであり得る。
【００９９】
コンピュータデバイス１３００は、随意に、コンピュータデバイス１３００のユーザから入力を受信するように動作可能であり、ユーザへの提示のための出力を生成するようにさらに動作可能なインターフェース構成要素１３１０を含み得る。インターフェース構成要素１３１０は、限定はしないが、キーボード、テンキー、マウス、タッチセンシティブディスプレイ、ナビゲーションキー、ファンクションキー、マイクロフォン、音声認識構成要素、ユーザから入力を受信することが可能な他の機構、またはそれらの任意の組合せを含む、１つまたは複数の入力デバイスを含み得る。さらに、インターフェース構成要素１３１０は、限定はしないが、ディスプレイ、スピーカー、触覚フィードバック機構、プリンタ、出力をユーザに提示することが可能な他の機構、またはそれらの任意の組合せを含む、１つまたは複数の出力デバイスを含み得る。別の例では、インターフェース構成要素１３１０は、コンピュータデバイス１３００上の機能を実行するために、１つまたは複数のデバイスによってアクセスされ得るアプリケーションプログラミングインターフェース（ＡＰＩ：application programming interface）であり得る。
【０１００】
さらに、図示された例では、コンピュータデバイス１３００は、コンテキスト確立構成要素２２４または２２６と同様のものであり得るコンテキスト確立構成要素１３１２、サブスクリプション要求構成要素２２８と同様のものであり得るサブスクリプション要求構成要素１３１４、ローカルＩＰオフロードサポート決定構成要素２３０と同様のものであり得るローカルＩＰオフロードサポート決定構成要素１３１６、ゲートウェイ選択構成要素２３２と同様のものであり得るゲートウェイ選択構成要素１３１８、ベアラ確立構成要素２３４と同様のものであり得るベアラ確立構成要素１３２０、サブスクリプションデータ構成要素２３６と同様のものであり得るサブスクリプションデータ構成要素１３２２、ローカルＩＰオフロードステータス決定構成要素３１２と同様のものであり得るローカルＩＰオフロードステータス決定構成要素１３２４、コンテキスト非アクティブ化構成要素３１４と同様のものであり得るコンテキスト非アクティブ化構成要素１３２６、および／またはパラメータプロビジョニング構成要素４０８と同様のものであり得るパラメータプロビジョニング構成要素１３２８のうちの１つまたは複数を随意に含むことができる。したがって、これらの構成要素１３１２、１３１４、１３１６、１３１８、１３２０、１３２２、１３２４、１３２６、および／または１３２８は、説明したように、これらの構成要素に関連する命令を実行するためのプロセッサ１３０２、これらの構成要素に関連する情報を記憶するためのメモリ１３０４、通信を実行するための通信構成要素１３０６などを利用することができる。さらに、コンピュータデバイス１３００が、本明細書で説明する追加または代替の構成要素を含むことができることを諒解されたい。
【０１０１】
図１４を参照すると、ローカルＩＰオフロードのためのパケットデータコンテキストを確立するシステム１４００が示されている。たとえば、システム１４００は、少なくとも部分的にＭＭＥ、ＳＧＳＮなどの内に常駐することができる。システム１４００は機能ブロックを含むものとして表されており、その機能ブロックは、プロセッサ、ソフトウェア、またはそれらの組合せ（たとえば、ファームウェア）によって実装される機能を表す機能ブロックであり得ることを諒解されたい。システム１４００は、連携して動作することができる電気構成要素の論理グルーピング１４０２を含む。たとえば、論理グルーピング１４０２は、アクセスポイント１４０４においてデバイスのパケットデータコンテキストを確立したいという要求を受信するための電気構成要素を含むことができる。説明したように、これは、ＰＤＮ接続またはＰＤＰコンテキストの要求を含むことができる。
【０１０２】
さらに、論理グルーピング１４０２は、パケットデータコンテキストがローカルＩＰオフロードに対応すると決定し、ローカルＩＰオフロードインジケータ１４０６に少なくとも部分的に基づいて、アクセスポイントがローカルＩＰオフロードをサポートするかどうかを見分けるための電気構成要素を備えることができる。たとえば、パケットデータコンテキストは、パケットデータコンテキストの要求中のＡＰＮに少なくとも部分的に基づいて、ローカルＩＰオフロードに対応すると決定され得る。さらに、一例では、ローカルＩＰオフロードインジケータは、パケットデータコンテキストの要求の一部としてアクセスポイントから受信され得る。一例では、要求はゲートウェイアドレスの仕様を含むことができ、それはアクセスポイントがローカルＩＰオフロードをサポートすることを示すことができる。さらに、論理グルーピング１４０２は、ローカルＩＰオフロードに対応するパケットデータコンテキストとローカルＩＰオフロードインジケータとに少なくとも部分的に基づいて、パケットデータコンテキストを確立するためのゲートウェイを選択するための電気構成要素１４０８を含むことができる。説明したように、パケットデータコンテキストがローカルＩＰオフロードに対応し、アクセスポイントがローカルＩＰオフロードをサポートする場合、与えられたローカルＩＰオフロードのためのローカルゲートウェイ（たとえば、パケットデータコンテキストの要求中でアクセスポイントによって指定されたゲートウェイ）が選択され得る。
【０１０３】
たとえば、電気構成要素１４０４は、上記で説明したように、コンテキスト確立構成要素２２６を含むことができる。さらに、たとえば、上記で説明したように、電気構成要素１４０６は、一態様では、ローカルＩＰオフロードサポート決定構成要素２３０を含むことができる。さらに、説明したように、電気構成要素１４０８はゲートウェイ選択構成要素２３２を含むことができる。さらに、システム１４００は、電気構成要素１４０４、１４０６、および１４０８に関連する機能を実行するための命令を保持するメモリ１４１０を含むことができる。メモリ１４１０の外部にあるものとして示されているが、電気構成要素１４０４、１４０６、および１４０８のうちの１つまたは複数は、メモリ１４１０の内部に存在することができることを理解されたい。
【０１０４】
一例では、電気構成要素１４０４、１４０６、および１４０８は、少なくとも１つのプロセッサを備えることができるか、または、各電気構成要素１４０４、１４０６、および１４０８は、少なくとも１つのプロセッサの対応するモジュールであり得る。さらに、追加または代替の例では、電気構成要素１４０４、１４０６、および１４０８は、コンピュータ可読媒体を備えるコンピュータプログラム製品であり得、各電気構成要素１４０４、１４０６、および１４０８は、対応するコードであり得る。
【０１０５】
図１５を参照すると、ローカルＩＰオフロードのためのパケットデータコンテキストを非アクティブ化するシステム１５００が示されている。たとえば、システム１５００は、少なくとも部分的にＭＭＥ、ＳＧＳＮなどの内に常駐することができる。システム１５００は機能ブロックを含むものとして表されており、その機能ブロックは、プロセッサ、ソフトウェア、またはそれらの組合せ（たとえば、ファームウェア）によって実装される機能を表す機能ブロックであり得ることを諒解されたい。システム１５００は、連携して動作することができる電気構成要素の論理グルーピング１５０２を含む。たとえば、論理グルーピング１５０２は、第１のアクセスポイントにおいてデバイスからの登録要求を受信するための電気構成要素１５０４を含むことができる。さらに、論理グルーピング１５０２は、デバイスが、ローカルＩＰオフロードを使用して通信するための、第２のアクセスポイントとのパケットデータコンテキストを有すると決定するための電気構成要素１５０６を備えることができる。
【０１０６】
たとえば、デバイスは、第１のアクセスポイントを再選択することができる。さらに、論理グルーピング１５０２は、第２のアクセスポイントの１つまたは複数のパラメータに少なくとも部分的に基づいてパケットデータコンテキストを非アクティブ化するための電気構成要素１５０８を含むことができる。一例では、第１のアクセスポイントが、ローカルＩＰオフロードを利用するためのゲートウェイによって第２のアクセスポイントについて指定された範囲の外部にある場合、電気構成要素１５０８は、コンテキストを非アクティブ化することができる。他の例では、第１のアクセスポイントと第２のアクセスポイントとが、パケットデータコンテキストの要求をフォワーディングする際に、異なるグローバルセル識別子、異なるＣＳＧ識別子などを有する異なるゲートウェイを報告する場合、電気構成要素１５０８は、第１のアクセスポイントを通して確立された新しいパケットデータコンテキストのほうを優先してコンテキストを非アクティブ化することができる。
【０１０７】
たとえば、電気構成要素１５０４は、上記で説明したように、コンテキスト確立構成要素２２６を含むことができる。さらに、たとえば、上記で説明したように、電気構成要素１５０６は、一態様では、ローカルＩＰオフロードステータス決定構成要素３１２を含むことができる。さらに、説明したように、電気構成要素１５０８はコンテキスト非アクティブ化構成要素３１４を含むことができる。さらに、システム１５００は、電気構成要素１５０４、１５０６、および１５０８に関連する機能を実行するための命令を保持するメモリ１５１０を含むことができる。メモリ１５１０の外部にあるものとして示されているが、電気構成要素１５０４、１５０６、および１５０８のうちの１つまたは複数は、メモリ１５１０の内部に存在することができることを理解されたい。
【０１０８】
一例では、電気構成要素１５０４、１５０６、および１５０８は、少なくとも１つのプロセッサを備えることができるか、または、各電気構成要素１５０４、１５０６、および１５０８は、少なくとも１つのプロセッサの対応するモジュールであり得る。さらに、追加または代替の例では、電気構成要素１５０４、１５０６、および１５０８は、コンピュータ可読媒体を備えるコンピュータプログラム製品であり得、各電気構成要素１５０４、１５０６、および１５０８は、対応するコードであり得る。
【０１０９】
図１６に関して、ローカルＩＰオフロードサポートのインジケータを与えるシステム１６００が示されている。たとえば、システム１６００は、少なくとも部分的にアクセスポイントなどの内に常駐することができる。システム１６００は機能ブロックを含むものとして表されており、その機能ブロックは、プロセッサ、ソフトウェア、またはそれらの組合せ（たとえば、ファームウェア）によって実装される機能を表す機能ブロックであり得ることを諒解されたい。システム１６００は、連携して動作することができる電気構成要素の論理グルーピング１６０２を含む。たとえば、論理グルーピング１６０２は、アクセスポイントについてローカルＩＰオフロードが有効化されているか無効化されているかを指定する１つまたは複数のローカルＩＰオフロードパラメータを受信するための電気構成要素１６０４を含むことができる。たとえば、これはＯＡＭサーバから受信され得る。
【０１１０】
さらに、論理グルーピング１６０２は、１つまたは複数のローカルＩＰオフロードパラメータに少なくとも部分的に基づいて、ローカルＩＰオフロードサポートのインジケータを与えるための電気構成要素１６０６を備えることができる。説明したように、たとえば、ローカルＩＰオフロードサポートのインジケータは、ローカルＩＰオフロードサポートを与えるために利用するゲートウェイを指定することを含むことができ、デバイスからフォワーディングされたパケットデータコンテキスト要求の一部として送られ得る。たとえば、電気構成要素１６０４は、上記で説明したように、パラメータ受信構成要素４０６を含むことができる。さらに、たとえば、上記で説明したように、電気構成要素１６０６は、一態様では、ローカルＩＰオフロード指示構成要素２１８を含むことができる。さらに、システム１６００は、電気構成要素１６０４および１６０６に関連する機能を実行するための命令を保持するメモリ１６０８を含むことができる。メモリ１６０８の外部にあるものとして示されているが、電気構成要素１６０４および１６０６のうちの１つまたは複数は、メモリ１６０８の内部に存在することができることを理解されたい。
【０１１１】
一例では、電気構成要素１６０４および１６０６は、少なくとも１つのプロセッサを備えることができるか、または各電気構成要素１６０４および１６０６は、少なくとも１つのプロセッサの対応するモジュールであり得る。その上、追加または代替例では、電気構成要素１６０４および１６０６は、コンピュータ可読媒体を備えるコンピュータプログラム製品であり得、各電気構成要素１６０４および１６０６は、対応するコードであり得る。
【０１１２】
次に図１７を参照すると、本明細書で提示する様々な実施形態によるワイヤレス通信システム１７００が示されている。システム１７００は、複数のアンテナグループを含むことができる基地局１７０２を備える。たとえば、１つのアンテナグループはアンテナ１７０４および１７０６を含み、別のグループはアンテナ１７０８および１７１０を備え、さらなるグループはアンテナ１７１２および１７１４を含むことができる。アンテナグループごとに２つのアンテナが示されているが、グループごとにより多いまたはより少ないアンテナを利用することができる。基地局１７０２は、さらに、送信機チェーンおよび受信機チェーンを含むことができ、送信機チェーンおよび受信機チェーンの各々は、諒解されるように、信号送信および受信に関連する複数の構成要素（たとえば、プロセッサ、変調器、マルチプレクサ、復調器、デマルチプレクサ、アンテナなど）を備えることができる。
【０１１３】
基地局１７０２は、モバイルデバイス１７１６およびモバイルデバイス１７２２など１つまたは複数のモバイルデバイスと通信することができるが、基地局１７０２は、モバイルデバイス１７１６および１７２２と同様の実質的にいかなる数のモバイルデバイスとも通信することができることを諒解されたい。モバイルデバイス１７１６および１７２２は、たとえば、セルラー電話、スマートフォン、ラップトップ、ハンドヘルド通信デバイス、ハンドヘルドコンピューティングデバイス、衛星ラジオ、全地球測位システム、ＰＤＡ、および／またはワイヤレス通信システム１７００を介して通信するための他の適切なデバイスであり得る。図示のように、モバイルデバイス１７１６は、アンテナ１７１２および１７１４と通信しており、アンテナ１７１２および１７１４は、順方向リンク１７１８を介して情報をモバイルデバイス１７１６に送信し、逆方向リンク１７２０を介してモバイルデバイス１７１６から情報を受信する。さらに、モバイルデバイス１７２２はアンテナ１７０４および１７０６と通信しており、アンテナ１７０４および１７０６は、順方向リンク１７２４を介して情報をモバイルデバイス１７２２に送信し、逆方向リンク１７２６を介してモバイルデバイス１７２２から情報を受信する。周波数分割複信（ＦＤＤ）システムでは、たとえば、順方向リンク１７１８は、逆方向リンク１７２０によって使用される周波数帯域とは異なる周波数帯域を利用し、順方向リンク１７２４は、逆方向リンク１７２６によって採用される周波数帯域とは異なる周波数帯域を採用することができる。さらに、時分割複信（ＴＤＤ）システムでは、順方向リンク１７１８および逆方向リンク１７２０は共通の周波数帯を利用し、順方向リンク１７２４および逆方向リンク１７２６は共通の周波数帯を利用することができる。
【０１１４】
アンテナの各グループおよび／またはそれらが通信するように指定されたエリアは、基地局１７０２のセクタと呼ばれることがある。たとえば、基地局１７０２によってカバーされるエリアのセクタ中のモバイルデバイスに通信するようにアンテナグループが設計され得る。順方向リンク１７１８および１７２４を介した通信では、基地局１７０２の送信アンテナは、モバイルデバイス１７１６および１７２２についての順方向リンク１７１８および１７２４の信号対雑音比を向上させるためにビームフォーミングを利用することができる。また、基地局１７０２が、関連するカバレージ中に不規則に散在するモバイルデバイス１７１６および１７２２に送信するためにビームフォーミングを利用する間は、基地局が単一のアンテナを介してその基地局のすべてのモバイルデバイスに送信する場合と比較して、隣接セル内のモバイルデバイスは干渉を受けにくいことがある。さらに、モバイルデバイス１７１６および１７２２は、図示のようにピアツーピアまたはアドホック技術を使用して互いに直接通信することができる。一例によれば、システム１７００は多入力多出力（ＭＩＭＯ）通信システムであり得る。
【０１１５】
図１８に、例示的なワイヤレス通信システム１８００を示す。ワイヤレス通信システム１８００には、簡潔のために、１つの基地局１８１０と、１つのモバイルデバイス１８５０とを示してある。ただし、システム１８００は、２つ以上の基地局および／または２つ以上のモバイルデバイスを含むことができ、追加の基地局および／またはモバイルデバイスは、以下で説明する例示的な基地局１８１０およびモバイルデバイス１８５０と実質的に同様または異なるものであり得ることを諒解されたい。さらに、基地局１８１０および／またはモバイルデバイス１８５０は、それらの間のワイヤレス通信を可能にするために、本明細書で説明するシステム（図１〜図６、図１２、および図１４〜図１７）、モバイルデバイス（図１１）、コンピュータデバイス（図１３）、および／または方法（図７〜図１０）を採用することができることを諒解されたい。たとえば、本願明細書で説明するシステムの構成要素または機能および／あるいは方法は、メモリ１８３２および／または１８７２の一部、あるいは以下で説明するプロセッサ１８３０および／または１８７０であり得、ならびに／あるいは開示する機能を実行するために、プロセッサ１８３０および／または１８７０によって実行され得る。
【０１１６】
基地局１８１０において、いくつかのデータストリームのトラフィックデータがデータソース１８１２から送信（ＴＸ）データプロセッサ１８１４に供給される。一例によれば、各データストリームはそれぞれのアンテナを介して送信され得る。ＴＸデータプロセッサ１８１４は、トラフィックデータストリーム用に選択された特定の符号化方式に基づいて、そのデータストリームをフォーマット化し、符号化し、インタリーブして、符号化データを与える。
【０１１７】
各データストリームの符号化データは、直交周波数分割多重（ＯＦＤＭ）技法を使用してパイロットデータで多重化され得る。追加または代替として、パイロットシンボルは、周波数分割多重（ＦＤＭ）、時分割多重（ＴＤＭ）、または符号分割多重（ＣＤＭ）され得る。パイロットデータは、一般に、知られている方法で処理される既知のデータパターンであり、チャネル応答を推定するためにモバイルデバイス１８５０において使用され得る。各データストリームの多重化されたパイロットおよび符号化データは、そのデータストリーム用に選択された特定の変調方式（たとえば、２位相偏移変調（ＢＰＳＫ）、４位相偏移変調（ＱＰＳＫ）、Ｍ位相偏移変調（Ｍ−ＰＳＫ）、多値直交振幅変調（Ｍ−ＱＡＭ）など）に基づいて変調（たとえば、シンボルマッピング）され得、変調シンボルを与えることができる。各データストリームのデータレート、符号化、および変調は、プロセッサ１８３０によって実行または与えられる命令によって決定され得る。
【０１１８】
データストリームの変調シンボルはＴＸ  ＭＩＭＯプロセッサ１８２０に供給され、ＴＸ  ＭＩＭＯプロセッサ１８２０は、（たとえば、ＯＦＤＭ用に）変調シンボルをさらに処理することができる。次いで、ＴＸ  ＭＩＭＯプロセッサ１８２０はＮT個の変調シンボルストリームをＮT個の送信機（ＴＭＴＲ）１８２２ａ〜１８２２ｔに供給する。様々な実施形態では、ＴＸ  ＭＩＭＯプロセッサ１８２０は、データストリームのシンボルと、シンボルの送信元のアンテナとにビームフォーミング重みを適用する。
【０１１９】
各送信機１８２２は、それぞれのシンボルストリームを受信し、処理して、１つまたは複数のアナログ信号を供給し、さらに、それらのアナログ信号を調整（たとえば、増幅、フィルタ処理、およびアップコンバート）して、ＭＩＭＯチャネルを介して送信するのに適した変調信号を供給する。さらに、送信機１８２２ａ〜１８２２ｔからのＮT個の変調信号は、それぞれＮT個のアンテナ１８２４ａ〜１８２４ｔから送信される。
【０１２０】
モバイルデバイス１８５０において、送信された被変調信号はＮR個のアンテナ１８５２ａ〜１８５２ｒによって受信され、各アンテナ１８５２からの受信信号は、それぞれの受信機（ＲＣＶＲ）１８５４ａ〜１８５４ｒに供給される。各受信機１８５４は、それぞれの信号を調整（たとえば、フィルタ処理、増幅、およびダウンコンバート）し、調整された信号をデジタル化して、サンプルを与え、さらに、それらのサンプルを処理して、対応する「受信」シンボルストリームを供給する。
【０１２１】
ＲＸデータプロセッサ１８６０は、ＮR個の受信機１８５４からＮR個の受信シンボルストリームを受信し、特定の受信機処理技法に基づいて処理して、ＮT個の「検出」シンボルストリームを供給することができる。ＲＸデータプロセッサ１８６０は、各検出シンボルストリームを復調し、デインタリーブし、復号して、データストリームのトラフィックデータを復元することができる。ＲＸデータプロセッサ１８６０による処理は、基地局１８１０においてＴＸ  ＭＩＭＯプロセッサ１８２０およびＴＸデータプロセッサ１８１４によって実行される処理を補足するものである。
【０１２２】
逆方向リンクメッセージは、通信リンクおよび／または受信データストリームに関する様々なタイプの情報を備えることができる。逆方向リンクメッセージは、データソース１８３６からいくつかのデータストリームのトラフィックデータをも受信するＴＸデータプロセッサ１８３８によって処理され、変調器１８８０によって変調され、送信機１８５４ａ〜１８５４ｒによって調整され、基地局１８１０に戻される。
【０１２３】
基地局１８１０において、モバイルデバイス１８５０からの変調信号は、アンテナ１８２４によって受信され、受信機１８２２によって調整され、復調器１８４０によって復調され、ＲＸデータプロセッサ１８４２によって処理されて、モバイルデバイス１８５０によって送信された逆方向リンクメッセージが抽出される。さらに、プロセッサ１８３０は、抽出されたメッセージを処理して、ビームフォーミング重みを決定するためにどのプリコーディング行列を使用すべきかを決定することができる。
【０１２４】
プロセッサ１８３０および１８７０は、それぞれ基地局１８１０およびモバイルデバイス１８５０における動作を指示（たとえば、制御、調整、管理など）することができる。それぞれのプロセッサ１８３０および１８７０は、プログラムコードおよびデータを記憶するメモリ１８３２および１８７２に結合され得る。プロセッサ１８３０および１８７０はまた、それぞれ、アップリンクとダウンリンクとに関して周波数推定値とインパルス応答推定値とを導き出すために計算を実行することができる。
【０１２５】
図１９に、本明細書の教示が実装され得る、何人かのユーザをサポートするように構成されたワイヤレス通信システム１９００を示す。システム１９００は、たとえば、マクロセル１９０２Ａ〜１９０２Ｇなど、複数のセル１９０２の通信を可能にし、各セルは、対応するアクセスノード１９０４（たとえば、アクセスノード１９０４Ａ〜１９０４Ｇ）によってサービスされる。図１９に示すように、アクセス端末１９０６（たとえば、アクセス端末１９０６Ａ〜１９０６Ｌ）は、時間とともにシステム全体にわたって様々なロケーションに分散され得る。各アクセス端末１９０６は、たとえば、アクセス端末１９０６がアクティブかどうか、およびアクセス端末１９０６がソフトハンドオフ中かどうかに応じて、所与の瞬間に順方向リンク（ＦＬ）および／または逆方向リンク（ＲＬ）上で１つまたは複数のアクセスノード１９０４と通信することができる。ワイヤレス通信システム１９００は広い地理的領域にわたってサービスを提供することができる。
【０１２６】
図２０に、１つまたは複数のフェムトノードがネットワーク環境内に展開された例示的な通信システム２０００を示す。特に、システム２０００は、比較的小規模のネットワーク環境中に（たとえば、１つまたは複数のユーザ住居２０３０中に）設置された複数のフェムトノード２０１０Ａおよび２０１０Ｂ（たとえば、フェムトセルノードまたはＨ（ｅ）ＮＢ）を含む。各フェムトノード２０１０は、デジタル加入者回線（ＤＳＬ）ルータ、ケーブルモデム、ワイヤレスリンク、または他の接続手段（図示せず）を介して、ワイドエリアネットワーク２０４０（たとえば、インターネット）とモバイル事業者コアネットワーク２０５０とに結合され得る。以下で説明するように、各フェムトノード２０１０は、関連するアクセス端末２０２０（たとえば、アクセス端末２０２０Ａ）、および、随意に、外来アクセス端末２０２０（たとえば、アクセス端末２０２０Ｂ）をサービスするように構成され得る。言い換えれば、フェムトノード２０１０へのアクセスは、所与のアクセス端末２０２０が、指定された（１つまたは複数の）（たとえば、ホーム）フェムトノード２０１０のセットによってサービスされ得るが、指定されていないフェムトノード２０１０（たとえば、近隣のフェムトノード）によってはサービスされ得ないように制限され得る。
【０１２７】
図２１に、いくつかのトラッキングエリア２１００（またはルーティングエリアまたはロケーションエリア）が画定されたカバレージマップ２１０２の例を示し、そのエリアの各々はいくつかのマクロカバレージエリア２１０４を含む。ここで、トラッキングエリア２１０２Ａ、２１０２Ｂ、および２１０２Ｃに関連するカバレージのエリアは太線によって示され、マクロカバレージエリア２１０４は六角形によって表される。追跡エリア２１０２はフェムトカバレージエリア２１０６をも含む。この例では、フェムトカバレージエリア２１０６（たとえば、フェムトカバレージエリア２１０６Ｃ）の各々は、マクロカバレージエリア２１０４（たとえば、マクロカバレージエリア２１０４Ｂ）内に示される。ただし、フェムトカバレージエリア２１０６は、完全にマクロカバレージエリア２１０４内にあるわけではないことを諒解されたい。実際には、多数のフェムトカバレージエリア２１０６が所与のトラッキングエリア２１０２またはマクロカバレージエリア２１０４とともに画定され得る。また、１つまたは複数のピコカバレージエリア（図示せず）が所与の追跡エリア２１０２またはマクロカバレージエリア２１０４内に画定され得る。
【０１２８】
再び図２０を参照すると、フェムトノード２０１０の所有者は、たとえば、３Ｇモバイルサービスなど、モバイル事業者コアネットワーク２０５０を介して提供されるモバイルサービスに加入することができる。さらに、アクセス端末２０２０は、マクロ環境と、より小規模の（たとえば、宅内）ネットワーク環境の両方で動作することが可能であり得る。したがって、たとえば、アクセス端末２０２０の現在ロケーションに応じて、アクセス端末２０２０は、アクセスノード２０６０によって、または、フェムトノード２０１０のセットのうちのいずれか１つ（たとえば、対応するユーザ住居２０３０内に常駐するフェムトノード２０１０Ａおよび２０１０Ｂ）によってサービスされ得る。たとえば、加入者は、自宅の外にいるときは標準のマクロセルアクセスノード（たとえば、ノード２０６０）によってサービスされ、自宅にいるときはフェムトノード（たとえば、ノード２０１０Ａ）によってサービスされる。ここで、フェムトノード２０１０は既存のアクセス端末２０２０と後方互換性があり得ることを諒解されたい。
【０１２９】
フェムトノード２０１０は、単一の周波数上に展開され、または代替として、複数の周波数上に展開され得る。特定の構成に応じて、単一の周波数、あるいは複数の周波数のうちの１つまたは複数は、マクロセルアクセスノード（たとえば、ノード２０６０）によって使用される１つまたは複数の周波数と重複することがある。いくつかの態様では、アクセス端末２０２０は、そのような接続性が可能であるときはいつでも、好ましいフェムトノード（たとえば、アクセス端末２０２０のホームフェムトノード）に接続するように構成され得る。たとえば、アクセス端末２０２０は、ユーザの住居２０３０内にあるときはいつでも、ホームフェムトノード２０１０と通信することができる。
【０１３０】
いくつかの態様では、アクセス端末２０２０がモバイル事業者コアネットワーク２０５０内で動作しているが、（たとえば、好適ローミングリスト中で定義された）その最も好適なネットワーク上に常駐していない場合、アクセス端末２０２０は、ベターシステムリセレクション（ＢＳＲ：Better System Reselection）を使用して、最も好適なネットワーク（たとえば、フェムトノード２０１０）を探索し続けることができ、ベターシステムリセレクションでは、より良好なシステムが現在利用可能であるかどうかを決定するために利用可能なシステムの周期的スキャニングを行い、その後、そのような好適なシステムに関連付けようとすることができる。（たとえば、好適ローミングリスト中の）収集テーブルエントリを使用して、一例では、アクセス端末２０２０は、特定の帯域およびチャネルについて探索を制限することができる。たとえば、最も好適なシステムの探索が周期的に繰り返され得る。フェムトノード２０１０など好適なフェムトノードが発見されると、アクセス端末２０２０は、そのカバレージエリア内にキャンプするためのフェムトノード２０１０を選択する。
【０１３１】
フェムトノードは、いくつかの態様では、制限され得る。たとえば、所与のフェムトノードが、いくつかのサービスをいくつかのアクセス端末のみに提供することができる。いわゆる制限（または限定）された関連付けを用いた展開では、所与のアクセス端末が、マクロセルモバイルネットワークと、フェムトノードの定義されたセット（たとえば、対応するユーザ住居２０３０内に常駐するフェムトノード２０１０）とのみによってサービスされ得る。いくつかの実装形態では、フェムトノードが、少なくとも１つのアクセス端末に、シグナリング、データアクセス、登録、ページング、またはサービスのうちの少なくとも１つを与えないように制限され得る。
【０１３２】
いくつかの態様では、（限定加入者グループＨ（ｅ）ＮＢと呼ばれることもある）制限されたフェムトノードが、アクセス端末の制限されたプロビジョニングされたセットにサービスを提供するノードである。このセットは、必要に応じて一時的にまたは永続的に拡大され得る。いくつかの態様では、限定加入者グループ（ＣＳＧ）が、アクセス端末の共通のアクセス制御リストを共有するアクセスノード（たとえば、フェムトノード）のセットとして定義され得る。領域中のすべてのフェムトノード（またはすべての制限されたフェムトノード）が動作するチャネルは、フェムトチャネルと呼ばれることがある。
【０１３３】
したがって、所与のフェムトノードと所与のアクセス端末との間に様々な関係が存在することがある。たとえば、アクセス端末の観点から、オープンフェムトノードが、制限された関連付けをもたないフェムトノードを指すことがある。制限されたフェムトノードは、何らかの形で制限された（たとえば、関連付けおよび／または登録について制限された）フェムトノードを指すことがある。ホームフェムトノードは、アクセス端末がアクセスし、その上で動作することを許可されるフェムトノードを指すことがある。ゲストフェムトノードは、アクセス端末がアクセスするかまたはその上で動作することを一時的に許可されるフェムトノードを指すことがある。外来フェムトノードは、おそらく非常事態（たとえば、９１１番）を除いて、アクセス端末がアクセスまたはその上で動作することを許可されないフェムトノードを指すことがある。
【０１３４】
制限フェムトノードの観点から、ホームアクセス端末は、制限されたフェムトノードへのアクセスを許可されるアクセス端末を指すことがある。ゲストアクセス端末は、制限されたフェムトノードへの一時的アクセスをもつアクセス端末を指すことがある。外来アクセス端末は、おそらく非常事態、たとえば、９１１番を除いて、制限されたフェムトノードにアクセスする許可を有しないアクセス端末（たとえば、制限されたフェムトノードに登録するための証明書または許可を有しないアクセス端末）を指すことがある。
【０１３５】
便宜のために、本明細書の開示では、フェムトノードの文脈で様々な機能について説明する。ただし、ピコノードは、フェムトノードと同じまたは同様の機能をより大きいカバレージエリアに提供することができることを諒解されたい。たとえば、所与のアクセス端末に対して、ピコノードを制限すること、ホームピコノードを定義することなどが行われ得る。
【０１３６】
ワイヤレス多元接続通信システムは、複数のワイヤレスアクセス端末のための通信を同時にサポートすることができる。上述のように、各端末は、順方向リンクおよび逆方向リンク上の送信を介して１つまたは複数の基地局と通信することができる。順方向リンク（またはダウンリンク）とは、基地局から端末への通信リンクを指し、逆方向リンク（またはアップリンク）とは、端末から基地局への通信リンクを指す。この通信リンクは、単入力単出力システム、ＭＩＭＯシステム、または何らかの他のタイプのシステムを介して確立され得る。
【０１３７】
本明細書で開示した実施形態に関して説明した様々な例示的な論理、論理ブロック、モジュール、構成要素、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサ、あるいは任意の他のそのような構成として実装され得る。さらに、少なくとも１つのプロセッサは、上記で説明したステップおよび／またはアクションの１つまたは複数を実行するように動作可能な１つまたは複数のモジュールを備え得る。例示的な記憶媒体は、プロセッサが記憶媒体から情報を読み取り、記憶媒体に情報を書き込むことができるようにプロセッサに結合され得る。代替として、記憶媒体はプロセッサに一体化され得る。さらに、いくつかの態様では、プロセッサおよび記憶媒体はＡＳＩＣ中に常駐し得る。さらに、ＡＳＩＣはユーザ端末中に常駐し得る。代替として、プロセッサおよび記憶媒体は、ユーザ端末中に個別構成要素として常駐し得る。
【０１３８】
１つまたは複数の態様では、説明した機能、方法またはアルゴリズムは、ハードウェア、ソフトウェア、ファームウェア、またはそれらの任意の組合せで実装され得る。ソフトウェアで実装する場合、機能は、１つまたは複数の命令またはコードとして、コンピュータプログラム製品に組み込まれ得る、コンピュータ可読媒体上に記憶されるか、あるいはコンピュータ可読媒体上で送信され得る。コンピュータ可読媒体は、ある場所から別の場所へのコンピュータプログラムの転送を可能にする任意の媒体を含む、コンピュータ記憶媒体とコンピュータ通信媒体の両方を含む。記憶媒体は、コンピュータによってアクセスされ得る任意の利用可能な媒体であり得る。限定ではなく例として、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令またはデータ構造の形態の所望のプログラムコードを搬送または記憶するために使用され得、コンピュータによってアクセスされ得る、任意の他の媒体を備えることができる。また、実質的にいかなる接続もコンピュータ可読媒体と呼ばれ得る。たとえば、ソフトウェアが、同軸ケーブル、光ファイバケーブル、ツイストペア、デジタル加入者回線（ＤＳＬ）、または赤外線、無線、およびマイクロ波などのワイヤレス技術を使用して、ウェブサイト、サーバ、または他のリモートソースから送信される場合、同軸ケーブル、光ファイバケーブル、ツイストペア、ＤＳＬ、または赤外線、無線、およびマイクロ波などのワイヤレス技術は、媒体の定義に含まれる。本明細書で使用するディスク（disk）およびディスク（disc）は、コンパクトディスク（disc）（ＣＤ）、レーザディスク（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、通常、データをレーザで光学的に再生する。上記の組合せもコンピュータ可読媒体の範囲内に含めるべきである。
【０１３９】
上記の開示は、例示的な態様および／または実施形態について論じたが、添付の特許請求の範囲によって定義された記載の態様および／または実施形態の範囲から逸脱することなく、様々な変更および改変を本明細書で行うことができることに留意されたい。さらに、記載の態様および／または実施形態の要素は、単数形で説明または請求されていることがあるが、単数形に限定することが明示的に述べられていない限り、複数形が企図される。さらに、任意の態様および／または実施形態の全部または一部は、別段の規定がない限り、任意の他の態様および／または実施形態の全部または一部とともに利用され得る。
以下に、本願出願の当初の特許請求の範囲に記載された発明を付記する。
［Ｃ１］
ワイヤレス通信においてローカルインターネットプロトコル（ＩＰ）オフロードを行うための方法であって、
アクセスポイントにおいてデバイスのパケットデータコンテキストを確立したいという要求を受信することと、
前記パケットデータコンテキストがローカルＩＰオフロードに対応すると決定することと、
ローカルＩＰオフロードインジケータに少なくとも部分的に基づいて、前記アクセスポイントが前記ローカルＩＰオフロードをサポートするかどうかを決定することと、
前記パケットデータコンテキストが前記ローカルＩＰオフロードインジケータに対応すると前記決定することと前記ローカルＩＰオフロードとに少なくとも部分的に基づいて、前記パケットデータコンテキストを確立するためのゲートウェイを選択することと
を備える、方法。
［Ｃ２］
前記要求を前記受信することは、前記アクセスポイントからフォワーディングされた前記要求を受信することを備え、前記ローカルＩＰオフロードインジケータは、前記アクセスポイントからフォワーディングされた前記要求中で受信された、前記ゲートウェイのＩＰアドレスを備える、
［Ｃ１］に記載の方法。
［Ｃ３］
前記パケットデータコンテキストが前記ローカルＩＰオフロードに対応すると前記決定することは、前記デバイスのサブスクリプションデータ中で受信された１つまたは複数のパーミッションまたはインジケータに少なくとも部分的に基づく、
［Ｃ１］に記載の方法。
［Ｃ４］
前記１つまたは複数のパーミッションまたはインジケータは、１つまたは複数のアクセスポイント名（ＡＰＮ）について前記ローカルＩＰオフロードが可能にされるかどうかを指定し、前記要求は、前記１つまたは複数のＡＰＮのうちの少なくとも１つを含む、
［Ｃ３］に記載の方法。
［Ｃ５］
前記デバイスの限定加入者グループ（ＣＳＧ）サブスクリプションデータを受信することと、
前記ＣＳＧサブスクリプションデータ中の１つまたは複数のパーミッションまたはインジケータに少なくとも部分的に基づいて、前記デバイスが前記アクセスポイントにおいて前記ローカルＩＰオフロードを使用することを可能にされるかどうかを決定することと
をさらに備え、前記ゲートウェイを前記選択することは、前記デバイスが前記アクセスポイントにおいて前記ローカルＩＰオフロードを使用することを可能にされるかどうかを前記決定することにさらに少なくとも部分的に基づく、
［Ｃ１］に記載の方法。
［Ｃ６］
前記１つまたは複数のパーミッションまたはインジケータが、前記ＣＳＧサブスクリプションデータ中の１つまたは複数のパーミッションまたはインジケータに少なくとも部分的に基づいて、前記要求中で指定されたアクセスポイント名（ＡＰＮ）について前記ローカルＩＰオフロードが可能にされるかどうかを指定する、
［Ｃ５］に記載の方法。
［Ｃ７］
前記１つまたは複数のパーミッションまたはインジケータは、前記ローカルＩＰオフロードが前記ＡＰＮについて条件付きであることを指定し、前記デバイスが前記アクセスポイントにおいて前記ローカルＩＰオフロードを利用することを可能にされるかどうかを前記決定することは、前記デバイスが前記アクセスポイントにおいて前記ローカルＩＰオフロードを利用することを可能にされないと決定することを備え、前記ゲートウェイを前記選択することは、前記ゲートウェイのドメインネームサービスルックアップを実行することに少なくとも部分的に基づく、
［Ｃ６］に記載の方法。
［Ｃ８］
前記ローカルＩＰオフロードを使用して通信するための、前記アクセスポイントにおける無線ベアラの確立を要求することと、
前記ゲートウェイにおいて確立された前記パケットデータコンテキストを前記無線ベアラに関連付けることと、
前記パケットデータコンテキストに関する１つまたは複数のパラメータを前記デバイスに通信することと
をさらに備える、［Ｃ１］に記載の方法。
［Ｃ９］
ワイヤレス通信においてローカルインターネットプロトコル（ＩＰ）オフロードを行うための装置であって、
アクセスポイントにおいてデバイスのパケットデータコンテキストを確立したいという要求を取得することと、
前記パケットデータコンテキストがローカルＩＰオフロードに対応すると決定することと、
ローカルＩＰオフロードインジケータに少なくとも部分的に基づいて、前記アクセスポイントが前記ローカルＩＰオフロードをサポートするかどうかを決定することと、
前記ローカルＩＰオフロードに対応する前記パケットデータコンテキストと前記ローカルＩＰオフロードインジケータとに少なくとも部分的に基づいて、前記パケットデータコンテキストを確立するためのゲートウェイを選択することと
を行うように構成された少なくとも１つのプロセッサと、
前記少なくとも１つのプロセッサに結合されたメモリと
を備える、装置。
［Ｃ１０］
前記ローカルＩＰオフロードインジケータは、前記アクセスポイントからフォワーディングされた前記要求中で受信された前記ゲートウェイのＩＰアドレスを備える、
［Ｃ９］に記載の装置。
［Ｃ１１］
前記少なくとも１つのプロセッサは、前記デバイスのサブスクリプションデータ中で受信された１つまたは複数のインジケータまたはパーミッションに少なくとも部分的に基づいて、前記パケットデータコンテキストが前記ローカルＩＰオフロードに対応すると決定する、
［Ｃ９］に記載の装置。
［Ｃ１２］
前記１つまたは複数のインジケータまたはパーミッションは、１つまたは複数のアクセスポイント名（ＡＰＮ）について前記ローカルＩＰオフロードが可能にされるかどうかを指定し、前記要求は、前記１つまたは複数のＡＰＮのうちの少なくとも１つを含む、
［Ｃ１１］に記載の装置。
［Ｃ１３］
前記少なくとも１つのプロセッサは、
前記デバイスの限定加入者グループ（ＣＳＧ）サブスクリプションデータを受信することと、
前記ＣＳＧサブスクリプションデータ中の１つまたは複数のインジケータまたはパーミッションに少なくとも部分的に基づいて、前記デバイスが前記アクセスポイントにおいて前記ローカルＩＰオフロードを使用することを可能にされるかどうかを決定することと
をさらに行うように構成され、前記少なくとも１つのプロセッサは、前記デバイスが前記アクセスポイントにおいて前記ローカルＩＰオフロードを使用することを可能にされるかどうかにさらに少なくとも部分的に基づいて前記ゲートウェイを選択する、
［Ｃ９］に記載の装置。
［Ｃ１４］
前記１つまたは複数のインジケータまたはパーミッションは、前記ＣＳＧサブスクリプションデータ中の１つまたは複数のインジケータまたはパーミッションに少なくとも部分的に基づいて、前記要求中で指定されたアクセスポイント名（ＡＰＮ）について前記ローカルＩＰオフロードが可能にされるかどうかを指定する、
［Ｃ１３］に記載の装置。
［Ｃ１５］
前記１つまたは複数のインジケータまたはパーミッションは、前記ローカルＩＰオフロードが前記ＡＰＮについて条件付きであることを指定し、前記少なくとも１つのプロセッサは、前記デバイスが前記アクセスポイントにおいて前記ローカルＩＰオフロードを利用することを可能にされないと決定し、前記ゲートウェイのドメインネームサービスルックアップを実行することに少なくとも部分的に基づいて、前記ゲートウェイを選択する、
［Ｃ１４］に記載の装置。
［Ｃ１６］
前記少なくとも１つのプロセッサは、
前記ローカルＩＰオフロードを使用して通信するための、前記アクセスポイントにおける無線ベアラの確立を要求することと、
前記ゲートウェイにおいて確立された前記パケットデータコンテキストを前記無線ベアラに関連付けることと、
前記パケットデータコンテキストに関する１つまたは複数のパラメータを前記デバイスに通信することと
を行うようにさらに構成された、［Ｃ９］に記載の装置。
［Ｃ１７］
ワイヤレス通信においてローカルインターネットプロトコル（ＩＰ）オフロードを行うための装置であって、
アクセスポイントにおいてデバイスのパケットデータコンテキストを確立したいという要求を受信するための手段と、
前記パケットデータコンテキストがローカルＩＰオフロードに対応すると決定し、ローカルＩＰオフロードインジケータに少なくとも部分的に基づいて、前記アクセスポイントが前記ローカルＩＰオフロードをサポートするかどうかを見分けるための手段と、
前記ローカルＩＰオフロードに対応する前記パケットデータコンテキストと前記ローカルＩＰオフロードインジケータとに少なくとも部分的に基づいて、前記パケットデータコンテキストを確立するためのゲートウェイを選択するための手段と
を備える、装置。
［Ｃ１８］
前記ローカルＩＰオフロードインジケータが、前記アクセスポイントからフォワーディングされた前記要求中で受信された前記ゲートウェイのＩＰアドレスを備える、
［Ｃ１７］に記載の装置。
［Ｃ１９］
前記デバイスのサブスクリプション情報を要求するための手段をさらに備え、前記決定するための手段は、前記デバイスの前記サブスクリプションデータ中の１つまたは複数のインジケータまたはパーミッションに少なくとも部分的に基づいて、前記パケットデータコンテキストが前記ローカルＩＰオフロードに対応すると決定する、
［Ｃ１７］に記載の装置。
［Ｃ２０］
前記１つまたは複数のインジケータまたはパーミッションは、１つまたは複数のアクセスポイント名（ＡＰＮ）について前記ローカルＩＰオフロードが可能にされるかどうかを指定し、前記要求が、前記１つまたは複数のＡＰＮのうちの少なくとも１つを含む、
［Ｃ１９］に記載の装置。
［Ｃ２１］
前記デバイスの限定加入者グループ（ＣＳＧ）サブスクリプションデータを受信するための手段をさらに備え、前記決定するための手段は、前記ＣＳＧサブスクリプションデータ中の１つまたは複数のインジケータまたはパーミッションに少なくとも部分的に基づいて、前記デバイスが前記アクセスポイントにおいて前記ローカルＩＰオフロードを使用することを可能にされるかどうかをさらに決定し、前記選択するための手段は、前記デバイスが前記アクセスポイントにおいて前記ローカルＩＰオフロードを使用することを可能にされるかどうかにさらに少なくとも部分的に基づいて、前記ゲートウェイを選択する、
［Ｃ１７］に記載の装置。
［Ｃ２２］
前記１つまたは複数のインジケータまたはパーミッションは、前記ＣＳＧサブスクリプションデータ中の１つまたは複数のインジケータまたはパーミッションに少なくとも部分的に基づいて、前記要求中で指定されたアクセスポイント名（ＡＰＮ）について前記ローカルＩＰオフロードが可能にされるかどうかを指定する、
［Ｃ２１］に記載の装置。
［Ｃ２３］
前記１つまたは複数のインジケータまたはパーミッションは、前記ローカルＩＰオフロードが前記ＡＰＮについて条件付きであることを指定し、前記決定するための手段は、前記デバイスが前記アクセスポイントにおいて前記ローカルＩＰオフロードを利用することを可能にされないと決定し、前記選択するための手段は、前記ゲートウェイのドメインネームサービスルックアップを実行することに少なくとも部分的に基づいて、前記ゲートウェイを選択する、
［Ｃ２２］に記載の装置。
［Ｃ２４］
前記ローカルＩＰオフロードを使用して通信するための、前記アクセスポイントにおける無線ベアラの確立を要求し、前記ゲートウェイにおいて確立される前記パケットデータコンテキストを前記無線ベアラに関連付けるための手段をさらに備え、前記受信するための手段が、前記パケットデータコンテキストに関する１つまたは複数のパラメータを前記デバイスにさらに通信する、
［Ｃ１７］に記載の装置。
［Ｃ２５］
ワイヤレス通信においてローカルインターネットプロトコル（ＩＰ）オフロードを行うためのコンピュータプログラム製品であって、
少なくとも１つのコンピュータに、アクセスポイントにおいてデバイスのパケットデータコンテキストを確立したいという要求を取得させるためのコードと、
前記少なくとも１つのコンピュータに、前記パケットデータコンテキストがローカルＩＰオフロードに対応すると決定させるためのコードと、
前記少なくとも１つのコンピュータに、ローカルＩＰオフロードインジケータに少なくとも部分的に基づいて、前記アクセスポイントが前記ローカルＩＰオフロードをサポートするかどうかを見分けさせるためのコードと、
前記少なくとも１つのコンピュータに、前記ローカルＩＰオフロードに対応する前記パケットデータコンテキストと前記ローカルＩＰオフロードインジケータとに少なくとも部分的に基づいて、前記パケットデータコンテキストを確立するためのゲートウェイを選択させるためのコードと
を備える、コンピュータ可読媒体
を備える、コンピュータプログラム製品。
［Ｃ２６］
前記ローカルＩＰオフロードインジケータは、前記アクセスポイントから前記フォワーディングされた要求中で前記受信されたゲートウェイのＩＰアドレスを備える、
［Ｃ２５］に記載のコンピュータプログラム製品。
［Ｃ２７］
前記少なくとも１つのコンピュータに決定させるための前記コードは、前記デバイスのサブスクリプションデータ中で受信された１つまたは複数のインジケータまたはパーミッションに少なくとも部分的に基づいて、前記パケットデータコンテキストが前記ローカルＩＰオフロードに対応すると決定する、
［Ｃ２５］に記載のコンピュータプログラム製品。
［Ｃ２８］
前記１つまたは複数のインジケータまたはパーミッションが、１つまたは複数のアクセスポイント名（ＡＰＮ）について前記ローカルＩＰオフロードが可能にされるかどうかを指定し、前記要求が、前記１つまたは複数のＡＰＮのうちの少なくとも１つを含む、
［Ｃ２７］に記載のコンピュータプログラム製品。
［Ｃ２９］
前記コンピュータ可読媒体は、
前記少なくとも１つのコンピュータに、前記デバイスの限定加入者グループ（ＣＳＧ）サブスクリプションデータを受信させるためのコードと、
前記少なくとも１つのコンピュータに、前記ＣＳＧサブスクリプションデータ中の１つまたは複数のインジケータまたはパーミッションに少なくとも部分的に基づいて、前記デバイスが前記アクセスポイントにおいて前記ローカルＩＰオフロードを使用することを可能にされるかどうかを決定させるためのコードと
をさらに備え、前記少なくとも１つのコンピュータに、選択させるための前記コードは、前記デバイスが前記アクセスポイントにおいて前記ローカルＩＰオフロードを使用することを可能にされるかどうかにさらに少なくとも部分的に基づいて前記ゲートウェイを選択する、
［Ｃ２５］に記載のコンピュータプログラム製品。
［Ｃ３０］
前記１つまたは複数のインジケータまたはパーミッションは、前記ＣＳＧサブスクリプションデータ中の１つまたは複数のインジケータまたはパーミッションに少なくとも部分的に基づいて、前記要求中で指定されたアクセスポイント名（ＡＰＮ）について前記ローカルＩＰオフロードが可能にされるかどうかを指定する、
［Ｃ２９］に記載のコンピュータプログラム製品。
［Ｃ３１］
前記１つまたは複数のインジケータまたはパーミッションは、前記ローカルＩＰオフロードが前記ＡＰＮについて条件付きであることを指定し、前記少なくとも１つのコンピュータに決定させるための前記コードは、前記デバイスが前記アクセスポイントにおいて前記ローカルＩＰオフロードを利用することを可能にされないと決定し、前記少なくとも１つのコンピュータに選択させるための前記コードは、前記ゲートウェイのドメインネームサービスルックアップを実行することに少なくとも部分的に基づいて、前記ゲートウェイを選択する、
［Ｃ３０］に記載のコンピュータプログラム製品。
［Ｃ３２］
前記コンピュータ可読媒体は、
前記少なくとも１つのコンピュータに、前記ローカルＩＰオフロードを使用して通信するための、前記アクセスポイントにおける無線ベアラの確立を要求させるためのコードと、
前記少なくとも１つのコンピュータに、前記ゲートウェイにおいて確立された前記パケットデータコンテキストを前記無線ベアラに関連付けさせるためのコードと、
前記少なくとも１つのコンピュータに、前記パケットデータコンテキストに関する１つまたは複数のパラメータを前記デバイスに通信させるためのコードと
をさらに備える、［Ｃ２５］に記載のコンピュータプログラム製品。
［Ｃ３３］
ワイヤレス通信においてローカルインターネットプロトコル（ＩＰ）オフロードを行うための装置であって、
アクセスポイントにおいてデバイスのパケットデータコンテキストを確立したいという要求を受信するためのコンテキスト確立構成要素と、
前記パケットデータコンテキストがローカルＩＰオフロードに対応すると決定し、ローカルＩＰオフロードインジケータに少なくとも部分的に基づいて、前記アクセスポイントが前記ローカルＩＰオフロードをサポートするかどうかを見分けるためのローカルＩＰオフロードサポート決定構成要素と、
前記ローカルＩＰオフロードに対応する前記パケットデータコンテキストと前記ローカルＩＰオフロードインジケータとに少なくとも部分的に基づいて、前記パケットデータコンテキストを確立するためのゲートウェイを選択するためのゲートウェイ選択構成要素と
を備える、装置。
［Ｃ３４］
前記ローカルＩＰオフロードインジケータが、前記アクセスポイントからフォワーディングされた前記要求中で受信された前記ゲートウェイのＩＰアドレスを備える、
［Ｃ３３］に記載の装置。
［Ｃ３５］
前記デバイスのサブスクリプションデータを要求するためのサブスクリプション要求構成要素をさらに備え、前記ローカルＩＰオフロードサポート決定構成要素は、前記デバイスの前記サブスクリプションデータ中の１つまたは複数のインジケータまたはパーミッションに少なくとも部分的に基づいて、前記パケットデータコンテキストが前記ローカルＩＰオフロードに対応すると決定する、
［Ｃ３３］に記載の装置。
［Ｃ３６］
前記１つまたは複数のインジケータまたはパーミッションが、１つまたは複数のアクセスポイント名（ＡＰＮ）について前記ローカルＩＰオフロードが可能にされるかどうかを指定し、前記要求が、前記１つまたは複数のＡＰＮのうちの少なくとも１つを含む、
［Ｃ３５］に記載の装置。
［Ｃ３７］
前記デバイスの限定加入者グループ（ＣＳＧ）サブスクリプションデータを受信するためのサブスクリプション要求構成要素をさらに備え、前記ローカルＩＰオフロードサポート決定構成要素は、前記ＣＳＧサブスクリプションデータ中の１つまたは複数のインジケータまたはパーミッションに少なくとも部分的に基づいて、前記デバイスが前記アクセスポイントにおいて前記ローカルＩＰオフロードを使用することを可能にされるかどうかをさらに決定し、前記ゲートウェイ選択構成要素は、前記デバイスが前記アクセスポイントにおいて前記ローカルＩＰオフロードを使用することを可能にされるかどうかにさらに少なくとも部分的に基づいて、前記ゲートウェイを選択する、
［Ｃ３３］に記載の装置。
［Ｃ３８］
前記１つまたは複数のインジケータまたはパーミッションが、前記ＣＳＧサブスクリプションデータ中の１つまたは複数のインジケータまたはパーミッションに少なくとも部分的に基づいて、前記要求中で指定されたアクセスポイント名（ＡＰＮ）について前記ローカルＩＰオフロードが可能にされるかどうかを指定する、
［Ｃ３７］に記載の装置。
［Ｃ３９］
前記１つまたは複数のインジケータまたはパーミッションは、前記ローカルＩＰオフロードが前記ＡＰＮについて条件付きであることを指定し、前記ＩＰオフロードサポート決定構成要素は、前記デバイスが前記アクセスポイントにおいて前記ローカルＩＰオフロードを利用することを可能にされないと決定し、前記ゲートウェイ選択構成要素は、前記ゲートウェイのドメインネームサービスルックアップを実行することに少なくとも部分的に基づいて、前記ゲートウェイを選択する、
［Ｃ３８］に記載の装置。
［Ｃ４０］
前記ローカルＩＰオフロードを使用して通信するための、前記アクセスポイントにおける無線ベアラの確立を要求し、前記ゲートウェイにおいて確立される前記パケットデータコンテキストを前記無線ベアラに関連付けるためのベアラ確立構成要素をさらに備え、前記コンテキスト確立構成要素が、前記パケットデータコンテキストに関する１つまたは複数のパラメータを前記デバイスにさらに通信する、
［Ｃ３３］に記載の装置。
［Ｃ４１］
ローカルインターネットプロトコル（ＩＰ）オフロードのパケットデータコンテキストを非アクティブ化するための方法であって、
第１のアクセスポイントにおいてデバイスからの登録要求を受信することと、
前記デバイスが、ローカルＩＰオフロードを使用して通信するための、第２のアクセスポイントとのパケットデータコンテキストを有すると決定することと、
前記第２のアクセスポイントの１つまたは複数のパラメータに少なくとも部分的に基づいて前記パケットデータコンテキストを非アクティブ化することと
を備える、方法。
［Ｃ４２］
前記第２のアクセスポイントの前記１つまたは複数のパラメータが、ゲートウェイによって定義されたローカルＩＰオフロードサポートの範囲を備える、
［Ｃ４１］に記載の方法。
［Ｃ４３］
前記第２のアクセスポイントの前記１つまたは複数のパラメータは、前記パケットデータコンテキストの要求中で受信されたゲートウェイのＩＰアドレスを備え、前記パケットデータコンテキストを非アクティブ化することは、前記ゲートウェイの前記ＩＰアドレスが、前記登録要求中で指定された異なるゲートウェイの異なるＩＰアドレスに一致しないと決定することに少なくとも部分的に基づく、
［Ｃ４１］に記載の方法。
［Ｃ４４］
前記第２のアクセスポイントの前記１つまたは複数のパラメータは、前記第２のアクセスポイントに関係する第２のセル識別子を備え、前記パケットデータコンテキストを非アクティブ化することは、前記第２のセル識別子が前記第１のアクセスポイントに関係する第１のセル識別子に一致しないと決定することに少なくとも部分的に基づく、
［Ｃ４１］に記載の方法。
［Ｃ４５］
前記第２のアクセスポイントの前記１つまたは複数のパラメータは、前記第２のアクセスポイントに関係する第２の限定加入者グループ（ＣＳＧ）識別子を備え、前記パケットデータコンテキストを非アクティブ化することは、前記第２のＣＳＧ識別子が前記第１のアクセスポイントに関係する第１のＣＳＧ識別子に一致しないと決定することに少なくとも部分的に基づく、
［Ｃ４１］に記載の方法。
［Ｃ４６］
ローカルインターネットプロトコル（ＩＰ）オフロードのパケットデータコンテキストを非アクティブ化するための装置であって、
第１のアクセスポイントにおいてデバイスからの登録要求を受信することと、
前記デバイスが、ローカルＩＰオフロードを使用して通信するための、第２のアクセスポイントとのパケットデータコンテキストを使用すると決定することと、
前記第２のアクセスポイントの１つまたは複数のパラメータに少なくとも部分的に基づいて前記パケットデータコンテキストを非アクティブ化することと
を行うように構成された少なくとも１つのプロセッサと、
前記少なくとも１つのプロセッサに結合されたメモリと
を備える、装置。
［Ｃ４７］
前記第２のアクセスポイントの前記１つまたは複数のパラメータは、ゲートウェイによって定義されたローカルＩＰオフロードサポートの範囲を備える、
［Ｃ４６］に記載の装置。
［Ｃ４８］
前記第２のアクセスポイントの前記１つまたは複数のパラメータは、前記パケットデータコンテキストの要求中で受信されたゲートウェイのＩＰアドレスを備え、前記少なくとも１つのプロセッサは、前記ゲートウェイの前記ＩＰアドレスが、前記登録要求中で指定された異なるゲートウェイの異なるＩＰアドレスに一致しないと決定することに少なくとも部分的に基づいて、前記パケットデータコンテキストを非アクティブ化する、
［Ｃ４６］に記載の装置。
［Ｃ４９］
前記第２のアクセスポイントの前記１つまたは複数のパラメータは、前記第２のアクセスポイントに関係する第２のセル識別子を備え、前記少なくとも１つのプロセッサは、前記第２のセル識別子が前記第１のアクセスポイントに関係する第１のセル識別子に一致しないと決定することに少なくとも部分的に基づいて、前記パケットデータコンテキストを非アクティブ化する、
［Ｃ４６］に記載の装置。
［Ｃ５０］
前記第２のアクセスポイントの前記１つまたは複数のパラメータは、前記第２のアクセスポイントに関係する第２の限定加入者グループ（ＣＳＧ）識別子を備え、前記少なくとも１つのプロセッサは、前記第２のＣＳＧ識別子が前記第１のアクセスポイントに関係する第１のＣＳＧ識別子に一致しないと決定することに少なくとも部分的に基づいて、前記パケットデータコンテキストを非アクティブ化する、
［Ｃ４６］に記載の装置。
［Ｃ５１］
ローカルインターネットプロトコル（ＩＰ）オフロードのパケットデータコンテキストを非アクティブ化するための装置であって、
第１のアクセスポイントにおいてデバイスからの登録要求を受信するための手段と、
前記デバイスが、ローカルＩＰオフロードを使用して通信するための、第２のアクセスポイントとのパケットデータコンテキストを有すると決定するための手段と、
前記第２のアクセスポイントの１つまたは複数のパラメータに少なくとも部分的に基づいて前記パケットデータコンテキストを非アクティブ化するための手段と
を備える、装置。
［Ｃ５２］
前記第２のアクセスポイントの前記１つまたは複数のパラメータが、ゲートウェイによって定義されたローカルＩＰオフロードサポートの範囲を備える、
［Ｃ５１］に記載の装置。
［Ｃ５３］
前記第２のアクセスポイントの前記１つまたは複数のパラメータが、前記パケットデータコンテキストの要求中で受信されたゲートウェイのＩＰアドレスを備え、前記非アクティブ化するための手段は、前記ゲートウェイの前記ＩＰアドレスが、前記登録要求中で指定された異なるゲートウェイの異なるＩＰアドレスに一致しないと決定することに少なくとも部分的に基づいて前記パケットデータコンテキストを非アクティブ化する、
［Ｃ５１］に記載の装置。
［Ｃ５４］
前記第２のアクセスポイントの前記１つまたは複数のパラメータは、前記第２のアクセスポイントに関係する第２のセル識別子を備え、前記非アクティブ化するための手段は、前記第２のセル識別子が前記第１のアクセスポイントに関係する第１のセル識別子に一致しないと決定することに少なくとも部分的に基づいて前記パケットデータコンテキストを非アクティブ化する、
［Ｃ５１］に記載の装置。
［Ｃ５５］
前記第２のアクセスポイントの前記１つまたは複数のパラメータは、前記第２のアクセスポイントに関係する第２の限定加入者グループ（ＣＳＧ）識別子を備え、前記非アクティブ化するための手段は、前記第２のＣＳＧ識別子が前記第１のアクセスポイントに関係する第１のＣＳＧ識別子に一致しないと決定することに少なくとも部分的に基づいて前記パケットデータコンテキストを非アクティブ化する、
［Ｃ５１］に記載の装置。
［Ｃ５６］
ローカルインターネットプロトコル（ＩＰ）オフロードのパケットデータコンテキストを非アクティブ化するためのコンピュータプログラム製品であって、
少なくとも１つのコンピュータに、第１のアクセスポイントにおいてデバイスからの登録要求を受信させるためのコードと、
前記少なくとも１つのコンピュータに、前記デバイスが、ローカルＩＰオフロードを使用して通信するための、第２のアクセスポイントとのパケットデータコンテキストを使用すると決定させるためのコードと、
前記少なくとも１つのコンピュータに、前記第２のアクセスポイントの１つまたは複数のパラメータに少なくとも部分的に基づいて前記パケットデータコンテキストを非アクティブ化させるためのコードと
を備える、コンピュータ可読媒体
を備える、コンピュータプログラム製品。
［Ｃ５７］
前記第２のアクセスポイントの前記１つまたは複数のパラメータは、ゲートウェイによって定義されたローカルＩＰオフロードサポートの範囲を備える、
［Ｃ５６］に記載のコンピュータプログラム製品。
［Ｃ５８］
前記第２のアクセスポイントの前記１つまたは複数のパラメータは、前記パケットデータコンテキストの要求中で受信されたゲートウェイのＩＰアドレスを備え、前記少なくとも１つのコンピュータに、非アクティブ化させるための前記コードは、前記ゲートウェイの前記ＩＰアドレスが、前記登録要求中で指定された異なるゲートウェイの異なるＩＰアドレスに一致しないと決定することに少なくとも部分的に基づいて、前記パケットデータコンテキストを非アクティブ化する、
［Ｃ５６］に記載のコンピュータプログラム製品。
［Ｃ５９］
前記第２のアクセスポイントの前記１つまたは複数のパラメータは、前記第２のアクセスポイントに関係する第２のセル識別子を備え、前記少なくとも１つのコンピュータに、非アクティブ化させるための前記コードは、前記第２のセル識別子が前記第１のアクセスポイントに関係する第１のセル識別子に一致しないと決定することに少なくとも部分的に基づいて、前記パケットデータコンテキストを非アクティブ化する、
［Ｃ５６］に記載のコンピュータプログラム製品。
［Ｃ６０］
前記第２のアクセスポイントの前記１つまたは複数のパラメータは、前記第２のアクセスポイントに関係する第２の限定加入者グループ（ＣＳＧ）識別子を備え、前記少なくとも１つのコンピュータに、非アクティブ化させるための前記コードは、前記第２のＣＳＧ識別子が前記第１のアクセスポイントに関係する第１のＣＳＧ識別子に一致しないと決定することに少なくとも部分的に基づいて、前記パケットデータコンテキストを非アクティブ化する、
［Ｃ５６］に記載のコンピュータプログラム製品。
［Ｃ６１］
ローカルインターネットプロトコル（ＩＰ）オフロードのパケットデータコンテキストを非アクティブ化するための装置であって、
第１のアクセスポイントにおいてデバイスからの登録要求を受信するためのコンテキスト確立構成要素と、
前記デバイスが、ローカルＩＰオフロードを使用して通信するための、第２のアクセスポイントとのパケットデータコンテキストを有すると決定するためのローカルＩＰオフロードステータス決定構成要素と、
前記第２のアクセスポイントの１つまたは複数のパラメータに少なくとも部分的に基づいて前記パケットデータコンテキストを非アクティブ化するためのコンテキスト非アクティブ化構成要素と
を備える、装置。
［Ｃ６２］
前記第２のアクセスポイントの前記１つまたは複数のパラメータが、ゲートウェイによって定義されたローカルＩＰオフロードサポートの範囲を備える、
［Ｃ６１］に記載の装置。
［Ｃ６３］
前記第２のアクセスポイントの前記１つまたは複数のパラメータが、前記パケットデータコンテキストの要求中で受信されたゲートウェイのＩＰアドレスを備え、前記コンテキスト非アクティブ化構成要素は、前記ゲートウェイの前記ＩＰアドレスが、前記登録要求中で指定された異なるゲートウェイの異なるＩＰアドレスに一致しないと決定することに少なくとも部分的に基づいて前記パケットデータコンテキストを非アクティブ化する、
［Ｃ６１］に記載の装置。
［Ｃ６４］
前記第２のアクセスポイントの前記１つまたは複数のパラメータは、前記第２のアクセスポイントに関係する第２のセル識別子を備え、前記コンテキスト非アクティブ化構成要素は、前記第２のセル識別子が前記第１のアクセスポイントに関係する第１のセル識別子に一致しないと決定することに少なくとも部分的に基づいて前記パケットデータコンテキストを非アクティブ化する、
［Ｃ６１］に記載の装置。
［Ｃ６５］
前記第２のアクセスポイントの前記１つまたは複数のパラメータは、前記第２のアクセスポイントに関係する第２の限定加入者グループ（ＣＳＧ）識別子を備え、前記コンテキスト非アクティブ化構成要素は、前記第２のＣＳＧ識別子が前記第１のアクセスポイントに関係する第１のＣＳＧ識別子に一致しないと決定することに少なくとも部分的に基づいて前記パケットデータコンテキストを非アクティブ化する、
［Ｃ６１］に記載の装置。
［Ｃ６６］
ローカルインターネットプロトコル（ＩＰ）オフロードがサポートされるかどうか示すための方法であって、
アクセスポイントについてローカルＩＰオフロードが有効化されているか無効化されているかを指定する１つまたは複数のローカルＩＰオフロードパラメータを受信することと、
前記１つまたは複数のローカルＩＰオフロードパラメータに少なくとも部分的に基づいて、ローカルＩＰオフロードサポートのインジケータを与えることと
を備える、方法。
［Ｃ６７］
前記インジケータを前記与えることは、デバイスからモビリティマネージャに送られた１つまたは複数のメッセージ中でゲートウェイのＩＰアドレスを与えることを備える、
［Ｃ６６］に記載の方法。
［Ｃ６８］
前記１つまたは複数のメッセージが、前記ローカルＩＰオフロードに関係するパケットデータコンテキストの要求を含む、
［Ｃ６７］に記載の方法。
［Ｃ６９］
前記１つまたは複数のメッセージは、前記デバイスが前記アクセスポイントにおいて接続を確立するための登録要求またはサービス要求を含む、
［Ｃ６７］に記載の方法。
［Ｃ７０］
ローカルインターネットプロトコル（ＩＰ）オフロードがサポートされるかどうかを示すための装置であって、
アクセスポイントについてローカルＩＰオフロードが有効化されているか無効化されているかを指定する１つまたは複数のローカルＩＰオフロードパラメータを受信することと、
前記１つまたは複数のローカルＩＰオフロードパラメータに少なくとも部分的に基づいて、ローカルＩＰオフロードサポートのインジケータを与えることと
を行うように構成された少なくとも１つのプロセッサと、
前記少なくとも１つのプロセッサに結合されたメモリと
を備える、装置。
［Ｃ７１］
前記少なくとも１つのプロセッサは、デバイスからモビリティマネージャに送られた１つまたは複数のメッセージ中でゲートウェイのＩＰアドレスを与えることに少なくとも部分的によって前記インジケータを与える、
［Ｃ７０］に記載の装置。
［Ｃ７２］
前記１つまたは複数のメッセージは、前記ローカルＩＰオフロードに関係するパケットデータコンテキストの要求を含む、
［Ｃ７１］に記載の装置。
［Ｃ７３］
前記１つまたは複数のメッセージは、前記デバイスが前記アクセスポイントにおいて接続を確立するための登録要求またはサービス要求を含む、
［Ｃ７１］に記載の装置。
［Ｃ７４］
ローカルインターネットプロトコル（ＩＰ）オフロードがサポートされるかどうかを示すための装置であって、
アクセスポイントについてローカルＩＰオフロードが有効化されているか無効化されているかを指定する１つまたは複数のローカルＩＰオフロードパラメータを受信するための手段と、
前記１つまたは複数のローカルＩＰオフロードパラメータに少なくとも部分的に基づいて、ローカルＩＰオフロードサポートのインジケータを与えるための手段と
を備える、装置。
［Ｃ７５］
前記与えるための手段は、デバイスからモビリティマネージャに送られた１つまたは複数のメッセージ中でゲートウェイのＩＰアドレスとして前記インジケータを与える、
［Ｃ７４］に記載の装置。
［Ｃ７６］
前記１つまたは複数のメッセージは、前記ローカルＩＰオフロードに関係するパケットデータコンテキストの要求を含む、
［Ｃ７５］に記載の装置。
［Ｃ７７］
前記１つまたは複数のメッセージは、前記デバイスが前記アクセスポイントにおいて接続を確立するための登録要求またはサービス要求を含む、
［Ｃ７５］に記載の装置。
［Ｃ７８］
ローカルインターネットプロトコル（ＩＰ）オフロードがサポートされるかどうかを示すためのコンピュータプログラム製品であって、
少なくとも１つのコンピュータに、アクセスポイントについてローカルＩＰオフロードが有効化されているか無効化されているかを指定する１つまたは複数のローカルＩＰオフロードパラメータを受信させるためのコードと、
る前記少なくとも１つのコンピュータに、前記１つまたは複数のローカルＩＰオフロードパラメータに少なくとも部分的に基づいて、ローカルＩＰオフロードサポートのインジケータを与えさせるためのコードと
を備える、コンピュータ可読媒体
を備える、コンピュータプログラム製品。
［Ｃ７９］
前記少なくとも１つのコンピュータに、前記与えさせるためのコードが、デバイスからモビリティマネージャに送られた１つまたは複数のメッセージ中でゲートウェイのＩＰアドレスとして前記インジケータを与える、
［Ｃ７８］に記載のコンピュータプログラム製品。
［Ｃ８０］
前記１つまたは複数のメッセージが、前記ローカルＩＰオフロードに関係するパケットデータコンテキストの要求を含む、
［Ｃ７９］に記載のコンピュータプログラム製品。
［Ｃ８１］
前記１つまたは複数のメッセージは、前記デバイスが前記アクセスポイントにおいて接続を確立するための登録要求またはサービス要求を含む、
［Ｃ７９］に記載のコンピュータプログラム製品。
［Ｃ８２］
ローカルインターネットプロトコル（ＩＰ）オフロードがサポートされるかどうかを示すための装置であって、
アクセスポイントについてローカルＩＰオフロードが有効化されているか無効化されているかを指定する１つまたは複数のローカルＩＰオフロードパラメータを受信するためのパラメータ受信構成要と、
前記１つまたは複数のローカルＩＰオフロードパラメータに少なくとも部分的に基づいて、ローカルＩＰオフロードサポートのインジケータを与えるためのローカルＩＰオフロード指示構成要素と
を備える、装置。
［Ｃ８３］
前記ローカルＩＰオフロード指示構成要素は、デバイスからモビリティマネージャに送られた１つまたは複数のメッセージ中でゲートウェイのＩＰアドレスとして前記インジケータを与える、
［Ｃ８２］に記載の装置。
［Ｃ８４］
前記１つまたは複数のメッセージは、前記ローカルＩＰオフロードに関係するパケットデータコンテキストの要求を含む、
［Ｃ８３］に記載の装置。
［Ｃ８５］
前記１つまたは複数のメッセージは、前記デバイスが前記アクセスポイントにおいて接続を確立するための登録要求またはサービス要求を含む、
［Ｃ８３］に記載の装置。
【図１】
0005872543.tif 000002
【図２】
0005872543.tif 000003
【図３】
0005872543.tif 000004
【図４】
0005872543.tif 000005
【図５】
0005872543.tif 000006
【図６】
0005872543.tif 000007
【図７】
0005872543.tif 000008
【図８】
0005872543.tif 000009
【図９】
0005872543.tif 000010
【図１０】
0005872543.tif 000011
【図１１】
0005872543.tif 000012
【図１２】
0005872543.tif 000013
【図１３】
0005872543.tif 000014
【図１４】
0005872543.tif 000015
【図１５】
0005872543.tif 000016
【図１６】
0005872543.tif 000017
【図１７】
0005872543.tif 000018
【図１８】
0005872543.tif 000019
【図１９】
0005872543.tif 000020
【図２０】
0005872543.tif 000021
【図２１】
0005872543.tif 000022